【事件の表示】
　上記当事者間の特許第４３３８２１５号発明「テレビジョン・システムにおけるマルチ・ソース情報の組合せ」の特許無効審判事件について、次のとおり審決する。
【結　論】
　本件審判の請求は、成り立たない。
　審判費用は、請求人の負担とする。
【理　由】
【第１】手続の経緯等
　
　本件特許第４３３８２１５号は、平成８年４月４日（パリ条約による優先権主張：平成７年４月１７日、米国）を国際出願日として出願（特願平８−５３１７７６号）され、
　平成２１年７月１０日に設定登録されたものであって、手続きの概要は以下の通りである。
　
　本件出願　　　　　　　　　　　平成　８年　４月　４日
　　（特願平８−５３１７７６号、
　　　パリ条約による優先権主張　平成７年４月１７日、米国）
　設定登録（請求項の数６）　　　平成２１年　７月１０日 
　本件無効審判請求（請求人）　　平成２２年　６月２９日 
　答弁書（被請求人）　　　　　　平成２２年１０月１２日付け
　審理事項通知書（合議体）　　　平成２３年　２月１０日付け
　　　　（両当事者に対して）　　　　
　口頭審理陳述要領書（請求人）　平成２３年　３月２２日付け 
　口頭審理陳述要領書（被請求人）平成２３年　４月　５日付け
　口頭審理　　　　　　　　　　　平成２３年　４月１２日 
　
【第２】特許請求の範囲
　
　本件特許第４３３８２１５号に係る明細書（以下，本件明細書という。）の特許請求の範囲の請求項２，５の各記載は，次のとおりである（以下，請求項２，５に係る各発明を「本件発明２」，「本件発明５」ともいう。）。
　
　「【請求項２】
異なる伝送方式のための少なくとも２つのソースデバイスを用いる少なくとも２つのソースからの信号がテレビジョンの一つ以上の入力によって受信されるシステムで使用する方法であって、各ソースデバイスは、複数のテレビチャンネルを伝送するように動作可能であり、
前記方法は、
複数のテレビジョン番組の各テレビジョン番組について、前記少なくとも２つのソースデバイスから伝送されたテレビジョン番組のためのテレビジョン番組情報を表すチャンネルガイド情報データと各テレビジョン番組のための前記ソースデバイスの前記伝送方式を表すソース識別子をメモリに格納するステップと、
前記少なくとも２つの異なるソースデバイスから伝送される番組のための前記テレビジョン番組情報のリストをガイドフォーマットに同時に表示するステップと、
前記表示された番組リストからの番組選択を利用者から受理するステップと、
前記表示された番組リストから番組の利用者選択の受信に応答して、その番組のソースデバイスを表す前記ソース識別子を前記メモリから検索するステップと
を備えている、方法。」
　
　「【請求項５】
異なる伝送方式のための少なくとも２つのソースデバイスを用いる少なくとも２つのソースからの信号をテレビジョンの一つ以上の入力によって受信するシステムであって、各ソースデバイスは、複数のテレビチャンネルを伝送するように動作可能であり、
前記システムは、
複数のテレビジョン番組の各テレビジョン番組について、前記少なくとも２つのソースデバイスから伝送されたテレビジョン番組のためのテレビジョン番組情報を表すチャンネルガイド情報データと各テレビジョン番組のための前記ソースデバイスの前記伝送方式を表すソース識別子をメモリに格納する手段と、
前記少なくとも２つの異なるソースデバイスから伝送される番組のためのテレビジョン番組情報のリストをガイドフォーマットに同時に表示する手段と、
前記表示された番組リストからの番組選択を利用者から受理する手段と、
前記表示された番組リストから番組の利用者選択の受信に応答して、その番組のソースデバイスを表す前記ソース識別子を前記メモリから検索する手段と
を備えている、システム。」
　
　〈構成要件の分説〉
　本件発明２，本件発明５は、それぞれ、上記した請求項２及び請求項５記載のとおりの構成要件をその構成としたものと認められるところ、以下での検討の便宜上、本件発明２の構成要件を次のとおり２Ａ〜２Ｅ，本件発明５の構成要件を下記のとおり５Ａ〜５Ｅに分説する（以下、この分説に従って、「（構成）要件２Ａ」などという。なお、このように分説することについて当事者間に争いはない。）。
　
　　　　　記（本件発明２，５の構成要件の分説）
　
　【本件発明２】
２Ａ　異なる伝送方式のための少なくとも２つのソースデバイスを用いる少
　　　なくとも２つのソースからの信号がテレビジョンの一つ以上の入力に
　　　よって受信されるシステムで使用する方法であって、各ソースデバイ
　　　スは、複数のテレビチャンネルを伝送するように動作可能であり、
　　　前記方法は、
２Ｂ　複数のテレビジョン番組の各テレビジョン番組について、前記少なく
　　　とも２つのソースデバイスから伝送されたテレビジョン番組のための
　　　テレビジョン番組情報を表すチャンネルガイド情報データと各テレビ
　　　ジョン番組のための前記ソースデバイスの前記伝送方式を表すソース
　　　識別子をメモリに格納するステップと、
２Ｃ　前記少なくとも２つの異なるソースデバイスから伝送される番組のた
　　　めの前記テレビジョン番組情報のリストをガイドフォーマットに同時
　　　に表示するステップと、
２Ｄ　前記表示された番組リストからの番組選択を利用者から受理するステ
　　　ップと、
２Ｅ　前記表示された番組リストから番組の利用者選択の受信に応答して、
　　　その番組のソースデバイスを表す前記ソース識別子を前記メモリから
　　　検索するステップと
　　　を備えている、方法。
　
　【本件発明５】
５Ａ　異なる伝送方式のための少なくとも２つのソースデバイスを用いる少
　　　なくとも２つのソースからの信号をテレビジョンの一つ以上の入力に
　　　よって受信するシステムであって、各ソースデバイスは、複数のテレ
　　　ビチャンネルを伝送するように動作可能であり、
　　　前記システムは、
５Ｂ　複数のテレビジョン番組の各テレビジョン番組について、前記少なく
　　　とも２つのソースデバイスから伝送されたテレビジョン番組のための
　　　テレビジョン番組情報を表すチャンネルガイド情報データと各テレビ
　　　ジョン番組のための前記ソースデバイスの前記伝送方式を表すソース
　　　識別子をメモリに格納する手段と、
５Ｃ　前記少なくとも２つの異なるソースデバイスから伝送される番組のた
　　　めのテレビジョン番組情報のリストをガイドフォーマットに同時に表
　　　示する手段と、
５Ｄ　前記表示された番組リストからの番組選択を利用者から受理する手段
　　　と、
５Ｅ　前記表示された番組リストから番組の利用者選択の受信に応答して、
　　　その番組のソースデバイスを表す前記ソース識別子を前記メモリから
　　　検索する手段と
　　　を備えている、システム。
　
【第３】当事者の主張 
　
【第３-１】請求人の主張（請求）
　
［１］請求の趣旨  
　本件特許請求の範囲の請求項２及び請求項５についての特許を無効とする。
　審判費用は被請求人の負担とする。
　
［２］請求の理由（概要）
　
　請求書における、請求項２についての進歩性欠如を理由とする無効理由１と、請求項５についての進歩性欠如を理由とする無効理由２とは、実質的に同様な主張であるので、以下、当審決では、これらをまとめて「無効理由１」とする。
　同様に、請求書における、請求項２についてのサポート要件違反を理由とする無効理由３と、請求項５についてのサポート要件違反を理由とする無効理由４とは、実質的に同様な主張であるので、以下、当審決では、これらをまとめて「無効理由２」とし、
　また、請求書における、請求項２についての原文新規事項追加を理由とする無効理由５と、請求項５についての原文新規事項追加を理由とする無効理由６とは、実質的に同様な主張であるので、以下、当審決では、これらをまとめて「無効理由３」とする。
　
　（１）無効理由１（進歩性欠如、２９条第２項）
　請求項２及び請求項５に係る特許発明は、甲４号証に記載された発明に基づいて、当業者が容易に発明をすることができたものであるから、特許法第２９条第２項の規定により特許を受けることができないものである。
　したがって，請求項２及び請求項５に係る特許は，特許法第１２３条第１項第２号に該当し，無効とすべきものである。
　
　（２）無効理由２（サポート要件違反、３６条第６項第１号）
　請求項２における「前記表示された番組リストから番組の利用者選択の受信に応答して、その番組のソースデバイスを表す前記ソース識別子を前記メモリから検索するステップ」（要件２Ｅ）及び請求項５における「前記表示された番組リストから番組の利用者選択の受信に応答して、その番組のソースデバイスを表す前記ソース識別子を前記メモリから検索する手段」（要件５Ｅ）は、いずれも、本件特許明細書の「発明の詳細な説明」に記載されておらず、
　請求項２及び請求項５の記載は、特許法第３６条第６項第１号「特許を受けようとする発明が発明の詳細な説明に記載したものであること」（サポート要件）の規定を満たさない。
　したがって、請求項２及び請求項５に係る特許は、同法第１２３条第１項第４号の規定により、無効とすべきものである。
　
　（３）無効理由３（原文新規事項追加、１２３条第１項第５号）
　請求項２における「前記表示された番組リストから番組の利用者選択の受信に応答して、その番組のソースデバイスを表す前記ソース識別子を前記メモリから検索するステップ」及び請求項５における「前記表示された番組リストから番組の利用者選択の受信に応答して、その番組のソースデバイスを表す前記ソース識別子を前記メモリから検索する手段」は、いずれも、本件特許に係る外国語書面出願の外国語書面（原文）に記載されておらず、
　本件特許の願書に添付した明細書又は図面に記載した事項が原文に記載した事項の範囲内にない。
　したがって、請求項２及び請求項５に係る特許は、平成１４年改正前特許法第１８４条の１８によって読み替えて適用される同法第１２３条第１項第５号に該当し、無効とすべきである。
　
［３］請求の理由の要点 
　
［３-１］無効理由１（進歩性欠如、２９条第２項）の具体的要点
　
　以下、「(ア)、(サ)」等は、【第４-３】で後述する甲４号証、甲５号証の記載摘示箇所を示す。
　
　−請求書−
　１．一致、相違
　本件特許に係る出願の優先日（平成７年４月１７日）前の平成６年５月１２日に頒布された刊行物である甲第４号証（特表平６−５０４１６５号公報）には、本件特許発明２の構成中、２Ａ、２Ｂ、２Ｃ及び２Ｄに相当する構成、並びに、２Ｅ’なる点が記載されており、また、本件特許発明５の構成中、５Ａ、５Ｂ、５Ｃ及び５Ｄに相当する構成、並びに、５Ｅ’なる点が記載されている。
　
　１ア　要件２Ａ・５Ａは、甲４の(ウ)，図２２Ａに記載されていて、甲４発明と共通する。
　甲４(ウ)の「アンテナ２００及びケーブル入力部２０５」は、要件２Ａ・５Ａ中の「異なる伝送方式のための少なくとも２つのソースデバイス」に該当するから、甲４(ウ)は「異なる伝送方式のための少なくとも２つのソースデバイスを用いる少なくとも２つのソースからの信号がテレビジョンの一つ以上の入力によって受信される」に該当する。
　図１〜図３、図５及び図６には、テレビジョンスケジュールグリッド２４の一番左の列にチャンネルコラムが示されており、オーバジエア放送の局番号（２、４、５、７、９、１３、４４）とケーブルサービスの局名（Ａ＆Ｅ、ＣＮＮ、ＤＩＳ、ＬＩＦ、ＴＮＴ）とが示されているから｛(ケ)｝、「アンテナ２００」が複数のテレビチャンネルを含むオーバジエア放送を伝送し、「ケーブル入力部２０５」が複数のテレビチャンネルを含むケーブルサービスを伝送していることが明らかである。
　よって、「各ソースデバイスが複数のテレビチャンネルを伝送するように動作可能」の点は、甲第４号証に記載されているに等しい。
　
　１イ　要件２Ｂ・５Ｂは、甲４発明と共通する。
　甲４(エ)「プログラマブルチューナ２０２は、・・・チャンネル割当へ変換する。」の「リストデータ」は要件２Ｂ・５Ｂ中の「テレビジョン番組のためのテレビジョン番組情報を表すチャンネルガイド情報データ」に該当するから、
　「プログラマブルチューナ２０２は、データを伝送する局またはケーブルチャンネルへ自動的に同調する」は、「複数のテレビジョン番組の各テレビジョン番組について、前記少なくとも２つのソースデバイスから伝送された」に、
　「リストデータは、スケジュールメモリ２３２へ記憶される」は、「テレビジョン番組のためのテレビジョン番組情報を表すチャンネルガイド情報データ・・・をメモリに格納する」に、それぞれ該当する。
　「ケーブルチャンネル割当データ」は、一般的なＴＶソース名を特定のケーブルシステムのチャンネル割当へ変換するものであることが記載されているから、ケーブルシステムのチャンネルを識別するものであることが明らかである。また、上述したように、図２２Ａに示されるシステム１８０においては、ＴＶ信号をアンテナ２００及びケーブル入力部２０５またはいずれかより受信し、図１〜図３、図５、図６に示されるような、オーバジエア放送の局番号（２、４、５、７、９、１３、４４）とケーブルサービスの局名（Ａ＆Ｅ、ＣＮＮ、ＤＩＳ、ＬＩＦ、ＴＮＴ）とが示されるテレビジョンスケジュールグリッド２４が作成されるのであるから、ケーブルチャンネル割当デ一タは、チャンネルを識別するのみならず、当該チャンネルがケーブルという伝送方式に基づくものであることも識別することが明らかである。
　よって、「ケーブルチャンネル割当データ」は要件２Ｂ・５Ｂ中の「前記ソースデバイスの前記伝送方式を表すソース識別子」に該当する。
　そして、「各テレビジョン番組のためのケーブルチャンネル割当データは、ケーブル指定のＲＡＭメモリ２３８へ記憶される」は、「各テレビジョン番組のための前記ソースデバイスの前記伝送方式を表すソース識別子をメモリに格納する」に該当する。よって、要件２Ｂ中の「各テレビジョン番組のための前記ソースデバイスの前記伝送方式を表すソース識別子をメモリに格納する」の点でも甲４発明と共通する。
　
　１ウ　要件２Ｃ・５Ｃは、甲４発明と共通する。
　・甲４(オ)「ＴＶ内容確認要求に関してスケジュールメモリ２３２に記憶されているリストが呼び出され・・・出力される。」の「スケジュールメモリ２３２に記憶されているリスト」は、要件２Ｃ・５Ｃ中の「前記少なくとも２つの異なるソースデバイスから伝送される番組のための前記テレビジョン番組情報のリスト」に該当するから、
　「スケジュールメモリ２３２に記憶されているリストが呼び出され、・・・ビデオ表示発生器２２４へ出力される」は、要件２Ｃ５Ｃ中の「前記少なくとも２つの異なるソースデバイスから伝送される番組のための前記テレビジョン番組情報のリストを・・・表示する」に該当する。
　要件２Ｃ・５Ｃ中の「前記少なくとも２つの異なるソースデバイスから伝送される番組のための前記テレビジョン番組情報のリストを・・・表示する」の点で甲４発明と共通する。
　・甲４の(ア)「図１−３及び図５−６は、・・・リストアップされていない。」、図１〜図３、図５及び図６｛テレビジョンスケジュールグリッド２４の一番左の列にチャンネルコラムが示されており、オーバジエア放送の局番号（２、４、５、７、９、１３、４４）とケーブルサービスの局名（Ａ＆Ｅ、ＣＮＮ、ＤＩＳ、ＬＩＦ、ＴＮＴ）とが同時に表示されていることを示している。｝の、「テレビジョンスケジュールグリッド２４」は、要件２Ｃ・５Ｃ中の「番組のための前記テレビジョン番組情報のリスト」及び「ガイドフォーマット」に該当するから、
　「オーバジエア放送の局番号（２、４、５、７、９、１３、４４）とケーブルサービスの局名（Ａ＆Ｅ、ＣＮＮ、ＤＩＳ、ＬＩＦ、ＴＮＴ）とが同時に表示されている」は、「番組のための前記テレビジョン番組情報のリストを同時に表示する」に該当する。
　要件２Ｃ・５Ｃ中の「番組のための前記テレビジョン番組情報のリストをガイドフォーマットに同時に表示する」の点でも甲４発明と共通する。
　
　１エ　要件２Ｄ・５Ｄは、甲４発明と共通する。
   甲４の(イ)「図２で示される・・・チャンネル選択は影響されない。」の「図２で示される」「ガイド」は要件２Ｄ・５Ｄ中の「前記表示された番組リスト」に該当するから、
　「図２で示される」「ガイド」における「カーソル３２」の「移動」は、要件２Ｄ・５Ｄ中の「前記表示された番組リストからの番組選択」に該当する。
　要件２Ｄ・５Ｄ中の「番組選択を利用者から受理する」の点については、甲第４号証に直接記載がないが、利用者が「カーソル３２」の「移動」を行うことは甲第４号証に記載されているに等しい（カーソル３２とは別のカーソルについてではあるが、甲第４号証には「ユーザーは、カーソルを動かして、残りの１５のトピックの各々を選択解除しなければならない。」（１０頁左上欄６行〜８行）との記載があり、ユーザーがカーソルの移動を行うことが記載されている。）。
　
　１オ　甲４の(キ)「オンスクリーンスケジュールから・・・実現している。」（２Ｅ’・５Ｅ’）には、要件２Ｅ・５Ｅの「・・・受信に応答して、その番組のソースデバイスを表す前記ソース識別子を前記メモリから検索するステップ」の点について記載がない。
　しかしながら、上記記載においては、ＶＣＲまたはケーブルデコーダに同調させるためにＣＰＵに名前を特定のチャンネルに変換させているから、ＶＣＲ及びケーブルデコーダに信号が送られていることは明らかであるところ、その変換の際に、ケーブル指定ＲＡＭ２３８を利用していることが記載されており、ケーブル指定ＲＡＭ２３８には「ケーブルチャンネル割当データ」が記憶されているから、「受信に応答して」「ケーブルチャンネル割当データ」をメモリから読み出すことが記載されているに等しい（甲第４号証には、ケーブル指定ＲＡＭ２３８に「ケーブルチャンネル割当データ」以外のデータが記憶されていることは記載されていない。）。
　
　２．容易想到
　本件特許発明２と甲４発明とは、要件２Ａ、２Ｂ、２Ｃ及び２Ｄが共通し、要件２Ｅの「検索するステップ」の有無の点で相違し、
　本件特許発明５と甲４発明とは、要件５Ａ、５Ｂ、５Ｃ及び５Ｄが共通し、要件５Ｅの「検索するステップ」（審決註：正しくは「検索する手段」）の有無の点で相違するが、
　当該相違点は甲５号証に基づき当業者が容易に推考し得るものである（特許法第２９条第２項）。
　
　２ア　甲５号証の(サ)〜(タ)から、甲第５号証においては、視聴者が、視聴したいチャンネルを、地上波放送のネットワーク（ＡＢＣ、ＮＢＣ、ＣＢＣ等）及びケーブルサービスのネットワーク（ＨＢＯ、ＥＳＰＮ・Ｃｉｎｅｍａｘ等）から選択する際に、ネットワークの名称等の「ラベル」を手持ち遠隔制御ユニット（すなわち、リモコン）で入力すると、そのラベルがメモリ中にあるかどうかサーチ（すなわち、検索）をし、ラベルが見つかればそのラベルに相当するチャンネルに同調し、視聴者がそのチャンネルの番組を視聴することが可能になることが記載されているということができる。
　ここで、「ラベル」は、地上波放送のネットワーク及びケーブルサービスのネットワークの各チャンネルに割り当てられているものであり、かつ、「ラベル」が見つかればそのチャンネルに同調することを可能とするものであるから、チャンネルを識別するのみならず、当該チャンネルが地上波放送のネットワーク又はケーブルサービスのネットワークという伝送方式に基づくものであることも識別することが明らかである。例えば、地上波放送のネットワークのチャンネルが選択されている場合において、ケーブルサービスのネットワークのチャンネルのラベルがサーチ（検索）されて同チャンネルに同調するときには、必ず、地上波放送のネットワークからケーブルサービスのネットワークへとソースの切替えが行われるから、「ラベル」はケーブルサービスのネットワークという伝送方式をも識別するものであることを要する。よって、「ラベル」は要件２Ｅ・５Ｅ中の「ソース識別子」に該当する。
　なお、本件特許発明２・５の「ソース識別子」は、「現在のテレビジョン２２への入力ソースがソース識別子と関係したソースと同一であれば、コーディネータ２０は、ステップ８４において、該特定のソースを所望のチャンネルに同調させる。現在のソースがソース識別子と関係するソースでなかった場合には、システムは、ソースを適切なソースへ切り換える。」（本件特許明細書９頁３４行〜３８行）という機能を奏するところ、甲５号証の「ラベル」も上述したように、当該機能を奏するということができる。
　そして、甲５号証における「サーチ（検索）」は、ラベルをメモリから検索するものであるから、「ソース識別子」に該当する「ラベル」を「メモリから検索する」に該当する。
　
　２イ　上述したように、要件２Ｅ・５Ｅの「前記表示された番組リストから番組の利用者選択の受信に応答して、その番組のソースデバイスを表す前記ソース識別子を前記メモリから検索するステップ」について、甲４号証には、「前記表示された番組リストから番組の利用者選択の受信に応答して」、「その番組のソースデバイスを表す前記ソース識別子」に該当する「ケーブルチャンネル割当データ」を「前記メモリから読み出すステップ」が記載されているところ、
　甲５号証には、「ソース識別子」に該当する「ラベル」を「メモリから検索する」に該当することが記載されており、しかも甲５号証に記載されているのはテレビジョンのチャンネルの識別に関する技術であり、甲４号証に記載された発明と技術分野を同一にするものであるから、甲５号証に記載された上記の点の構成を甲４号証に記載されたものに適用し、「前記表示された番組リストから番組の利用者選択の受信に応答して」、「その番組のソースデバイスを表す前記ソース識別子」に該当する「ケーブルチャンネル割当データ」を「前記メモリから検索するステップ」とすることはその発明の属する技術の分野における通常の知識を有する者が容易に推考し得るものである。
　
　−口頭審理陳述要領書（請求人）、口頭審理−
　
　３．甲４記載発明
　請求人は、合議体の求めに応じ、まとまりのある技術思想として捉えられる甲４記載発明として、方法の発明とテレビジョンスケジュールシステムの発明を提示した。
　これら、方法の発明とシステムの発明の構成は、ほとんどの部分が同様に記載することができるから、異なる部分のみを［Ｘ｜Ｙ］の表記を用いて一の記載で表現した。
　「［Ｘ｜Ｙ］」は、択一的に、「Ｘ」か若しくは「Ｙ」を意味する。
　
　甲４には、以下の各構成（構成ａ）〜（構成ｅ’）を備えた発明が記載さ
れているということができる。
　
              甲４に記載された発明（請求人）
（構成ａ）　
伝送方式の異なるアンテナ２００及びケーブル入力部２０５の２つの入力を用い、当該２つの入力からの信号をテレビジョンのプログラマブルＴＶチューナ／ケーブルデコーダ２０２に受信する［方法｜テレビジョンスケジュールシステム］であって、アンテナ２００及びケーブル入力部２０５は、それぞれオーバジエア放送の複数のチャンネルのＴＶ信号及びケーブルサービスの複数のチャンネルのＴＶ信号を伝送するように動作可能であり、
前記［方法｜テレビジョンスケジュールシステム］は、
　｛根拠　甲４(ウ)(ケ)図２２Ａ｝
　
（構成ｂ）
オーバジエア放送の複数のチャンネル及びケーブルサービスの複数のチャンネルについて、前記アンテナ２００及びケーブル入力部２０５の２つの入力から伝送された「リストデータ」と「ケーブルチャンネル割当データ」とを、それぞれスケジュールメモリ２３２とケーブル指定のＲＡＭメモリ２３８とに記憶（格納）する［ステップ｜手段］と、
　｛根拠　甲４(エ)｝
　
（構成ｃ）　
前記アンテナ２００及びケーブル入力部２０５の２つの入力から伝送され（スケジュールメモリ２３２に記憶されている）「リストデータ」をＴＶ／モニター２１０に、複数のオーバジエア放送のチャンネルと番組リスト及び複数のケーブルサービスのチャンネルと番組リストを同時に表示する［ステップ｜手段］と、
　｛根拠　甲４(オ)(ケ)(ア)，図１〜図３、図５及び図６｝
　
（構成ｄ）
オンスクリーンスケジュールから選択されたタイトルをユーザーから受理する［ステップ｜手段］と、　　
　｛根拠　甲４(キ)の「オンスクリーンスケジュールか・・・プログラム」、甲４(キ)の「番組を時間シフトして記録する要求がなされた場合」から、番組を録画する際に「番組選択」が行われることは明らかである。｝
　
（構成ｅ'）　
オンスクリーンスケジュールからタイトルを選択するプログラムでは、選択されたタイトルをユーザーから受信し（構成ｄ）、
（リモートコントローラー２１２で局名及びケーブルチャンネル名を入力すると、）
ＣＰＵ２２８で入力された当該局名及びケーブルチャンネル名が特定のチャンネルに変換されるが、その際にケーブル指定ＲＡＭ２３８に格納された所望の「ケーブルチャンネル割当データ」を検索する［ステップ｜手段］と
を備えている、［方法｜テレビジョンスケジュールシステム］。
　｛根拠　
　　甲４(キ)「オンスクリーンスケジュールから・・・実現している。」から、甲４には、リモートコントローラー２１２から局名やケーブルチャンネル名が伝送された場合に、ＣＰＵ２２８で局名やチャンネル名を特定のチャンネルに変換させるところ、この変換がケーブル指定ＲＡＭ２３８を備えることで実現される旨が記載されていることが分かる。
　もっとも上記記載から分かるとおり、甲４では「ケーブルチャンネル割当データ」を「検索」するとの明示の記載はない。
　しかし、後述するように、被請求人の「メモリから『ソース識別子』を読み取るためには、その前に『ソース識別子』がメモリのどこに格納されているかをさがし出すこと（すなわち、検索すること）が必要であることは技術常識である」（答弁書６頁１行〜４行、下から８行〜下から６行）との主張に基づけば、以下の技術的事項が甲４に記載されているに等しいといえる。
　まず、ユーザーが局名及びケーブルチャンネル名を入力するとＣＰＵ２２８で特定のチャンネルに変換する操作が行われており、この操作が「ケーブルチャンネル割当データ」が記憶されているケーブル指定ＲＡＭ２３８を備えることによって実現されているのであるから、チャンネル変換の際にケーブル指定ＲＡＭ２３８に記憶された「ケーブルチャンネル割当データ」を読み出す操作が行われていることは甲４に記載されているに等しい。そして、ケーブル指定ＲＡＭ２３８にはケーブルチャンネル全ての「ケーブルチャンネル割当データ」が記憶されているので、所望の「ケーブルチャンネル割当データ」を読み出すためには、上記全ての「ケーブルチャンネル割当データ」から所望の「ケーブルチャンネル割当データ」を選び出す操作（「検索」操作）が行われていることも、甲４に記載されているに等しい事項となる。
　
　そして、甲４の(ク)の「リモートコントローラー２１２でプログラムする」場合に行われる「名前を特定のチャンネルに変換させる」は、甲４(キ)の「オンスクリーンスケジュールからタイトルを選択するプログラム」の場合（甲４(カ)の番組を録画する際の「番組選択」が行われる場合）にも、同様に行われていることは明らかである。（口頭審理での請求人の釈明）｝
　
　４．本件発明２（要件２Ａ〜２Ｅ），本件発明５（要件５Ａ〜５Ｅ）と上記甲４記載発明（構成ａ〜ｅ’）との対比
　
　４ア　要件２Ａ・５Ａ
　「アンテナ」及び「ケーブル」は、本件発明２，５でいう「ソースデバイス」である。
　《理由》本件特許明細書の「図１Ｃは、ソース装置としてＤＢＳ及びケーブルを備えたテレビ番組／テレビジョン・スケジュール・ガイド・システムのブロック図である。」（５頁２行〜３行）、「更に本発明の別の実施例では、ＤＢＳ（ＩＲＤボックス２８を介した）及びケーブル（ケーブル・ボックス２６を介した）は、テレビジョン２２に直列に接続されたソース装置として構成される。」（７頁２９行〜３１行）」から、
  「ケーブル」が「ソースデバイス」に該当することが明らかである。
　さらに、本件特許に係る出願についての平成１８年８月２日付け手続補正書（甲７）の請求項９及び１８において、「前記ソースデバイスがケーブル、衛星用ディッシュアンテナおよびテレビジョンアンテナのうちの少なくとも１つである」と記載されており、「ソースデバイス」の具体例として「アンテナ」及び「ケーブル」が明示されている。
　
　構成ａの「アンテナ２００及びケーブル入力部２０５」は要件２Ａ・５Ａ中の「異なる伝送方式のための少なくとも２つのソースデバイス」に該当する。
　「アンテナ２００」が複数のテレビチャンネルを含むオーバジエア放送を伝送し、「ケーブル入力部２０５」が複数のテレビチャンネルを含むケーブルサービスを伝送していることは明らかである｛図１〜図３、図５及び図６には、テレビジョンスケジュールグリッド２４の一番左の列にチャンネルコラムが示されており、オーバジエア放送の局番号（２、４、５、７、９、１３、４４）とケーブルサービスの局名（Ａ＆Ｅ、ＣＮＮ、ＤＩＳ、ＬＩＦ、ＴＮＴ）とが示されている。｝から、
　「各ソースデバイスが複数のテレビチャンネルを伝送するように動作可能」の点でも両発明は共通する。
　そうすると、構成ａと、要件２Ａ・５Ａは共通する。
　
　４イ　要件２Ｂ・５Ｂ
　
　４イ-１　構成ｂにおいて、「リストデータ」は、要件２Ｂ・５Ｂ中の「テレビジョン番組のためのテレビジョン番組情報を表すチャンネルガイド情報データ」に該当するから、
　「オーバジエア放送の複数のチャンネル及びケーブルサービスの複数のチャンネルについて、前記アンテナ２００及びケーブル入力部２０５の２つの入力から伝送された」は、
　要件２Ｂ・５Ｂ中の「複数のテレビジョン番組の各テレビジョン番組について、前記少なくとも２つのソースデバイスから伝送された」に該当しする。
　
　４イ-２　構成ｂにおいて、「リストデータ」は要件２Ｂ・５Ｂ中の「テレビジョン番組のためのテレビジョン番組情報を表すチャンネルガイド情報データ」に該当するから、
　「『リストデータ』と「ケーブルチャンネル割当データ」とを、それぞれスケジュールメモリ２３２とケーブル指定のＲＡＭメモリ２３８とに記憶（格納）する」は、
　要件２Ｂ・５Ｂの「テレビジョン番組のためのテレビジョン番組情報を表すチャンネルガイド情報データ・・・をメモリに格納する」に該当する。
　このため、要件２Ｂ・５Ｂ中の「複数のテレビジョン番組の各テレビジョン番組について、前記少なくとも２つのソースデバイスから伝送されたテレビジョン番組のためのテレビジョン番組情報を表すチャンネルガイド情報データ」「をメモリに格納する」点で、両発明は共通する。
　
　４イ-３　構成ｂの「ケーブルチャンネル割当データ」は、本件発明２，５の「ソース識別子」に該当する。
　
　ａ．本件発明２，５の「ソース識別子」の解釈
　本件発明２，５の「ソース識別子」とは、「ソースを識別
し得るもの
　
　《理由》
　ａ-１．明細書の発明の詳細な説明の記載の参酌
　請求項２，５の「ソース識別子」との記載は、技術的意義が一義的に明確に理解することができないものであるから、明細書の発明の詳細な説明の記載を参酌して解釈されるべきであり、下記の本件明細書の記載によれば、
　「ソース識別子」が、「スケジュールガイド情報」及び当該ガイド情報内の「ショー（番組）又はチャンネル」が、「特定のソースからのものであることを識別する」ことができるものであること、すなわち、「ソース」を識別
し得るもの
　
　ａ-２．原文の請求の範囲｛原文（甲２。翻訳文として甲３参照。）の明細書は、本件特許明細書と同一の記載となっているため、『「ソース」を
識別し得るもの
　「one of said multiple sources being identified by one of said source identifiers（１つのソースがソース識別子の１つにより識別され）」とあり、ソース識別子がソースを
識別し得るもの
　上述したように、「ソース識別子」は、チャンネル等が特定のソースからのものであることを識別し得るものであること、すなわち、チャンネル等の「ソース」を識別し得るものであることを明確に示している。このような「ソース識別子」を「
ソース」を識別し得るものとする解釈
　そして、「ソース識別子」が識別の対象とする「ソース」としては、例えば、「ケーブル及び衛星用ディッシュ・アンテナ」（本件特許明細書５頁１７行）のそれぞれが挙げられる。
　
　　　　　記（本件の発明の詳細な説明の記載（甲１号証））
・「スケジュール情報には、該スケジュール情報が特定のソースからのものであることを識別するソース識別子が設けられている。」（５頁１９行〜２０行）
・「利用者が表示されたガイド内の表示チャンネルの１つに配置されたショーまたはチャンネルを選択すると、システムが該ショーまたはチャンネルに関係したソース識別子を読み取る。」（５頁２２行〜２４行）
・「どのソースからどのチャンネルが利用可能かを追跡するために、ソース識別子が各チャンネルに配置される。」（９頁３行〜４行）
・「図３は自動同調の処理のフローチャートの一例である。自動同調を開始するには、利用者が所定のチャンネルまたは番組をステップ７０で選択する。この選択は、例えば、カーソルを所望の番組までスクロールさせ、『エンター』キーを押すか、または、遠隔制御器３２を使用してチャンネル番号を入力することにより、実行できる。コーディネータ２０は、ステップ７２でソース識別子を読み取り、現在のテレビジョン２２への入力がソース識別子と関係したソースであるか否かを決定する（ステップ７４）。」（９頁２９行〜３４行）
　
　ａ-３．要件２Ｂ・５Ｂ，２Ｅ・５Ｅとの関係
　また、「
ソースを識別し得るもの
　また、本件特許明細書９頁３行〜４行には、「どのソースからどのチャンネルが利用可能かを追跡するために、ソース識別子が各チャンネルに配置される。」との記載があるところ、本件特許明細書３頁４１行〜４８行にはソース又はソースデバイスについて「異なる伝送方式」があることが記載されていることも併せて考慮すると、本件発明２，５においては、ソース又はソースデバイスの識別はそれらの伝送方式を識別することにより行われることを当然の前提としているということができる。
　したがって、「ソース識別子」を「ソースを識別し得るもの」と解釈しても、要件２Ｂ，５Ｂ，２Ｅ，５Ｅと矛盾することなく本件特許発明を理解することができるものである。
　
　ｂ．甲４の「ケーブルチャンネル割当データ」は、「ソース識別子」に該当する。
　
　《理由》
　ｂ-１．甲４の「ケーブルチャンネル割当データ」は、「ＨＢＯといった一般的なＴＶソース名（請求人注：「ＨＢＯ」は米国の大手ケーブルテレビ放送局である「Ｈｏｍｅ　Ｂｏｘ　Ｏｆｆｉｃｅ」のことを指すものと考えられるから、「ＴＶソース名」はケーブルテレビの放送局名を指す。）を特定のケーブルシステムのチャンネル割当へ変換する」（甲４、１１頁左上欄１９行〜２０行）ものであり、
　「ＣＰＵ２２８及びリモートコントローラー２１２中のケーブル指定ＲＡＭ２３８を備えることによって実現している。」
　ケーブルチャンネルはチャンネル数が多いため、所望の放送局がどのチャンネル番号であるかをユーザーが記憶しておくことが困難であり、チャンネル番号の操作に変えて放送局名で操作することができるようにしておく必要がある。そして、選択された放送局名をケーブルチャンネルに割り当てるための変換をするために、ケーブルチャンネル割当データが必要となる。
　「ケーブル指定ＲＡＭ２３８」は「ケーブルチャンネル割当データ」を記憶するためのものであり、それ以外の役割はないから（１１頁左上欄１８行〜１９行）、「ケーブル指定ＲＡＭ２３８」に記憶された
「ケーブルチャンネル割当データ」がケーブルチャンネルの局名を特定のチャンネルに変換し、これによりケーブルデコーダを当該特定のチャンネルに同調させる
　
  ｂ-２．ここで、ケーブルチャンネル割当データに基づいてケーブルデコーダが特定のケーブルチャンネルに同調するためには、その前に「ケーブル入力部２０５及びそれに接続されたケーブルデコーダを使い、アンテナ２００及びそれに接続されたＴＶチューナは使わない」という２つのソースデバイスからの「ケーブル入力部２０５（又はケーブル入力部２０５及びそれに接続されたケーブルデコーダ）」の選択が必須である。
　具体的には、
　(i)ユーザーが局名として、例えば、ケーブルテレビ放送局の「ＨＢＯ」を入力すると、(ii)ＣＰＵ２２８がＲＡＭ２３８に記憶されている全ケーブルチャンネルに対応するケーブルチャンネル割当データの中から、「ＨＢＯ」を含むケーブルチャンネル割当データを検索して、(iii)ついで、ＣＰＵ２２８がＨＢＯを含むケーブルチャンネル割当データにおけるチャンネルの情報（甲４において「チャンネル割当」と呼ばれるもの。例えば、「チャンネルの周波数帯域○Ｈｚ〜○Ｈｚ」や「チャンネル番号３６」。）を読み出す（「チャンネル割当へ変換」）。(iv)その後、プログラマブルＴＶチューナ／ケーブルデコーダ２０２が、(iii)で読み出した「チャンネルの情報」に対応するチャンネルがケーブルチャンネルのものであることを識別し、(v)ケーブル入力部２０５及びそれに接続されたケーブルデコーダを有効にし、(vi)さらに、ケーブルデコーダ（上述したように、チューナの機能を有する。）に、当該「チャンネルの情報」に基づき、そのチャンネルの周波数帯域への同調を行わせる。
　したがって、「ケーブルチャンネル割当データ」は、明示されている「変換」の機能を奏するのみならず、ソース又はソースデバイスを識別するという機能も奏するものであり、
「ソース識別子」の性質を有している
　「ケーブルチャンネル割当データ」が「ソース識別子」の機能を有している限り、その他の性質（例えば、「変換データ」という性質）を有していてもよいのは当然である。　
　「識別」がそれらの伝送方式を識別することにより行われることは上述したとおりである。結局、「
ケーブルチャンネル割当データ」は、「ソース」又は「ソースデバイス」をその伝送方式により識別し得るものであるから、「ソース識別子」に該当する
　
　ｂ-３．
甲４ではオーバジエア放送に対応するソース識別子の存在が前提となっている
　甲４には、オーバジエア放送に対応するソース識別子について明示の記載はないが、甲４に記載の引用発明は、結局のところ、オーバジエア放送、ケーブルテレビ放送という複数のソースにかかる番組リストを表示し（図１〜図３、図５、図６）、この表示に対してユーザーが番組を視聴、録画のために選択することを可能とする点において、本件発明２，５とその実質を一にするところ、引用発明は、甲４にオーバジエア放送にかかるソース識別子が明示されていないという点のみにおいて、
本件特許発明と形式的に異なるに過ぎない
　甲４の(キ)によれば、オーバジエア放送のチャンネルの同調が行われることも当然に想定されているところ、オーバジエア放送及びケーブルテレビという２つのソースデバイスから、オーバジエア放送のチャンネルに同調する際には、「アンテナ２００及びそれに接続されたＴＶチューナを使い、ケーブル入力部２０５及びそれに接続されたケーブルデコーダは使わない」という「アンテナ２００（又はアンテナ２００及びそれに接続されたＴＶチューナ）」の選択が必須となる。ということは、「アンテナ」というソースの選択（識別）を行うためのソース識別子が必要となることもまた自明である。
　このように、甲４には、明示の記載はないものの、オーバジエア放送に対応するソース識別子の存在を前提としている。したがって、当業者にとっては、甲４のシステムにおいて、ソース識別子が用いられていることは、本件特許に係る出願の優先日（平成７年４月１７日）において技術常識となっていたものである。
　
 　ｂ-４．以上述べたように、甲４にはソース識別子が記載されていることが明らかである。
　
　４イ-４　上述したとおり、構成ｂ中の「ケーブルチャンネル割当データ」は「前記ソースデバイスの前記伝送方式を表すソース識別子」に該当する。そして、「「ケーブルチャンネル割当データ」「を、」「ケーブル指定のＲＡＭメモリ２３８」「に記憶（格納）する」は、「前記ソースデバイスの前記伝送方式を表すソース識別子をメモリに格納する」に該当する。
　
　４イ-５　以上から、要件２Ｂ、５Ｂの点で両発明は共通する。
  　
　４ウ　要件２Ｃ・５Ｃ
　構成ｃの「前記アンテナ２００及びケーブル入力部２０５の２つの入力から伝送され（スケジュールメモリ２３２に記憶されている）『リストデータ』」は、「前記少なくとも２つの異なるソースデバイスから伝送される番組のための前記テレビジョン番組情報のリスト」に、「ＴＶ／モニター２１０に、複数のオーバジエア放送のチャンネルと番組リスト及び複数のケーブルサービスのチャンネルと番組リストを同時に表示する」は、「ガイドフォーマットに同時に表示する」にそれぞれ該当する。
　したがって、要件Ｃの点で両発明は共通する。
　
　４エ　要件２Ｄ・５Ｄ
　構成ｅ’の「オンスクリーンスケジュールから選択されたタイトルをユーザーから受理する」は、要件２Ｄ・５Ｄの「前記表示された番組リストからの番組選択を利用者から受理する」に該当する。
　したがって、要件Ｄの点で両発明は共通する。
　
　４オ　要件２Ｅ・５Ｅ
　「オンスクリーンスケジュールからタイトルを選択するプログラムでは、選択されたタイトルをユーザーから受信し」は、「前記表示された番組リストから番組の利用者選択の受信」に該当する。
　また、「リモートコントローラー２１２で局名及びケーブルチャンネル名を入力すると、ＣＰＵ２２８で入力された当該局名及びケーブルチャンネル名が特定のチャンネルに変換されるが、その際にケーブル指定ＲＡＭ２３８に格納された所望の『ケーブルチャンネル割当データ』を検索する」は、「ソースデバイスを表す前記ソース識別子を前記メモリから検索する」に該当する。
　（相違点）
　もっとも、表示された番組リストから番組の利用者選択の受信「
に応答
その番組の
　
　５．容易想到
　しかしながら、甲５の(サ)「プログラムは・・・（ステツプ４７０）。」から、
　例えば、地上波放送のネットワークのチャンネルが選択されている場合において、ケーブルサービスのネットワークのチャンネルのラベルがサーチ（検索）されて同チャンネルに同調するときには、必ず、地上波放送のネットワークからケーブルサービスのネットワークへとソースの切替えが行われるから、『ラベル』はケーブルサービスのネットワークという伝送方式をも識別するものであることを要する。よって、『ラベル』は要件Ｅ中の『ソース識別子』に該当する
　ことは明らかである。
　したがって、甲５に記載された発明には、「表示された番組リストから番組の利用者選択の受信に
応答して
　加えて、甲５に記載されているのは甲４と同様の「ソース識別子」を用いたテレビジョンのチャンネルの識別に関する技術であり、引用発明と技術分野を同一にするものであるから、甲５に記載された上記の点の構成を甲４に記載されたものに適用し、要件２Ｅ・５Ｅとすることはその発明の属する技術の分野における通常の知識を有する者が容易に推考し得るものである。
　
［３.２］無効理由２（サポート要件違反）の具体的要点
　要件２Ｅの「ソース識別子を前記メモリから検索するステップ」、 要件５Ｅの「ソース識別子を前記メモリから検索する手段」でいう「検索」とは、「メモリ」に「格納」された「少なくとも２つのソースデバイスから伝送された」「各テレビジョン番組のための」「ソース識別子」の中から、「利用者選択の受信に応答して」「ソース識別子」をさがし出すことを意味する。
　
　　本件特許明細書の発明の詳細な説明には、ソース識別子の使用に関し、　甲１号証（本件特許公報）の
　５頁２２行〜２４行、
　９頁２９行〜３４行、
　１０頁５行〜１２行、
　１０頁３８行〜４５行に記載があり、
　利用者が選択したショー、チャンネル又は番組についての「ソース識別子を読み取」ることは記載されているものの、
　これらの「ソース識別子を読み取」るこることは、要件２Ｅの「検索するステップ」、５Ｅの「検索する手段」（「メモリ」に「格納」された「少なくとも２つのソースデバイスから伝送された」「各テレビジョン番組のための」「ソース識別子」の中から、「利用者選択の受信に応答して」「ソース識別子」をさがし出すこと）とは異なる技術的事項を示しているに過ぎず、
　発明の詳細な説明中には、本件特許発明２の要件２Ｅの「検索するステップ」、要件５Ｅの「検索する手段」と対応する事項が、記載も示唆もされていない。
　
［３.３］無効理由３（原文新規事項追加）の具体的要点
　本件特許に係る外国語書面出願の外国語書面（原文）を示す国際公開パンフレットである甲第２号証の、
　４頁２２行〜２５行（翻訳；甲第３号証１１頁１６行〜１８行）、
　１２頁７行〜１３行（翻訳；甲第３号証１９頁下から６行〜２０頁１行）、
　１３頁６行〜１４行（翻訳；甲第３号証２０頁下から４行〜２１頁５行）、
　１４頁９行〜１９行（翻訳；甲第３号証２２頁７行〜１６行）、
　には、
　利用者が選択したショー、チャンネル又は番組に結び付けられた（関係付けられた）ソース識別子を読み取ることは記載されているものの、
　これらの「ソース識別子を読み取」るこることは、要件２Ｅの「検索するステップ」、５Ｅの「検索する手段」（「メモリ」に「格納」された「少なくとも２つのソースデバイスから伝送された」「各テレビジョン番組のための」「ソース識別子」の中から、「利用者選択の受信に応答して」「ソース識別子」をさがし出すこと）とは異なる技術的事項を示しているに過ぎず、
　要件２Ｅの「検索するステップ」、要件５Ｅの「検索する手段」は原文に記載されておらず、原文に記載した事項の範囲内にない。
　
　
［３.４］証拠方法 
　〈審判請求書〉
　甲第１号証　特許第４３３８２１５号公報
　甲第２号証　国際公開第９６／３３５７２号（ＷＯ９６／３３５７２）
　　　　　　　（本件特許に係る外国語書面出願である国際出願（ＰＣＴ
　　　　　　　　／ＵＳ９６／０４７３１）の公開公報）
　甲第３号証　特表平１１−５０４１７１号公報
　甲第４号証　特表平６−５０４１６５号公報
　甲第５号証　特開平３−６２７１９号公報
　甲第６号証　広辞苑第六版第一刷発行（２００８年１月１１日）
　　　　　　　（「検索」の意味。）
　
　〈口頭審理陳述要領書〉
　甲第７号証　本件特許に係る出願についての平成１８年８月２日付け
　　　　　　　手続補正書
　甲第８号証　フリー百科事典「ウィキペディア」『伝送』，
　　　　　　　http://ja.wikipedia.org/wiki/%E4%BC%9D%E9%80%81，
　　　　　　　最終更新 2009年9月4日 (金) 17:17 
　甲第９号証　広辞苑第六版第一刷発行（２００８年１月１１日）
　　　　　　　（「チューナ」の意味。）
　甲第１０号証　ＮＨＫテレビ技術教科書［上］、日本放送出版協会、
　　　　　　　　平成元年４月１０日第一刷発行，
　　　　　　　　ｐ２０−３１，ｐ５０−５５，ｐ１２１−１３１，
　甲第１１号証　ケーブルテレビ技術入門−基礎検討ら応用まで−，
　　　　　　　　コロナ社，１９９４年９月５日初版第３刷発行，
　　　　　　　　ｐ１−３，ｐ１７４−１８５
　甲第１２号証　官報，号外第１１０号平成３年７月１７日，
　　　　　　　　平成三年七月十七日郵政省令第三十六号，
　　　　　　　　標準テレビジョン放送に関する送信の標準方式
　甲第１３号証　有線テレビジョン放送法施行規則，昭和四十七年十二月
　　　　　　　　十四日号外郵政省令第四十号，
　　　　　　　　（ｐ１９０１−１９８０）
　甲第１４号証　特開平６−３５０９７９号公報
　甲第１５号証　国際公開第９２／０４８０１号パンフレット，
　　　　　　　（甲第４号証に係る特許出願の国際出願日の明細書の内容）
　
【第３-２】被請求人の主張（答弁） 
　
［１］答弁の趣旨及び理由の概要
　本件審判の請求は成り立たない。  
　審判費用は請求人の負担とする。
　
　無効理由１ないし無効理由３は、請求項２及び請求項５についての特許を無効とする理由にはならない。
　請求項２及び請求項５についての特許は維持されるべきものである。
　
［２］答弁の理由の具体的要点 
　
［２.１］無効理由１（進歩性欠如、２９条第２項）について
　
　−答弁書−
　１．甲第４号証および甲第５号証のいずれも、少なくとも、請求項２に係る発明（本件発明２）の要件２Ｂ、２Ｅ、請求項５に係る発明（本件発明５）の５Ｂ、５Ｅの「ソース識別子」を教示も示唆もしていない。
　
　１ア　相違点
　要件２Ｂ、２Ｅ、５Ｂ、５Ｅの「ソース識別子」は、「各テレビジョン番組のための前記ソースデバイスの前記伝送方式を表す」ものであるのに対し、甲第４号証に記載の「ケーブルチャンネル割当データ」がチャンネルを表すものである点で、両者は、相違点を有するというべきである。
　
　《理由》
　甲第４号証の第１１頁左上欄第１５行〜第２０行「プログラマブルチューナ２０２は、データを伝送する局またはケーブルチャンネルへ自動的に同調する。ＶＢＩ信号がＣＰＵ２２８によって処理された後、リストデータは、スケジュールメモリ２３２へ記憶される一方、ケーブルチャンネル割当データは、ケーブル指定のＲＡＭメモリ２３８へ記憶される。
このデータは、ＨＢＯといった一般的なＴＶソース名を特定のケーブルシステムのチャンネル割当へ変換する
　「ケーブルチャンネル割当データ」が、単に、プロバイダ名を特定のチャンネルに変換する（例えば、甲第４号証の図２０に示されるように、「ＨＢＯ」をチャンネル「３６」に変換する）ために用いられるデータであることは明らかである。このように、「ケーブルチャンネル割当データ」が何らかの識別子であると考えられるべきであるとすれば、「ケーブルチャンネル割当データ」は、
チャンネルを表すチャンネル識別子である
　これとは対照的に、要件２Ｂ、２Ｅ、５Ｂ、５Ｅの「ソース識別子」は、「各テレビジョン番組のための前記ソースデバイスの前記伝送方式を表す」ものとして定義されている。すなわち、要件２Ｂ、２Ｅ、５Ｂ、５Ｅの「ソース識別子」が「各テレビジョン番組のための前記ソースデバイスの前記伝送方式を表す」ものであるのに対し、甲第４号証に記載の「ケーブルチャンネル割当データ」がチャンネルを表すものである点で、両者は、相違点を有するというべきである。
　
　１イ　課題、動機付けの不存在
　この相違点は、本件特許発明の解決すべき課題にリンクしている。すなわち、本件特許発明の解決すべき課題は、複数のソース間の切り換えを手動で行っていたことである。この課題を解決するために、本件特許発明は、番組が選択されると適切なソースが自動的に決定されるように、複数のソースからの複数の番組を含む番組ガイドを提供するシステムまたは方法を提供することを目的とする。
　これに対して、甲第４号証の解決すべき課題は、テレビジョンのプログラミングおよび記録のために従来のユーザーインタフェースが不十分であったことである。この課題を解決するために、甲第４号証に記載の発明は、テレビジョンスケジュール情報の特定の性質を補償することが可能な改良されたユーザーインタフェースを提供することを目的とする（例えば、甲第４号証の第６頁左下欄第１０行〜第１２行）。甲第４号証には、本件特許発明の解決すべき課題および目的に言及している記載は何ら存在しない。それ故、甲第４号証には、上述した相違点をなくすように当業者が甲第４号証に記載の発明を改変する動機付けが何ら存在しないというべきである。
　
　１ウ　仮に、甲第４号証の教示と甲第５号証の教示とが組み合わせられたとしても、依然として、本件特許発明２、５には到達しないというべきである。
　
　《理由》
　甲第５号証は、単に、（テレビのリモコンを用いて）テキスト・ラベルを入力すること、そのテキストラベルを同調されるべき特定のチャンネルに関連付けることをユーザが行うことを可能にすることを開示しているにすぎない。同調されるべきチャンネルは、そのラベルを入力したユーザによって選択されることが可能である。特定のチャンネルに同調するためにラベルが入力されると、同調システムが、そのラベルがメモリ内に存在するか否かをチェックする。入力されたラベルに一致するラベルがメモリ内に存在する場合には、同調システムは、その一致したラベルに対応するチャンネルに同調する。
　甲第４号証と同様に、甲第５号証に記載の「ラベル」も、要件２Ｂ、２Ｅ、５Ｂ、５Ｅの「ソース識別子」には対応しない。なぜなら、甲第５号証に記載の「ラベル」は、ラベルに対応するチャンネルを表すチャンネル識別子にすぎないからである。すなわち、甲第４号証と同様に、甲第５号証もまた、「各テレビジョン番組のための前記ソースデバイスの前記伝送方式を表す」ものとして定義されている「ソース識別子」を教示も示唆もしていない。
　それ故、仮に、甲第５号証の開示を用いて、甲第４号証に記載の発明を改変したとしても、その結果として得られるものは、せいぜい、甲第４号証に記載の「チャンネル識別子」を改変したものに到達するに留まり、要件２Ｂ、２Ｅ、５Ｂ、５Ｅの「ソース識別子」を必要とする本件特許発明２、５に到達することはできないというべきである。
　　
　−口頭審理陳述要領書（被請求人）−
　２．「ソースデバイス」
　要件２Ａ・５Ａでは、「各ソースデバイスは、複数のテレビチャンネルを伝送するように動作可能であり」と規定されていることから、この規定を満たし、かつ、”ソース”を構成する装置は、「ソースデバイス」であると解釈されるべきである。すなわち、”ソース”の源に配置される伝送源としての送信側の装置もまた「ソースデバイス」に該当すると解釈されるべきである。
　このような送信側の装置もまた「ソースデバイス」に該当することは、例えば、本件特許明細書（甲１）の第５頁第２５行〜第２６行の「ソース装置には、ＤＢＳ、ケーブル・ボックス、テレビジョン・チューナ等が含まれる。」という記載および本件特許明細書（甲１）の第３頁第４２行〜第４４行の「例えば、直接放送衛星システム（ＤＢＳ）では、衛星用ディッシュ・アンテナ及びセットトップ型の受信機を介して、テレビ番組及びテレビ番組スケジュール情報が提供される。」という記載によってサポートされている。
　これらの記載から、ＤＢＳの伝送源としてのソース装置からテレビ番組およびテレビスケジュール情報が送信されることによってこれらの情報が提供されることは明らかだからである。本件の図１Ａ・図１Ｂ・図１Ｃの「ケーブル・ボックス２６」および「ＩＲＤボックス４７」といった受信側の装置もまた「ソースデバイス」の一例であるが、「ソースデバイス」はこれらの受信側の装置に限定されない。
　「ケーブル」や「アンテナ」は、単に信号が伝送していく物であって、「複数のテレビチャンネルを伝送するように動作可能であり」とされているものではないから、「ソースデバイス」には該当しない。
　
　３．甲４における「番組選択」（要件２Ｄ・５Ｄ）の有無について
  甲４の(カ)「図２で示される・・・チャンネル選択は影響されない。」の「チャンネル選択」は、「番組選択」とは選択されるべき対象が異なるため、異なるものである。
　甲４の(キ)(ク)，図１〜図３の箇所に「番組選択」が記載されていたとしても（被請求人がこのことを自認するわけではないが）、そのような番組選択に応答して、その番組のソースデバイスを表すソース識別子をメモリから検索することが甲４のどこに記載されているのかは依然として不明なままである。
　
　４．各要件について
　甲４の「アンテナ２００及びケーブル入力部２０５」は、本件発明２・５の「２つのソースデバイス」に該当しないから、構成ａと要件２Ａ・５Ａは共通しない。
　甲４の「ケーブルチャンネル割当データ」は、本件発明２・５の「ソース識別子」に該当しないから、構成ｂと要件２Ｂ・５Ｂは共通しない。
　甲４の「アンテナ２００及びケーブル入力部２０５」は、本件発明の２・５の「２つのソースデバイス」に該当しないから、構成ｃと要件２Ｃ・５Ｃは共通しない。
　要件２Ｄ・５Ｄ、２Ｅ・５Ｅについて、請求人は、表示された番組リストから番組の利用者選択の受信「に応答」して「その番組の」ソース識別子をメモリから検索する点については、甲４に明示的な記載はないことを自認している（請求人の口頭陳述要領書の第４７頁）。しかし、この相違点のみが両発明の相違点ではない。なぜなら、上述したように、甲４の「ケーブルチャンネル割当データ」は、本件発明の「ソース識別子」に該当しないからである。この相違点もまた両発明の相違点である。
　請求人は、表示された番組リストから番組の利用者選択の受信「に応答」して「その番組の」ソース識別子をメモリから検索する点が甲４に明示的に記載されていない点について、甲４の記載の欠如を甲５によって補うことができると主張しているようである（請求人の口頭陳述要領書の第４９頁〜第５０頁）。しかし、被請求人は、請求人の主張を正確に理解することができない。少なくとも、番組選択に応答して、その番組のソースデバイスを表すソース識別子をメモリから検索することが甲５のどこに記載されていると請求人が主張しているのかが不明である。
　
［２.２］無効理由２（サポート要件違反）について
　本件特許明細書の発明の詳細な説明には、メモリから「ソース識別子」を読み取ることが記載されているところ、メモリから「ソース識別子」を読み取るためには、その前に「ソース識別子」がメモリのどこに格納されているかをさがし出すこと（すなわち、検索すること）が必要であることは技術常識であるからである（一般に、読み出されるべきデータがメモリ内のどこに格納されているかを特定することができなければ、そのデータをメモリから読み出すことができない）。
　このことは、請求人が主張する「検索する」の広辞苑（甲第６号証）による定義にも整合する。それ故、「ソース識別子」を検索することは、本件特許明細書の発明の詳細な説明に記載されている事項の範囲内であるというべきである。
　
［２.３］無効理由３（原文新規事項追加）の具体的要点
　本件特許の原文には、メモリから「ソース識別子」を読み取ることが記載されているところ、メモリから「ソース識別子」を読み取るためには、その前に「ソース識別子」がメモリのどこに格納されているかをさがし出すこと（すなわち、検索すること）が必要であることは技術常識であるからである（一般に、読み出されるべきデータがメモリ内のどこに格納されているかを特定することができなければ、そのデータをメモリから読み出すことができない）。
　このことは、請求人が主張する「検索する」の広辞苑（甲第６号証）による定義にも整合する。それ故、「ソース識別子」を検索することは、本件特許の原文に記載されている事項の範囲内であるというべきである。
　
　
［２.４］証拠方法 
　〈口頭審理陳述要領書〉
　乙第１号証　広辞苑第四版第一刷発行（１９９１年１１月１５日）
　　　　　　　（「伝送」を記載した部分）
　乙第２号証　デジタル大辞泉の解説（「伝送」を記載した部分），
　　　　　　　http://kotobank.jp/word/伝送
　乙第３号証　Modern Cable Television Technology　
　　　　　　　Video,Voice,and Data Communications，
　　　　　　　ｐ３４９−３５９，ｐ８０５−８０７，
　　　　　　　WALTER CICIORA,JAMES FARMER,DAVID LARGE著,      
　　　　　　　1999年，Morgan Kaufmann Publishers,Inc.San Francisco,
　　　　　　　California，
　　　　　　　 Rrinted in United States of America
　乙第３号証の抄訳（３５２頁３４行〜３５４頁１２行）
　乙第４号証　Cable TV Channel Frequencies，インターネットウェブ
　　　　　　　サイト
　　　　　　　http://www.jneuhaus.com/fccindex/cablech.htmlの印刷物
　乙第５号証　[Code of Federal Regulations],インターネットウェブ
　　　　　　　サイト
　　　　　　　http://frwebgate.access.gpo.gov/cgi-bin/get-cfr.cgi?
　　　　　　　TITLE=47PART=73SECTION=603TYPE=TEXT
　　　　　　　の印刷物
　
　
　
【第４】当審の判断
　
【第４-１】無効理由２（サポート要件違反、３６条６項１号）について
　
　ア　請求人の主張する無効理由２の要点は、前記【第３-１】［３-２］のとおりであって、本件発明２の要件２Ｅ、及び本件発明５の要件５Ｅの「前記ソース識別子を前記メモリから検索する」の「検索する」は、本件特許明細書の発明の詳細な説明に記載されていない、というものである。
　
　イ　一般的に「検索する」とは、（マイクロプロセサー等の装置により）データの中から特定のデータをさがし出すこと、をいうものと言えるところ、
　本件発明２の要件２Ｅ，及び本件発明５の要件５Ｅの「その番組のソースデバイスを表す前記ソース識別子を前記メモリから検索する」について、本件特許明細書の発明の詳細な説明の記載を検討するに、
　請求人が主張するとおり、本件特許明細書の発明の詳細な説明の記載には、ソース識別子を「検索する」または「さがし出す」との文言の明示の記載はない。
　しかしながら、
　同発明の詳細な説明の記載中、本件発明２の要件２Ｅ及び本件発明５の要件５Ｅの「その番組のソースデバイスを表す前記ソース識別子を前記メモリから検索する」の「
検索する
　下記「記ａ」の(ア)〜(エ)に示す記載であってそれ以外にはないこと、
　同記載のいずれもが、“
ソース識別子をメモリから「読み取る」”という技術事項
　は、当業者に明らかであり、
　また、そこに示される“
ソース識別子をメモリから「読み取る」”
　・メモリ３８内には、「その番組のソース識別子」ではない「ソース識別子」や「
テレビジョン・スケジュール情報
　・また、そのように読み取り動作をするため、メモリ３８における、上記「それら多数の情報」のうちの「その番組のソース識別子」の格納場所の以外の格納場所ではなく、「その番組のソース識別子」の格納場所を特定する動作が行われた上でなされる動作であることも明らかであることからすれば、
　そこに示される“
ソース識別子をメモリから「読み取る」”
　上記「それら多数の情報」の中から、求める特定のデータである「その番組のソース識別子」を
抽出して
読み取る
さがし出し』て「読み取る
　
　すなわち、上記要件２Ｅ及び５Ｅでいう「その番組のソースデバイスを表す前記ソース識別子を前記メモリから検索する」と記載したからといって、そこでいう「検索する」との技術事項は、『
さがし出し』て「読み取る
　
　ウ　まとめ（無効理由２：３６条第６項第１号（サポート要件違反））
　以上のとおりであるから、本件特許明細書の発明の詳細な説明の記載には、ソース識別子を「
検索
　請求項２及び請求項５の記載は、特許法第３６条第６項第１号「特許を受けようとする発明が発明の詳細な説明に記載したものであること」（サポート要件）の規定を満たさないとはいえない。　　
　
　したがって、本件発明２及び本件発明５に係る特許は、いずれも、特許法第３６条第６項第１号に規定する要件を満たしていない特許出願に対してなされたものであるから同法第１２３条第１項第４号に該当し無効とすべきものである、とすることはできない。
　
　　　　　記ａ（本件の発明の詳細な説明（甲１号証）、
　　　　　　　　　「検索」関連）
　(ア)「利用者が表示されたガイド内の表示チャンネルの１つに配置された
ショー
を選択すると、システムが該ショー
に関係したソース識別子を読み取る。
　(イ)「自動同調を開始するには、利用者が所定のチャンネルまたは
番組をステップ７０で選択する
次いで、コーディネータ２０は、ステップ７２でソース識別子を読み取り
　(ウ)「この例においては、ＩＲＤボックス２８が利用可能なチャンネル１００〜２００を有しており、該ボックスが、現在テレビジョン２２への入力ソースとなっている（図１Ｃ参照）。更にケーブルボックス２６はＩＲＤボックス２８への入力である（図１Ｃ参照）。利用者が、ステップ７０において、第２チャンネル５８上の
バットマン６０を選択する
コーディネータ２０は、選択された番組に関係したソース識別子を読み取り
　(エ)「図４に示したように、利用者がステップ９０において
ショウ番組を選択した後
コーディネータ２０は、ステップ７２（図３参照）で選択したショウ番組を提供するチャンネルと関係したソース識別子を読み取る
自動読み取り処理
 　
　　　　　記ｂ（本件の発明の詳細な説明の記載（甲１号証）、
　　　　　　　　　「メモリに格納」関連）
　(オ)「コーディネータ２０は、プロセッサ（ＣＰＵ）３６及び
メモリ（ＲＡＭ）３８
　(カ)「コーディネータ２０は、システム１０において利用できる
番組ガイド情報を探しかつ分類する
　（キ）「テレビジョン・スケジュール情報に、種々のフォーマットが使用できる。例えば、ヘッダ部分及び情報部分を備えたデータ・パケットを、他のより複雑なデータ・パケット・フォーマットを使用して受信することができる。好適な実施例では、コーディネータ２０が、利用可能なソース又はデータ入力線から
テレビジョン・スケジュール情報を受け取り、分類／混合する
利用できる
スケジュール情報を分類／混合する
受信したデータを該構造化フレームワーク内にセーブする。
、ポインタを使用して該構造の適切なレベルにデータをセーブする
別の構成では、
番組スケジュール情報の分類／混合
セーブすれば良い
コーディネータのメモリは少なくて済む。例えば、この後者の状況において、利用者が４時間の格子状の案内を見たいと思った時、４時間分の情報のみをＲＡＭ３８にセーブすればよいのである
　（ク）「どのソースからどのチャンネルが利用可能かを追跡するために、ソース識別子が各チャンネルに配置される。
ソース識別子の各々は、チャンネル・ガイド情報に含めても良く、あるいは、ソース識別子を、チャンネル・ガイド情報のオリジンに基づいて、システムにより追加するようにしても良い
コーディネータ２０は適切な識別子を受信したチャンネル・ガイド情報に付加する
　（ケ）「特定の番組に関連した追加の情報には、該番組の概要説明を含めるようにしても良い。例えば、連続ホームドラマに含まれる物語りの概要説明を提供するようにしても良い。この追加の情報を表示するには、
コーディネータ２０がＲＡＭ３８内の所望の情報にアクセスし、あるいは、異なるデータ入力に切り換えて、格子状ガイド５０内の適切な場所内の追加情報を表示すればよい。
　
【第４-２】無効理由３（原文新規事項追加、１２３条１項５号）について
　
　ア　請求人の主張する無効理由３は、前記【第３-１】［３-３］のとおりであって、本件発明２の要件２Ｅ、及び本件発明５の要件５Ｅの「前記ソース識別子を前記メモリから検索する」の「検索する」は、本件特許に係る外国語書面出願である国際出願（ＰＣＴ／ＵＳ９６／０４７３１）の外国語書面に記載されていない、というものである。
　
　イ　本件特許に係る出願は、外国語書面出願であるところ、その外国語書面｛国際出願（ＰＣＴ／ＵＳ９６／０４７３１）の外国語書面（以下、単に「外国語書面」という｝の記載事項は甲２号証（国際公開第９６／３３５７２号（ＷＯ９６／３３５７２））に示されるものである。その翻訳文は、上記国際公開に対応する、本件特許に係る公表特許公報である甲３号証（特表平１１−５０４１７１号公報）を採用することとする。
　
　甲２号証（国際公開）の１頁〜１５頁の記載事項｛「WHAT IS CLAIMED IS：」以降の１６頁〜２２頁を除く。その翻訳は、甲３号証の発明の詳細な説明に示される。｝についてみるに、
　同記載事項は、本件特許明細書の発明の詳細な説明と図面の簡単な説明の記載事項と実質的に同じである｛このうち、上記「記ａ」に対応する記載部分を下記「記ｃ」に摘示した。｝から、
　本件特許明細書の発明の詳細な説明中に記載された事項（上記の「記ａ」，「記ｂ」を含む）は、上記外国語書面にも記載されているということができる。
　
　そして、上記要件２Ｅ及び５Ｅでいう「検索する」との技術事項が、本件特許明細書の発明の詳細な説明に記載された技術事項を超えるものとはいえないことは、既に前記「【第４-１】無効理由２」に示したとおりであるところ、
　上記外国語書面にも、本件特許明細書の発明の詳細な説明に記載された技術事項が記載されているといえるのであるから、
　上記要件２Ｅ及び５Ｅでいう「検索する」との技術事項が、上記外国語書面のすべての記載を総合することにより導かれる技術的事項との関係においても、新たな技術的事項を導入しないものと言うことができる。
　
　ウ　まとめ（無効理由３：１２３条第１項第５号（原文新規事項追加））
　以上のとおりであるから、本件発明２及び本件発明５の
本件発明２の要件２Ｅ、及び本件発明５の要件５Ｅの「前記ソース識別子を前記メモリから検索する」の「検索する」は、本件特許に係る外国語書面出願である国際出願（ＰＣＴ／ＵＳ９６／０４７３１）の外国語書面に記載した事項の範囲内にない、とはいえない。
　
　したがって、本件発明２に係る特許は、請求項２に記載した事項が本件特許に係る外国語出願の外国語書面に記載した事項の範囲内にないから（平成１４年改正前特許法第１８４条の１８によって読み替えて適用される）特許法第１２３条第１項第５号に該当し無効とすべきものである、とすることはできない。
　同様に、本件発明５に係る特許は、請求項５に記載した事項が本件特許に係る外国語出願の外国語書面に記載した事項の範囲内にないから（平成１４年改正前特許法第１８４条の１８によって読み替えて適用される）特許法第１２３条第１項第５号に該当し無効とすべきものである、とすることはできない。
　
　　　　　記ｃ（甲第２号証；国際公開第９６／３３５７２号、
　　　　　　　　「検索」関連　）
　(ア)「When a user selects a show or channel located on one of the displayed channels within a displayed guide, the system reads the source identifier associated with that show or channel. 」（４頁２２行〜２５行）
　｛翻訳；「利用者が表示されたガイド内の表示チャンネルの１つに配置された
ショー
を選択すると、システムが該ショー
に関係したソース識別子を読み取る。
　(イ)「Fig. 3 is an exemplary process flow chart for automatic tuning. To begin automatic tuning, the user selects a certain channel or show at step 70. The selection may be made by, for example, scrolling a cursor to a desired show and striking the enter key, or entering a channel number using remote 32. Coordinator 20 then reads the source identifier at step 72 and determines if the present input to television 22 is the source associated with the source identifier (see step 74).」（１２頁７行〜１３行）
　｛翻訳；「自動同調を開始するには、利用者が所定のチャンネルまたは
番組をステップ７０で選択する
次いで、コーディネータ２０は、ステップ７２でソース識別子を読み取り
　(ウ)「Fig. 3, the following example is provided. In this example, IRD box 28 has channels 100-200 available and is presently the input source to television 22 (see Fig. lc) . Additionally, cable box 26 is an input to IRD box 28 (see Fig. lc) . A user selects BATMAN 60 on channel 2 58 at step 70. The selected show is available on a channel from cable box 26. Coordinator 20 reads the source identifier associated with the selected show and determines that channel 2 is from cable box 26 at step 72.」（１３頁６行〜１４行）
　｛翻訳；「この例においては、ＩＲＤボックス２８が利用可能なチャンネル１００〜２００を有しており、該ボックスが、現在テレビジョン２２への入力ソースとなっている（図１Ｃ参照）。更にケーブルボックス２６はＩＲＤボックス２８への入力である（図１Ｃ参照）。利用者が、ステップ７０において、第２チャンネル５８上の
バットマン６０を選択する
コーディネータ２０は、選択された番組に関係したソース識別子を読み取り
　(エ)「As set forth in Fig. 4, after the user selects a show at step 90, the coordinator checks to see if the beginning time for that show has passed (see step 92) . If the beginning time has not passed, coordinator 20 waits at step 94. When the correct time (the program's starting time) does occur, VCR 24 is turned on (see step 96) and coordinator 20 acts as though automatic tuning has occurred. Therefore coordinator 20 reads the source identifier associated with the channel providing the selected show at step 72 (see Fig. 3) . This transition between the process flow for automatic recording and the process flow for automatic tuning is indicated by B. 」（１４頁９行〜１９行）
　｛翻訳；「図４に示したように、利用者がステップ９０において
ショウ番組を選択した後
コーディネータ２０は、ステップ７２（図３参照）で選択したショウ番組を提供するチャンネルと関係したソース識別子を読み取る
自動読み取り処理
　
【第４-３】無効理由１（進歩性欠如、２９条第２項）について
　
　請求人の主張する無効理由１の要点は、本件発明２及び本件発明５は、甲４号証記載の発明（主引用発明）及び甲５号証記載の発明（従発明）に基づいて、当業者が容易に発明をすることができたものであるから、特許法２９条第２項の規定により特許を受けることができないというものであり、詳しくは、本件発明２・５と甲４号証記載の発明とは、要件２Ｅ・５Ｅでのみ相違するが、この相違は甲５号証から当業者が容易に克服し得た、というものである｛前記【第３-１】［２］（１）、［３-１］｝。
　
　以下、甲４号証，甲５号証などを、「甲４」、「甲５」などともいい、甲４号証記載の発明を「甲４発明」などともいう。
　
［１］本件発明２、５（分説）
　
　本件発明２、５（請求項２、５記載の発明）は、前記のとおり以下のように分説される。
　
　　　　　（本件発明２（分説）、再掲）
２Ａ　異なる伝送方式のための少なくとも２つのソースデバイスを用いる少
　　　なくとも２つのソースからの信号がテレビジョンの一つ以上の入力に
　　　よって受信されるシステムで使用する方法であって、各ソースデバイ
　　　スは、複数のテレビチャンネルを伝送するように動作可能であり、
　　　前記方法は、
２Ｂ　複数のテレビジョン番組の各テレビジョン番組について、前記少なく
　　　とも２つのソースデバイスから伝送されたテレビジョン番組のための
　　　テレビジョン番組情報を表すチャンネルガイド情報データと各テレビ
　　　ジョン番組のための前記ソースデバイスの前記伝送方式を表すソース
　　　識別子をメモリに格納するステップと、
２Ｃ　前記少なくとも２つの異なるソースデバイスから伝送される番組のた
　　　めの前記テレビジョン番組情報のリストをガイドフォーマットに同時
　　　に表示するステップと、
２Ｄ　前記表示された番組リストからの番組選択を利用者から受理するステ
　　　ップと、
２Ｅ　前記表示された番組リストから番組の利用者選択の受信に応答して、
　　　その番組のソースデバイスを表す前記ソース識別子を前記メモリから
　　　検索するステップと
　　　を備えている、方法。
　
　　　　　（本件発明５（分説）、再掲）
５Ａ　異なる伝送方式のための少なくとも２つのソースデバイスを用いる少
　　　なくとも２つのソースからの信号をテレビジョンの一つ以上の入力に
　　　よって受信するシステムであって、各ソースデバイスは、複数のテレ
　　　ビチャンネルを伝送するように動作可能であり、
　　　前記システムは、
５Ｂ　複数のテレビジョン番組の各テレビジョン番組について、前記少なく
　　　とも２つのソースデバイスから伝送されたテレビジョン番組のための
　　　テレビジョン番組情報を表すチャンネルガイド情報データと各テレビ
　　　ジョン番組のための前記ソースデバイスの前記伝送方式を表すソース
　　　識別子をメモリに格納する手段と、
５Ｃ　前記少なくとも２つの異なるソースデバイスから伝送される番組のた
　　　めのテレビジョン番組情報のリストをガイドフォーマットに同時に表
　　　示する手段と、
５Ｄ　前記表示された番組リストからの番組選択を利用者から受理する手段
　　　と、
５Ｅ　前記表示された番組リストから番組の利用者選択の受信に応答して、
　　　その番組のソースデバイスを表す前記ソース識別子を前記メモリから
　　　検索する手段と
　　　を備えている、システム。
　
［２］甲４，５号証の記載
　甲４，５号証には、以下の記載がある。なお、摘示した各記載事項に付した「(K1)」等の記号は、本審決で付した記号であり、請求人が摘示した箇所には「(ア)」等の記号を併記した。また注目する記載部分には下線を施した。
　
（１）
甲４号証（特表平６−５０４１６５号公報
　
　甲４号証には以下の記載がある。
　
　(K1)「請求の範囲
１．
テレビジョンスケジュールシステム
　異なったテレビジョン番組時間長に応じて、長さを変化させる不規則な
セルのアレーとして前記表示部へテレビジョンスケジュールを表示する
　前記表示部の前記
テレビジョンスケジュールヘカーソルを提供する
　等長のステップのシリーズのアレーで
前記カーソルを移動する目的で前記カーソルを提供する
テレビジョンスケジュールシステム
　
　(K2)「６９．
テレビジョンスケジュールシステム
　表示部と、
　前記
表示部へテレビジョンスケジュールを表示する
　スケジュールを表示するための前記手段は、スケジュール情報の表示のため、希望チャンネルの第一の数をユーザーが選択できるように構成可能であり、前記第一の数が、利用可能チャンネルの第二の数より少なく、
　スケジュールを表示するための前記手段へ接続されているプログラマブルチューナと、
　
チャンネルアップあるいはチャンネルダウンコマンドに応答して前記表示部へ前記テレビジョンスケジュールが表示されるとき、前記希望チャンネルの第一の数を追尾するように前記プログラマブルチューナは構成され、かつチャンネルアップあるいはチャンネルダウンコマンドに応答して前記表示部に前記テレビジョンスケジュールが存在しない場合は、前記利用可能なチャンネルの第二の数を追尾するように前記プログラマブルチューナは構成されている
テレビジョンスケジュールシステム
　
　(K3)「１．発明の分野
本発明は、一般に、テレビジョン視聴者がスクリーン上のテレビジョンのプログラムリストにアクセスし、ビデオカセットレコーダー（ＶＣＲ）またはその他の記録装置を容易かつ便利な方法で制御するために番組リストの使用を可能とするシステムおよび方法に関する。更に、本発明は、容易な呼び出しおよび再生のため、タイトルによって記録番組のディレクトリを作成するシステムおよび方法に関する。より具体的には、
ＶＣＲまたは他の記録装置が、将来の日付と時間の記録についても、番組のタイトルの簡単な選択および記録コマンドによって制御されるシステムおよび方法に関する
直感的なユーザーインタフェースを備えたシステム及び方法
　
　(K4)「印刷された
グリッドテレビジョンスケジュールガイド
テレビジョン表示部のサイズ及び解像度がグリッドに表示されるテキストの量を制限する。テレビジョン表示部の制限の範囲内にてユーザーに容易に理解されるやり方で最大の情報を伝えるためには、改良した技術が要求される
　
　(K5)「発明の要約
　従って、発明の目的は、テレビジョンスケジュール情報の特定の性質を補償するように構成されたユーザーインターフェースを有するテレビジョンスケジュールシステム及び方法を提供することにある。
　　　・・・（中略）・・・
　本発明の目的は、更に、スケジュール情報がテレビジョン表示部の解像度制限を補償するようなフォーマットにて表示されるようなユーザーインタフェースを提供することにある。
　　　・・・（中略）・・・
　本発明の目的は、更に、
スケジュール情報の提示順序がユーザーの好みに合わせて変更可能なユーザーインタフェースを提供する
　
　(K6)「本発明の他の特徴は、
ビデオ記録装置のコントロールシステムがビデオ記録装置の開始及び停止のため、記録媒体上にビデオ情報を記録する
表示発生器は、表示イメージ発生信号を提供する。ビデオ記録装置の操作に関連する表示イメージの発生のために表示発生器へ情報を提供するための手段が存在する
　
　(K7)「本発明の他の特徴は、テレビジョンスケジュールシステムが表示部を含み、表示部上にテレビジョンスケジュールを表示するために表示部に接続される手段があることである。スケジュールを表示するための手段は、スケジュール情報の表れは利用可能な第二のチャンネル数より少ない。
プログラマブルチューナが、スケジュールを表示するための手段へ接続されている。プログラマブルチューナは、チャンネルアップコマンドまたはチャンネルダウンコマンドに応答して表示部にテレビジョンスケジュールが示されるとき、第一の希望チャンネル数に従うように構成される。プログラマブルチューナは、チャンネルアップコマンドまたはチャンネルダウンコマンドに応答して表示部にテレビジョンスケジュールがない場合、第二の利用可能なチャンネル数に従うように構成される
　
　(K8)「発明の詳細な説明
　図を参照して、特に図１−７を参照すると、本発明のシステムの動作に使用され、本発明による方法を実行している一連のメニュースクリーン１０、１２、１４、１６、１８、２０及び２２が示されている。スクリーン１０、１２、１４、１８及び２０の各々は、不規則な
セル２６
番組リスト
番組リスト
セル２６
　　　・・・（中略）・・・　
　即ち、カーソルが半時間のステップで移動し、セル長が例えば４時間とすると、カーソルは１／２時間の長さとするか、４時間の長さとするか？　カーソルが基礎セル（１／２時間）の間隔だけ広がっているとすると、カーソルは、セルのセグメントをハイライトするように現われ、これは誤解をもたらす。反対に、カーソルが、
ＴＶリスト
　　　・・・（中略）・・・　
　グリッド連続アイコン３８が図１に示される。印刷グリッドテレビジョンスケジュールガイドは、しばしば番組が連続していることを示すため（”続く”といった）括弧で括ったコメントを含む。
ＴＶスクリーンに表示される電子ガイドでは、テキストスペースに対する制限故に、これらの括弧付きコメントは、除外される。スペースを節約するため、アイコン３８が、セル２６の連続性を示すために用いられる。次のスクリーンへ連続しているセル２６の境界では
　
　(K9)「図２及び図３は、記録状態の表示である。一つの番組が記録のため選択されていると、その
リストセル２６
　
　(K10)「図６は、番組ノートオーバレイ５２を有すテレビジョンスケジュールグリッドスクリーン２０を示す。ＴＶ表示部のテキストスペースの制限により、可能な限り
ＴＶリスト
　○　番組ジャンル
　○　番組紹介
　　・・・（中略）・・・
　選択した番組の番組ノートは、要求に応じてグリッドガイド上に重ねて表示される。
番組ノートは、選択コマンドを利用してスイッチオン・オフすることが可能である
　
　(K11)(ア)「
図１−３及び図５−６は、テレビジョンスケジュールグリッド２４のチャンネルコラム５４を示す。好きな局及びケーブルチャンネルは、個人の好みに合わせたグリッドガイドを作成するため、一緒にリストされる。大半の印刷ＴＶガイドと異なって、チャンネルコラム５４は、オーバジエア放送の局名とケーブルサービスの局名が混合している。
　
　(K12)「
グリッド２４ガイドを見る場合は、チューナアップ／ダウンチャンネルコマンドは、スクリーン上のチャンネル及びリストアップされた順で位置付けられる
ガイドを見ない場合は、チューナ手順は、通常の番号順に返る。ページの最後のチャンネルに行き着くと、次のチューナコマンドがチャンネルを次のページの最初にリストアップされているチャンネルとする。
チューナが同調するチャンネルがグリッド２４に表示されると、５６で示されるように、そのチャンネルはハイライトされる。
　ハイライトはいつ再起動されるか？新ページに一旦入ると、第一チャンネルアップ／ダウンコマンドは、チューナを自動的に、新ページの最後または最初の行３０にリストアップされているチャンネルへ移動するように作動する。チューナのチャンネルは、新ページに現在配置されているので、現在のチャンネルは、再びハイライトされる。
　ページが選択された後、チャンネルハイライトが抑圧されていない場合は、定義により、チューナは、ハイライトされたチャンネルを追尾するように変化しなければならない。不用意なページ変更がチャンネル変更をもたらさないためには、これは望ましくない。」（８頁右上欄１５行〜８頁左下欄８行）
　
　(K13)(イ)「図２で示されるように、ガイドが初めて開かれたとき、カーソル３２及び現在のチャンネル５６は、グリッド２４の同じ行に配置される。チャンネル５６が変更されると、カーソル３２は、チャンネルと共に誘引されることが望ましい。これを実現するには、
カーソル３２は、選択コマンド（番組ノートを呼び出すための）に備えるか、記録コマンドに備えるかする
　
　(K14)「図７は、グリッド２４とリスト５８との間でスイッチ選択するためのテープ内容確認コマンドをユーザーにさせることで発生する、単一チャンネルの番組リスト５８のスクリーン２２を示す。リスト５８は、そのチャンネルの一連の番組リストの行６０とチャンネル情報フィールド６２を含む。番組ノートは、グリッド２４に関して図６で示されたと同様な方法でリスト５８上に重ねられる。
　ＴＶ内容確認コマンドは、グリッドガイド２４と次のチャンネル確認行ガイド５８との間で交互に選択される。グリッドガイド２４を見ている間は、次のＴＶ内容確認コマンドは、グリッド２４を単一チャンネル行ガイド５８で置き換える。図８は、ＴＶ内容確認コマンドのフローチャートである。
　二つのガイド２４と５８との間のページ関係は、緊密に組み合わされている。単一のチャンネルガイドは、グリッド２４上のカーソル３２により選択されたチャンネルとスケジュール時間とに対して開かれる。単一チャンネルガイド５８を見ている間は、アップ／ダウンチャンネルコマンドは、リストアップされているチャンネルを変更するために使用される。単一のチャンネルガイド５８が存在し、グリッドガイド２４に返るとき、グリッドカーソル３２は、単一チャンネルガイド５８で選択されたチャンネルとスケジュール時間とを指し示すようになっている。」（８頁左下欄１８行〜同頁右下欄５行）
　
　(K15)「図２０は、チャンネルカスタム化スクリーン１１６を示す。スクリーン１１６により、ユーザーは、チャンネルを興味に合わせカスタム化でき、リストをコンパクトにでき、アップダウン走査中の必要のないチャンネルを除去できる。スケジュール更新中に、加入者ケーブルシステム（またはオーバジエア加入者のための放送局）で利用可能な全てのケーブルチャンネルのリストがＶＣＲに入力される。このチャンネルの完全な省略のないセットは、スクリーン１１６を使用してカスタム化できる。
　チャンネルカスタム化スクリーン１１６は、二つのフィールドを有し、三つのコラムを有すフィールド１１８は、３６までのチャンネルを省略することなしにリストアップし、単一のコラムを有すフィールド１２０は、１２の好きなマイ（ＭＹ）チャンネルをリストアップする。
後者は、オープニンググリッドガイドのチャンネル記述子コラム１２２（図１）の複製である
チャンネル番号及び番組サービス名（例えば、ＨＢＯやＫＴＶＵ局２）
オン、セル１２４は、薄緑のバックグラウンドで、いかなるカスタム化も実行されていないディフォールト状態である。マイ（ＭＹ）、単一コラムフィールド１２０に好きなチャンネルがリストアップされ、三コラムフィールド１１８は青のバックグラウンドで表示される。オフ、全ガイドから抹消されたチャンネル、チャンネルアップ／ダウン中のチャンネル（テンキーチャンネルパッドを用いてまだアクセス可能である）。オフセルは、灰色のバックグラウンドである。
　初めての装備のとき、システムは、初めの１２（番号順にリストアップ）チャンネルをＭＹ好きなチャンネルとして割り当てる。チャンネル状態は、チャンネルを変更することで変更でき、選択キーを使用してマイ、オン及びオフの状態を選択できる。
　１２の好きなチャンネルが許されるだけなので、ユーザーは、既存の好きなチャンネルの状態をオフ又はオンとすることで好きなチャンネルを除去できる。これがなされると、第一コラムは、自動的に次のＭＹ選択のためのスペースを開けることになる。新規のＭＹが選択されるとＭＹコラム１２０は、自動的に新規選択をあらかじめ決められた順で挿入する。ＭＹ好きなチャンネルコラム１２０にリストアップされる順は、以下のようになる：
　
全ての好きな放送局がまず番号順にリストアップされる。次に、全てのケーブルサービスがアルファベット順にリストアップされる
　
　(K16)「
図２１は、スケジュールシステムのリモートコントローラー用のフロントパネル１３０を示す
チャンネルアップ／ダウンキー１３６
ＴＶ内容確認キー１４２
選択／ゴーツウキー１５４
左、右、アップ、ダウンおよびカーソルキー１５６
　
　(K17)「図２２Ａ及び２２Ｂは、テレビジョンスケジュールシステム／テープコントローラー１８０及び１８２のブロックダイヤグラムであり、ここでユーザーインタフェースが使用される。スケジュールシステム／コントローラー１８０は、既存のテレビジョン装置に応用でき、そこでは基本的なテレビジョン装置からスケジュールシステムは切り離される。
プログラマブルチューナ２０２は、ケーブルデコーダの部分として示されている
スケジュールシステム／コントローラー１８２は、図示のようにＶＣＲ２１１へ組み込まれている。このバージョンでは、ケーブルデコーダは、必要ではなく、チューナ２０７は、ＶＣＲ２１１の部分を構成している
　
　(K18)(ウ)「
システム１８０では、ケーブルデコーダユニットの部分を構成するプログラマブルチューナは、ＴＶ信号をアンテナ２００及びケーブル入力部２０５またはいずれかより受信する。チューナ出力２１６は、字幕デコーダあるいは高速テレテキストデコーダである垂直ブランキングインターバル（ＶＢＩ）デコーダ２２２に向かう。リスト情報やケーブルチャンネル割当データといった他の支持情報が、一つかそれ以上のローカル局またはケーブルチャンネルにより一日数回または連続的にＶＢＩへ送信される
　
　(K19)(エ)「更新が必要な場合、
プログラマブルチューナ２０２は、データを伝送する局またはケーブルチャンネルへ自動的に同調する。ＶＢＩ信号がＣＰＵ２２８によって処理された後、リストデータは、スケジュールメモリ２３２へ記憶される一方、ケーブルチャンネル割当データは、ケーブル指定のＲＡＭメモリ２３８へ記憶される。このデータは、ＨＢＯといった一般的なＴＶソース名を特定のケーブルシステムのチャンネル割当へ変換する
　
　(K20)(オ)「
ＴＶ内容確認要求に関して、スケジュールメモリ２３２に記憶されているリストが呼び出され、ＣＰＵ２２８で処理され、ビデオ表示発生器２２４へ出力される
　
　(K21)(カ)「
番組を時間シフトして記録する要求がなされた場合、番組のタイトル及びその記録パラメータ（チャンネル、開始時間及び長さ）は、スケジュールメモリ２３２から記録メモＲＡＭメモリ２３６へコピーされる。システムクロック２３０が、スケジュール時間と一致すると、ＣＰＵ２２８は、チャンネルコマンドをケーブルデコーダ２０２のプログラマブルチューナへ、パワーオン及び記録コマンドをＶＣＲ２０６へ、これら両装置の赤外線入力ポートに向けられている赤外線リモートドライバ２１４によって、転送する。ＶＣＲに組み込まれたバージョン１８２では、チューナ２０７へのコマンドは、ケーブルバス２６４によりなされる
　
　(K22)(キ)「
オンスクリーンスケジュールからタイトルを選択することでなされるプログラム
リモートコントローラー２１２でプログラムすることもまた可能である。このモードでは、プログラム情報は、リモートコントローラー２１２に入力され、必要なときに、リモートコントローラー２１２は、適当なＴＶ装置へプログラム情報を伝送する
ＶＣＲまたはケーブルデコーダに同調させるためにＣＰＵに名前を特定のチャンネルに変換させている。これは、ＣＰＵ２２８及びリモートコントローラー２１２中のケーブル指定ＲＡＭ２３８を備えることによって実現している
　
　(K23)「リモートコントローラー２１２及び赤外線リモートドライバ２１４は、ケーブルデコーダ２０２及びＶＣＲ２０６によって要求される赤外線コマンド命令をエミュレートすることが可能である。
リモートドライバ２１４のためのコマンドエミュレーションコードはケーブルデコーダＩＦＲコードＲＡＭ／ＲＯＭメモリ２３９に記憶される。よく普及しているケーブルデコーダ及びＶＣＲのコマンドは、ＲＯＭにプリプログラムされている
　図２２に示されるように、ＶＣＲ２０６及びケーブルデコーダ２０２は、リモートコントローラー２１２により手動で制御することができ、また赤外線リモートドライバ２１４により自動で制御することも可能である。」（１１頁右上欄２２行〜同頁左下欄５行）
　
　(K24)「システム１８２では、スケジュール／テープコントローラー２２０は、ＶＣＲ２１１へ埋め込まれている。ＶＣＲテープ機構２５２は、プログラマブルチューナ２０７を除くビデオレコーダの全ての記録及び再生の電子回路を含む。」（１１頁左下欄１７行〜同欄左下欄１９行）
　
　(ク)図２２Ａには、システム１８０の構成が示されている。
  
　(ケ)図１〜図３、図５及び図６には、テレビジョンスケジュールグリッド２４の一番左の列にチャンネルコラムが示されており、オーバジエア放送の局番号（２、４、５、７、９、１３、４４）とケーブルサービスの局名（Ａ＆Ｅ、ＣＮＮ、ＤＩＳ、ＬＩＦ、ＴＮＴ）とが同時に表示されていることが示されている（図１〜図３、図５、図６）。
　
（２）
甲５号証（特開平３−６２７１９号公報
　
　甲５号証には以下の記載がある。
　
　(サ)「アメリカ合衆国には、少くとも３つの大きな放送ネツトワーク（たとえば、ＡＢＣ、ＮＢＣおよびＣＢＣ）と共に多数の有線（ケーブル）サービス・ネツトワーク（たとえば、ＨＢＯ、ＥＳＰＮ・Ｃｉｎｅｍａｘ、等）があり、それぞれ全国規模で放送テレビジヨン・プログラムを供給している。多くの視聴者は、それぞれ好みのテレビジヨン・プログラムについてそれを放送しているネツトワークを通じて楽しもうとしている。そこで生ずる共通の問題は、利用できるチヤンネルの数が非常に多くて、視聴者にとつてはどのチヤンネル番号がどのネツトワークに対応しているか憶えきれないことである。たとえば、米国のある地方では視聴者は４０チヤンネルもの多数の局にアクセスせねばならない。従つて、広く普及している方法であるとはいえこの様な場合チヤンネル番号によつて選局することは、好ましいことではない。」（２頁右上欄３行〜左下欄１４行）
　
　(シ)「テレビジヨン製造業者は、視聴者がネツトワークの名称によつてチヤンネルを選択できるような、手持ち遠隔制御ユニツトを提供することが望まれている。」（３頁右上欄９行〜１２行）
　
　(ス)「この発明によれば、使用者がテキスト・ラベルを入力させ、またそのラベルに同調させるべき特定チヤンネルを関連づけることのできる同調システムが提供される。その後、使用者がそのラベルを入力することによつて同調すべきチヤンネルを選択することができる。この同調システム制御器は、ラベル・メモリ領域にラベルをアルフアベツト順に記憶させて、チヤンネル変更に要する全時間が不要に長くならないようにするため、チヤンネル変更に伴なうラベル・サーチ時間を最小にする。」（３頁右下欄９行〜１８行）
　
　(セ)「このラベルは放送局のコールサインを表わすものでなければならぬ訳ではなく、文字、数または句読点を表わす１個乃至４個の任意の文字より成る如何なる英数字ラベルとすることもできる。従つて、使用者は、所望のチヤンネルを選局するに当つてその助けとなる任意の便利なラベルを入力することができる。」（５頁右下欄１行〜７行）
　
　(ソ)「プログラムは使用者がラベルの入力を完了したものと理解して、そのラベルがメモリ１２０中に在るかどうかを知るためのサーチを開始する（ステツプ４６０）。・・・ラベルがステツプ４６０中で見付かればこのラベルに相当するチヤンネルに同調する（ステツプ４７０）。」（６頁右下欄６行〜１４行）
　
　(タ)「上述のようなラベルによる同調システムにおいて、特定ラベルとの整合のためにメモリをサーチする」（７頁左上欄１３行〜１５行）
　
［３］甲４発明
　
　甲４号証には、番組のタイトルの簡単な選択および記録コマンドによって制御される、直感的なユーザーインタフェースを備えた「
テレビジョンスケジュールシステムおよび方法
　甲４号証に記載された発明（甲４発明）として、本件発明２，５に関連するもの、特に、「番組のための前記テレビジョン番組情報のリストをガイドフォーマットに同時に表示する」（要件２Ｃ・５Ｃ）、「前記表示された番組リストからの番組選択を利用者から受理する」（要件２Ｄ・５Ｄ）に関連する事項を含むものを認定する。
　なお、以下の「（→甲４発明のＮ）」等の記述「Ｎ」は、後記する甲４発明の対応する構成部分に付した記号を意味するものである。
　
　（１）甲４記載の「
テレビジョンスケジュールシステムおよび方法
　
　ア　グリッドガイド、表示されるグリッドガイド２４
　
　ア-１　チャンネルと時間のグリッドガイド
　「
テレビジョンスケジュールシステムおよび方法
　ＴＶスクリーン上に、ユーザーインタフェースとして、図１〜３に示されるＴＶグリッドガイド２４（テレビジョンスケジュールグリッドガイド）を表示するところ、
　前掲(K8)の「
アイコン３８が、セル２６の連続性を示すために用いられる。次のスクリーンへ連続しているセル２６の境界では
ページの最後のチャンネルに行き着くと、次のチューナコマンドがチャンネルを次のページの最初にリストアップされているチャンネルとする。
　ガイドには、画面に表示されたガイド２４に続く次ぺージも存在することは明らかであり、従って、ＴＶグリッドガイドは、その一部が、ＴＶスクリーン上に表示されている（図１に示されるグリッドガイド２４）ものであり、
　各チャンネルに対応する各行
　　（最上行は各時間帯を案内する行であって、各列に表示されるセルの
　　　時間帯が、その列位置で示されることを案内する行）と、
　各時間帯に対応する各列
　　（最左列は各チャンネルを案内する列であって、各行に表示されるセル
　　　のチャンネルが、その行位置で示されることを案内する列）
　で区画された各セルが、各番組リスト（各番組項目）に対応するように各番組リスト（各番組項目）のスケジュールを示す、
　チャンネルと時間のグリッドガイドであって、
　各番組リスト（各番組項目）は、該当セルにそのタイトルが表示され、そのチャンネルが該当セルの行位置で、その時間帯が該当セルの列位置で示されるように構成されたグリッドガイドである。（→甲４発明のＵ２）
　
　ここで、「図２・図３は、記録状態の表示である」｛(K9)｝。
　また、甲４における上記「番組リスト」が、番組のコンテンツを指し示していう「番組項目」のことを意味することは、前掲(K8)〜(K10)の「
番組リスト
ＴＶリスト
リストセル２６
　この点、少なくとも
複数の番組情報
　（要件２Ｃ・５Ｃの「２つの異なるソースデバイスから伝送される番組のための前記テレビジョン番組情報のリスト」、要件２Ｄ・５Ｄの「前記表示された番組リストからの番組選択」、要件２Ｅ・５Ｅの「前記表示された番組リストから番組の利用者選択」でいう「リスト」）
　とは異なる。｛この点は、本件発明と甲４発明の対比｛［４-１］（３-２）要件５Ｃ（対比）でも後述する。｝
　
　ア-２　オーバジエア放送の局名とケーブルサービスの局名の混在
　
前記(K11)「好きな局及びケーブルチャンネルは、個人の好みに合わせたグリッドガイドを作成するため、一緒にリストされる。大半の印刷ＴＶガイドと異なって、チャンネルコラム５４は、オーバジエア放送の局名とケーブルサービスの局名が混合している。グリッド２４ガイドは、局番号、ケーブル名の好きな組み合わせによってチャンネルをリストしていて、通常の番号順ではリストアップされていない。」
　グリッドガイド２４は、各時間帯を案内する最上行に続いて、ユーザの好きなチャンネルの行だけが、
オーバジエア放送の局
　
　イ　システムの構成
　
　イ-１　全体
　当該ユーザーインタフェースが使用される「
テレビジョンスケジュールシステム
システム１８０
システム１８０
　
プログラマブルチューナ
　スケジュール／テープコントローラー２２０（図２２Ａ）、
　リモートコントローラー２１２（図２１、図２２Ａ）、
　ＶＣＲ２０６、ＴＶ／モニター２１０、赤外線リモートドライバ２１４
　を備えている。（→甲４発明のＰ，Ｑ，Ｒ，Ｓ）
　
　イ-２　リモートコントローラー（図２１）
　
システム１８０の
　上半分の「テレビジョンセット及びＶＣＲ用の従来のリモートコントローラーに対応する」部分に、「チャンネルアップ／ダウンキー１３６」を備え、
　下半分の「スケジュールシステムに固有のコントロールキーを含む」部分に、「ＴＶ内容確認キー１４２」、「記録メモキー１４６、記録キー１４８」、「選択／ゴーツウキー１５４、左、右、アップ、ダウンおよびカーソルキー１５６」を備えている。｛(K16)｝（→甲４発明のＲ）
　
　イ-３　
プログラマブルチューナ
　「プログラマブルチューナ２０２」は、「ケーブルデコーダユニットの部分として」「構成」されているものである。（→甲４発明のＰ）
　
　ウ　システムの動作
　ウ-１　
リスト情報
リストデータ
ケーブルチャンネル割当データ
　
　「プログラマブルチューナ２０２」は、（上記の通り、「ケーブルデコーダユニットの部分として」「構成」されているものであって）「ＴＶ信号をアンテナ２００及びケーブル入力部２０５またはいずれかより受信する。」｛(K18)｝
  「
リスト情報
ケーブルチャンネル割当データ
　「更新が必要な場合、プログラマブルチューナ２０２は、データを伝送する局またはケーブルチャンネルへ自動的に同調する。」｛(K19)｝
　
　「ＶＢＩの
リスト情報
ケーブルチャンネル割当データ
　「ＣＰＵ２２８によって処理され」た後、「
リストデータ
ケーブルチャンネル割当データ
　この「
リストデータ
リスト情報
　
　ウ-２　ＴＶ視聴、グリッドガイド２４の表示
　前掲(K19)(K20)(K14)，図７，図８によれば、ＴＶ視聴中（図８）、リモートコントローラーの「ＴＶ内容確認キー１４２」により発せられる「ＴＶ内容確認コマンド」｛(K14)｝により「ＴＶ内容確認要求」がなされると、「
スケジュールメモリ２３２に記憶されているリスト
　上記「
スケジュールメモリ２３２に記憶されているリスト
リスト情報
　また、図２２Ａのブロック図を踏まえれば、ＴＶ視聴は、ビデオスイッチャー２２６が
プログラマブルチューナ
　
　したがって、
　
プログラマブルチューナ
　ＴＶ視聴は、ＴＶ／モニター２１０でその外部入力が選択されているときに、ビデオスイッチャー２２６が
プログラマブルチューナ
　ＴＶ視聴中、リモートコントローラーの「ＴＶ内容確認キー１４２」により発せられる「ＴＶ内容確認コマンド」｛(K14)｝により「ＴＶ内容確認要求」がなされると、「スケジュールメモリ２３２に記憶されている」
リスト情報
　
　ウ-３　グリッドガイド２４が表示されている状態でのコマンド受付と動作
　(i)「ＴＶ内容確認コマンド」
　前掲(K14)，図７，図８によれば、
グリッドガイド２４が表示されている状態で、カーソルを特定の「番組リスト」に位置させ、「ＴＶ内容確認コマンド」
が発せられると、グリッドガイド２４の表示から、当該特定の「番組リスト」を含む「単一チャンネル行ガイド５８」への表示に遷移し、さらに、その状態で、「ＴＶ内容確認コマンド」が発せられると、グリッドガイド２４の表示に戻る。
　
　(ii)「選択コマンド」
　前掲(K10)，図６，「カーソル３２は、
選択コマンド
グリッドガイド２４が表示されている状態で、カーソルを特定の「番組リスト」に位置させ、「選択コマンド」
が発せられると、グリッドガイド２４に「番組ノート５２」を重ねるように表示し、再度、「選択コマンド」が発せられると、「番組ノート５２」が消えて元のグリッドガイド２４の表示に戻る
　
 　(iii) 「記録コマンド」
　前掲(K22)によれば、「
番組を時間シフトして記録
　「
オンスクリーンスケジュールからタイトルを選択
プログラム
前者
リモートコントローラー２１２でプログラムする
後者
　
前者
　「
番組を時間シフトして記録する要求がなされた場合、番組のタイトル及びその記録パラメータ（チャンネル、開始時間及び長さ）は、スケジュールメモリ２３２から記録メモＲＡＭメモリ２３６へコピーされる。システムクロック２３０が、スケジュール時間と一致すると、ＣＰＵ２２８は、チャンネルコマンドをケーブルデコーダ２０２のプログラマブルチューナへ、パワーオン及び記録コマンドをＶＣＲ２０６へ、これら両装置の赤外線入力ポートに向けられている赤外線リモートドライバ２１４によって、転送する」
(K21)
　「ＶＣＲまたは他の記録装置が、将来の日付と時間の記録についても、番組のタイトルの簡単な選択および
記録コマンド
記録コマンド
　グリッドガイド２４が表示されている状態で、カーソルを特定の「番組リスト」に位置させ、「記録コマンド」（リモートコントローラーの「記録キー１４８」に対応すると考え得る。）が発せられると、その
番組
の
タイトル
及び
チャンネル
、
開始時間及び長さ
記録メモＲＡＭメモリ２３６へコピーされ
システムクロック２３０が、
開始時間
と一致すると、
ＣＰＵ２２８は、
チャンネル」に同調させるためのコマンドをケーブルデコーダ２０２のプログラマブルチューナへ転送
パワーオ
　ここで、その「番組リスト」が放送される「
チャンネル」に同調させるためのコマンド
プログラマブルチューナ
プログラマブルチューナがどの局に同調すべきか
プログラマブルチューナ
同調チャンネル識別子を含んでいる
　また、「図２・図３は、記録状態の表示である」｛(K9)｝から、このとき表示されているグリッドガイド２４は、図１のものである。
　
　
後者
リモートコントローラー２１２でプログラムする
  「
このモードでは、プログラム情報は、リモートコントローラー２１２に入力され、必要なときに、リモートコントローラー２１２は、適当なＴＶ装置へプログラム情報を伝送する
　
リモートコントローラー２１２
ＶＣＲ
ケーブルデコーダ
プログラマブルチューナ
に同調させるため
　また、前記(K22)「プログラム機能を有す多くのユニバーサルリモートコントローラーがあるが、その一方で、ユーザーが局名及びケーブルチャンネル名といった総称を入力できるものは存在せず、
ＶＣＲまたはケーブルデコーダに同調させるためにＣＰＵに名前を特定のチャンネルに変換させている。これは、ＣＰＵ２２８及びリモートコントローラー２１２中のケーブル指定ＲＡＭ２３８を備えることによって実現している
ＣＰＵ２２８及び
リモートコントローラー２１２
スケジュール／テープコントローラー２２０
　局名及びケーブルチャンネル名を入力した場合には、ＣＰＵ２２８及び
ケーブル指定ＲＡＭ２３８
ケーブルチャンネル割当データ
変換されたケーブルシステムのチャンネル割当
同調させるため
ケーブルデコーダ
プログラマブルチューナ
　
　そして、このことを踏まえて、「オンスクリーンスケジュール」、すなわちグリッドガイド２４を用いた予約録画である前者の場合において、カーソルを、グリッドガイド２４のケーブルサービス名（ケーブルチャンネル名）の行の「番組リスト」に位置させた状態で「記録コマンド」が発せられた場合の「
番組のタイトル及びその記録パラメータ
スケジュールメモリ２３２から記録メモＲＡＭメモリ２３６へ
　
記録メモＲＡＭメモリ２３６
ケーブル指定ＲＡＭ２３８
ケーブルシステムのチャンネル割当
　
システムクロック２３０が、
開始時間
と一致
ＣＰＵ２２８は、
ケーブルシステムのチャンネル割当」に同調させるためのコマンドをケーブルデコーダ２０２のプログラマブルチューナへ転送し
パワーオ
　ここでも、その「番組リスト」が放送される「
ケーブルシステムのチャンネル割り当て」に同調させるためのコマンド
プログラマブルチューナ
プログラマブルチューナがどの局に同調すべきかをプログラマブルチューナ
同調チャンネル識別子（ケーブルシステムのチャンネル割り当て
記録メモＲＡＭメモリ２３６
プログラマブルチューナがどの局に同調すべきかをプログラマブルチューナ
同調チャンネル識別子（ケーブルシステムのチャンネル割り当て
を含んで
プログラマブルチューナ
　
　したがって、グリッドガイド２４を用いた予約録画（
前者
　グリッドガイド２４が表示されている状態で、カーソルを、特定の「番組リスト」に位置させて「記録コマンド」（リモートコントローラーの「記録キー１４８」に対応すると考え得る。）を発せられると、
　当該「番組リスト」が
オーバジエア放送の局
番組
　・その「
タイトル
　・その「番組リスト」が放送される「
チャンネル
　・その「番組リスト」の放送「
開始時間及び長さ
　が
記録メモＲＡＭメモリ２３６へコピーされ
　
システムクロック２３０が、
開始時間
と一致すると、
記録メモＲＡＭメモリ２３６
　が読み出され、
　「ケーブルサービス名」のままで記憶されていた場合は、「ケーブルシステムのチャンネル割当」に変換し、
　
ＣＰＵ２２８は、
プログラマブルチューナ
プログラマブルチューナ
同調チャンネル識別子
を
ケーブルデコーダ２０２のプログラマブルチューナへ
パワーオ
　
　(iv)「
チャンネルアップ
チャンネルダウンコマンド
　前掲(K2)(K7)(K12)によれば、
グリッドガイド２４が表示されている状態で、
チャンネルアップ
チャンネルダウンコマンド
グリッドガイド２４
オーバジエア放送の局とケーブルサービスの局
ケーブルデコーダ２０２のプログラマブルチューナ
　このとき、
チャンネルアップ
チャンネルダウンコマンド
オーバジエア放送の局
プログラマブルチューナ
　
プログラマブルチューナ
プログラマブルチューナ
同調チャンネル識別子
ケーブルデコーダ２０２のプログラマブルチューナへ
　もっとも、
チャンネルアップ
チャンネルダウンコマンド
　
（２）甲４発明
　
　本件発明５は「システム」の発明、本件発明２は「システムを使用する方法」の発明であるところ、
　上記「
テレビジョンスケジュールシステムおよび方法
　
　上記（１）での検討結果によれば、甲４発明（甲４号証に記載された発明）として、下記の「システム」の発明と「システムを使用する方法」の発明を認定することができる。
　
　甲４発明として認定するこれらの発明は、異なる部分のみを［Ｘ｜Ｙ］の表記を用いて一の記載で表現することとした。
　「［Ｘ｜Ｙ］」は、前記「【第３-１】請求人の主張の［３.１］３」での表記と同様、択一的に、「Ｘ」か若しくは「Ｙ」を意味するものとする。
　
　　　　　　　　　記（甲４発明）
Ｎ：番組のタイトルの簡単な選択および記録コマンドによって制御される、直感的なユーザーインタフェースを備えたテレビジョンスケジュールシステムとしての、
テレビジョンスケジュールシステム
１８０
　該システム１８０は、
Ｐ：
ケーブルデコーダユニットの部分として構成されているプログラマブルチューナ
Ｑ：スケジュール／テープコントローラー２２０（図２２Ａ）と、
Ｒ：『チャンネルアップ／ダウンキー１３６』、
　『ＴＶ内容確認キー１４２』、
　『記録メモキー１４６』、
　『記録キー１４８』、
　『選択／ゴーツウキー１５４』、
　『左、右、アップ、ダウンおよびカーソルキー１５６』
　を備えるリモートコントローラー２１２と、
Ｓ：ＶＣＲ２０６、ＴＶ／モニター２１０、
赤外線リモートドライバ２１４
　以下のように、動作する、［システム｜方法］。
　
Ｔ：
リスト情報
ケーブルチャンネル割当データ
　
プログラマブルチューナ
  
リスト情報
ケーブルチャンネル割当データ
　更新が必要な場合、プログラマブルチューナ２０２は、データを伝送する局またはケーブルチャンネルへ自動的に同調し、
　ＶＢＩの
リスト情報
ケーブルチャンネル割当データ
　ＣＰＵ２２８によって処理された後、
リスト
ケーブルチャンネル割当データ
ケーブルシステムのチャンネル割当
　
Ｕ：ＴＶ視聴、グリッドガイド２４（図１）の表示
　
Ｕ１：
プログラマブルチューナ
　ＴＶ視聴は、ＴＶ／モニター２１０でその外部入力が選択されているときに、ビデオスイッチャー２２６が
プログラマブルチューナ
　ＴＶ視聴中、リモートコントローラーの『ＴＶ内容確認キー１４２』により発せられる『ＴＶ内容確認コマンド』により『ＴＶ内容確認要求』がなされると、スケジュールメモリ２３２に記憶されている
リスト情報
　
Ｕ２：ＴＶグリッドガイドは、その一部が、ＴＶスクリーン上に表示されている（図１に示されるグリッドガイド２４）ものであり、
　各チャンネルに対応する各行
　　（最上行は各時間帯を案内する行であって、各列に表示されるセルの
　　　時間帯が、その列位置で示されることを案内する行）と、
　各時間帯に対応する各列
　　（最左列は各チャンネルを案内する列であって、各行に表示されるセル
　　　のチャンネルが、その行位置で示されることを案内する列）
　で区画された各セルが、各『番組リスト（番組項目）』に対応するように各『番組リスト（番組項目）』のスケジュールを示す、
　チャンネルと時間のグリッドガイドであって、
　各『番組リスト（番組項目）』は、該当セルにそのタイトルが表示され、そのチャンネルが該当セルの行位置で、その時間帯が該当セルの列位置で示されるように構成され、
　各時間帯を案内する最上行に続いて、ユーザの好きなチャンネルの行だけが、
オーバジエア放送の局
　
Ｖ：グリッドガイド２４が表示されている状態でのコマンド受付と動作
　
Ｖ１：『ＴＶ内容確認コマンド』（リモートコントローラーの『ＴＶ内確認キー１４２』によるものと理解される。）
　グリッドガイド２４が表示されている状態で、
カーソルを特定の『番組リスト』に位置させ、『ＴＶ内容確認コマンド』が発せられると、グリッドガイド２４の表示から、当該特定の『番組リスト』を含む『単一チャンネル行ガイド５８』への表示に遷移し、さらに、その状態で、『ＴＶ内容確認コマンド』が発せられると、グリッドガイド２４の表示に戻る
　
Ｖ２：『選択コマンド』（リモートコントローラーの『選択／ゴーツウキー１５４』によるものと理解される。）
　グリッドガイド２４が表示されている状態で、
カーソルを特定の『番組リスト』に位置させ、『選択コマンド』が発せられると、グリッドガイド２４に『番組ノート５２』を重ねるように表示し、再度、『選択コマンド』が発せられると、『番組ノート５２』が消えて元のグリッドガイド２４の表示に戻る
　
Ｖ３：『記録コマンド』（リモートコントローラーの『記録キー１４８』に対応すると考え得る。）
　
オンスクリーンスケジュールからタイトルを選択
プログラム
　グリッドガイド２４が表示されている状態で、カーソルを、特定の『番組リスト』に位置させて『記録コマンド』（リモートコントローラーの『記録キー１４８』に対応すると考え得る。）を発せられると、
　当該『番組リスト』が
オーバジエア放送の局
番組
　・その『
タイトル
　・その『番組リスト』が放送される『
チャンネル
　・その『番組リスト』の放送『
開始時間及び長さ
　が
記録メモＲＡＭメモリ２３６へコピーされ
　
システムクロック２３０が、
開始時間
と一致すると、
記録メモＲＡＭメモリ２３６
　が読み出され、
　『ケーブルサービス名』のままで記憶されていた場合は、『ケーブルシステムのチャンネル割当』に変換し、
　
ＣＰＵ２２８は、
ケーブルデコーダユニットの部分として構成されているプログラマブルチューナがどの局に同調すべきかをプログラマブルチューナが理解し得るように示す同調チャンネル識別子を含むコマンドを、ケーブルデコーダのプログラマブルチューナへ転送し、パワーオン及び記録コマンドをＶＣＲ２０６へ転送することにより、その『番組リスト』が示す番組の自動録画を開始させる
　
Ｖ４：『チャンネルアップ／チャンネルダウンコマンド』
　
グリッドガイド２４が表示されている状態で、
チャンネルアップ
チャンネルダウンコマンド
グリッドガイド２４
オーバジエア放送の局とケーブルサービスの局
ケーブルデコーダユニットの部分として構成されているプログラマブルチューナ
　このとき、
チャンネルアップ
チャンネルダウンコマンド
オーバジエア放送の局
ケーブルデコーダユニットの部分として構成されているプログラマブルチューナ
プログラマブルチューナ
ケーブルデコーダのプログラマブルチューナへ
　
　
［４］本件発明５について
　
　本件発明５は「システム」の発明、本件発明２は「システムを使用する方法」の発明であって、前者の構成要素が「手段」で記載され、後者の構成要素が「ステップ」で記載されているものの、それらの相違を除き両者間に実質的な相違はない。
　まず、「システム」の発明である本件発明５から検討することとする。
　
［４-１］本件発明５と甲４発明（システムの発明）の対比
　　
（１）要件５Ａについての対比
５Ａ　異なる伝送方式のための少なくとも２つのソースデバイスを用いる少
　　　なくとも２つのソースからの信号をテレビジョンの一つ以上の入力に
　　　よって受信するシステムであって、各ソースデバイスは、複数のテレ
　　　ビチャンネルを伝送するように動作可能であり、
　　　前記システムは、
　
（１-１）本件発明５でいう「ソース」、「ソースデバイス」について
　
　要件５Ａによれば、
　本件発明の「
システム」は
　その「
少なくとも２つのソース」は
　その「
２つのソースデバイス」の各々は
　「
少なくとも２つのソース」は
　「ソース」と称することから、信号発生源も当然に含んでいると解せられること、
　以上を踏まえれば、本件発明５でいう「ソース」は、
　『「
テレビジョンの一つ以上の入力」への、これより上流側の信号伝送路及びその信号発生源を含んでいう源（ソース
　
　そして、「ソースデバイス」について、上記のことと、要件５Ｂの「前記ソースデバイスの前記伝送方式を表すソース識別子」、要件５Ｅの「その番組のソースデバイスを表す前記ソース識別子」、要件５Ｃの「前記少なくとも２つの異なるソースデバイス」の記載からすれば、
　「
２つのソースデバイス」は
２つのソース
テレビジョンの一つ以上の入力への、これより上流側の信号伝送路及びその信号発生源を含んでいう源（ソース）
用いられる
　
　そして、これらのことを踏まえ、発明の詳細な説明、図面の記載を検討する。
　《ソース》
　図１Ａ〜１Ｃ、下記「記Ａ」の記載（特に下線部）に照らしてみても、「
ソース」
　上述した『テレビジョンの一つ以上の入力への、これより上流側の信号伝送路及びその信号発生源を含んでいう源（ソース）』という理解と合致する。
　
　《ソースデバイス》
　そして、図１Ａ〜１Ｃ、下記(M11)「
テレビジョンへの入力（ＲＦまたはビデオ）をソース装置へ切換える。ソース装置には、ＤＢＳ、ケーブル・ボックス、テレビジョン・チューナ等が含まれる。
ＤＢＳ（ＩＲＤボックス２８を介した）及びケーブル（ケーブル・ボックス２６を介した）は、テレビジョン２２に直列に接続されたソース装置として構成される。図１Ｃはソース装置としてのＤＢＳ及びケーブルを備えた
　「ソース装置」（要件５Ａでいう「ソースデバイス」に対応することが明らかである）は、例えば、「直接放送衛星システム」と説明されるＤＢＳ、衛星用ディッシュ・アンテナ及びセットトップ型の受信機（ＩＲＤボックス２８）−、ケーブル、ケーブル・ボックス２６を含んでいうものと理解され、“ソース”（『テレビジョンの一つ以上の入力への、これより上流側の信号伝送路及びその信号発生源を含んでいう源（ソース）』）に用いられる装置（デバイス）とう解釈に合致する。
　
　《複数のテレビチャンネルを伝送するように動作可能であり》
　発明の詳細な説明には「
動作可能
動作可能であり
　「ソース」に用いられる装置（デバイス）のうち、「複数のテレビチャンネルを伝送するように
動作可能であ
　これについて発明の詳細な説明の記載を検討するに、
　上記のＤＢＳ、衛星用ディッシュ・アンテナ及びセットトップ型の受信機（ＩＲＤボックス２８）−、
ケーブル
　このうち、「信号を伝送できる媒体」（伝送媒体）とされる「
入力ケーブル線（例えば、同軸ケーブル
　「ソース」に用いられる物ではあるが、一般的には「動作」するものとはいえない。したがって、「
動作可能であり
　
　《請求人の主張について》
　この点に関連し、請求人は、「ケーブル」は「複数のテレビチャンネルを伝送するように動作可能」といえるから、本件発明５でいう「ソースデバイス」に含まれる、と主張するが、上記の通りであるから、当該主張は採用できない。
　
　《放送信号送出側装置について》
　また、上記５Ａの規定を満たすものとして、当業者は、まず、「複数のテレビチャンネル」の放送信号を送出する（送信用アンテナ等を含む）信号送出側の装置をごく普通に想定するものといえる。
　すなわち、「ソースデバイス」は、必ず存在する『複数のテレビチャンネルの
放送信号を伝送媒体に送出する（送信用アンテナ等を含む）送出側装置
　そして、そのように想定した上記『複数のテレビチャンネルの・・・
送出側装置
　「
複数の
動作可能であ
　上記『「
テレビジョンの一つ以上の入力」への、これより上流側の信号伝送路及びその信号発生源を含んでいう源（ソース
　また、そのように想定したとき（上記『複数のテレビジョン番組の・・・
送出側装置
　したがって、当業者に普通に想定される『複数のテレビチャンネルの
放送信号を伝送媒体に送出する（送信用アンテナ等を含む）送出側装置
　
　　　　　記Ａ（本件の詳細な説明（甲１号証）、
　　　　　　　　ソース（デバイス）関連）
　
　（なお、記号(M2)等における数字は、本件の分割出願に係る特許第４３６２１３０号公報の段落番号に略対応する。以下、同様である。）
　
　(M2)「数多くの異なる
伝送方式
直接放送衛星システム（ＤＢＳ）では、衛星用ディッシュ・アンテナ及びセットトップ型の受信機を介して、テレビ番組及びテレビ番組スケジュール情報が提供される。
更に、従来の衛星用ディッシュ・アンテナ、同軸ケーブル、電話回線、光ファイバ・ケーブル、アンテナ等を利用して、テレビ番組及びテレビ番組スケジュール情報の一方または両方が配給される。
　
　(M3)「利用者がＤＢＳに加入している場合には、画面表示（オンスクリーン・ディスプレイ）生成装置を有する別体の統合型受信デコーダ（ＩＲＤ）ボックスが通常提供される。通常、
ＩＲＤボックスには、最低でも受信機及びチューナが含まれている。
　
　(M7)「発明の背景
 本発明の好適な実施例では、本発明は、入力信号及び番組情報の調整（コーディネート）に関しており、より詳細には（１）多数のソースから受信するテレビジョン・スケジュールガイド情報の調整、（２）所望の信号ソースへの自動切換え、及び（３）所望のテレビ番組への同調に関する。従って、本発明は、テレビジョン・スケジュール・ガイド情報を調整する同調方式を提供する。この情報は数多くのソースから受信することができる。
これらのソースは、入力ケーブル線（例えば、同軸ケーブル）、衛星放送、専用電話回線（例えば、ツイストペア）及び信号を伝送することができるその他の任意の媒体を含んでいる。
　
　(M9)「下記の本発明の詳細な説明を添付の図面を参照しつつ読めば、当業者には前記及びその他の利点が明らかとなろう。
　【図面の簡単な説明】
図１Ａは、テレビジョンに直接接続された多数のソースを備えたマルチ・ソース・テレビ番組／テレビジョン・スケジュール・ガイド・システムのブロック図である。図１Ｂは、コーディネータに直接接続された多数のソースを備えたマルチ・ソース・テレビ番組／テレビジョン・スケジュール・ガイド・システムのブロック図である。図１Ｃは、ソース装置としてＤＢＳ及びケーブルを備えたテレビ番組／テレビジョン・スケジュール・ガイド・システムのブロック図である。
図４は、自動無人録画処理のフローチャートである。」（４頁４５行〜５頁１０行）
　
　(M10)「特定の実施例の説明
本発明は、テレビ番組及びテレビジョン・スケジュール・ガイド情報を調整する同調方式を提供する。このテレビジョン・スケジュール・ガイド情報は多数のソースから受信することが可能である。上記に述べたように、
これらのソースは、入力ケーブル線（例えば、同軸ケーブルの）、衛星放送、専用電話回線（例えば、ツイストペア）及び信号を伝送できるその他の任意の媒体を含んでいる。
（１）ケーブル及び衛星用ディッシュ・アンテナ、または（２）２つの異なる衛星、または（３）ローカル・ケーブル及びＤＢＳソース等の、少なくとも２つの別個のソー
　
　(M11)「利用者が表示されたガイド内の表示チャンネルの１つに配置されたショーまたはチャンネルを選択すると、システムが該ショーまたはチャンネルに関係したソース識別子を読み取る。好適な実施例では、次いで
システムが自動切換え／同調処理を行い、テレビジョンへの入力（ＲＦまたはビデオ）をソース装置へ切換える。ソース装置には、ＤＢＳ、ケーブル・ボックス、テレビジョン・チューナ等が含まれる。
番組情報が多数の衛星ソースから受信されて
　
　(M15)「図１Ａは、テ
レビジョン２２に直接接続された多数のソースを備えた
テレビジョン２２及びＶＣＲ２４には、ケーブル・ボックス２６及びＩＲＤボックス２８から入力が供給される。
本実施例では、ケーブル信号がケーブルボックス２６を介して供給され、ＤＢＳがＩＲＤボックス２８を介して供給される。
アンテナ３４及びケーブル・ボックス２６が「ローカル」ソースとなる
他の入力３０には、多数の衛星ソースを含めることができる。多数の衛星ソース
衛星ソース
衛星ソース
衛星ソース
　
　(M20)「コーディネータ２０は、・・・供給される。図１Ａでは、コーディネータ２０及びソース装置がテレビジョン２２に連結されている。従って、コーディネータ２０は、電話回線４３を介して番組ガイド情報を受信し、テレビジョン２２が多数のソースからテレビ番組情報を受信する。更に、・・・番組ガイド情報を受信する。」（７頁８行〜１８行）
　(M22)
　「本発明の別の実施例では、
コーディネータ２０は全てのソース装置入力を直接受信するよう構成されている。
本実施例では、コーディネータ２０が多数のソース２６、２８及び３０の切換えを行い、次いで、所望のソースからテレビジョン２２または別の宛て先装置へ情報を出力する。
　
　(M23)「更に本発明の別の実施例では、
ＤＢＳ（ＩＲＤボックス２８を介した）及びケーブル（ケーブル・ボックス２６を介した）は、テレビジョン２２に直列に接続されたソース装置として構成される。図１Ｃはソース装置としてのＤＢＳ及びケーブルを備えた
　
　(M24)「図１Ｄは、ＤＢＳ、・・・録画される。図１Ａ〜Ｄにおける
ＶＣＲは、オプションである
　
　(M25)「テレビジョン・スケジュール情報に・・・または垂直ブランキング期間に、
ＤＢＳのトランスポンダ
　
　(M35)「図３に図示した処理を更に示するために下記の例を説明する。この例においては、ＩＲＤボックス２８が利用可能なチャンネル１００〜２００を有しており、
該ボックスが、現在テレビジョン２２への入力ソース
　
　(M34)「図３は自動同調の処理の・・・
　・・・
現在のテレビジョン２２への入力ソースがソース識別子と関係したソースと同一であれば、コーディネータ２０は、ステップ８４において、該特定のソースを所望のチャンネルに同調させる。
当該ソース内の受信機を所望のチャンネルに同調させる。
　
　(M36)「従って、ソースの切換えを実行しなければならない。・・・
　
コーディネータ２０は次いで、ステップ８４において、ＩＲ発生器４０を使用して
ケーブル・ボックス２６を所望の第２チャンネルに同調させる
　
　(M41)「本発明の別の実施例では、・・・テレビジョン・チューナ、またはテレビジョンチューナ及びケーブル・ボックスを、所望のチャンネルに同調させる。ＤＢＳチャンネルを後で選択する場合には、システムが統合受信デコーダ装置へ再度切換えて、所望のＤＢＳチャンネルへの同調を行う。この構成により、マルチ・ソースの調整がＩＲ発生器を必要とせずに達成される。」（１１頁６行〜１４行）
　
（１-２）要件５Ａについての対比
　上記の解釈を踏まえ、甲４発明と対比する。
　
　ア　「異なる伝送方式のための少なくとも２つのソースデバイス２つのソースデバイスを用いる少なくとも２つのソースからの信号を」「受信するシステムであって、各ソースデバイスは、複数のテレビチャンネルを伝送するように動作可能であり、」について
　
　甲４発明（システムの発明）は、
　「Ｎ：番組のタイトルの簡単な選択および記録コマンドによって制御される、直感的なユーザーインタフェースを備えたテレビジョンスケジュールシステムとしての、
テレビジョンスケジュールシステム
１８０
　該システム１８０は、
Ｐ：ケーブルデコーダユニットの部分として構成されている
プログラマブルチューナ
Ｑ：スケジュール／テープコントローラー２２０（図２２Ａ）と、
Ｓ：ＶＣＲ２０６、ＴＶ／モニター２１０、
赤外線リモートドライバ２１４
　「
プログラマブルチューナ
　「Ｕ１：
プログラマブルチューナ
　ＴＶ視聴は、ＴＶ／モニター２１０でその外部入力が選択されているときに、ビデオスイッチャー２２６が
プログラマブルチューナ
　ＴＶ視聴中、リモートコントローラーの「ＴＶ内容確認キー１４２」により発せられる「ＴＶ内容確認コマンド」｛(K14)｝により「ＴＶ内容確認要求」がなされると、「スケジュールメモリ２３２に記憶されている」
リスト情報
　され、
　「各時間帯を案内する最上行に続いて、ユーザの好きなチャンネルの行だけが、
オーバジエア放送の局
グリッドガイド２４が表示されている状態で
　「リモートコントローラー２１２により
チャンネルアップ
チャンネルダウンコマンド
グリッドガイド２４
オーバジエア放送の局とケーブルサービスの局
ケーブルデコーダ２０２のプログラマブルチューナ
　このとき、
チャンネルアップ
チャンネルダウンコマンド
オーバジエア放送の局
プログラマブルチューナ
プログラマブルチューナ
同調チャンネル識別子を含むコマンド
ケーブルデコーダ２０２のプログラマブルチューナへ
　ものである。
　
　つまり、甲４発明は、
オーバジエア放送の
と
ケーブルサービス
　前者の放送信号は、
オーバジエア
オーバジエア
オーバジエア
　また、後者の放送信号は、ケーブルのチャンネルの放送信号をケーブルに送出する『ケーブルの放送信号送出側装置』から送出された放送信号といえ、また、かかる『ケーブルの放送信号送出側装置』として上記『Ａ＆Ｎ』『ＣＮＮ』・・・『ＴＮＴ』の複数のチャンネルの放送信号を送出するもの、すなわち「複数のテレビチャンネルを伝送するように動作可能」であるものも普通に想定し得るものである。
　
　したがって、明記はされていないが、甲４発明のシステムにも、
　(i)複数のテレビチャンネルを伝送するように動作可能である『
オーバジエア
　(ii)複数のテレビチャンネルを伝送するように動作可能である『ケーブルの放送信号送出側装置』の存在が明らかであり、
　いずれも、上記（１-１）でした、本件発明５の「ソースデバイス」についてした解釈である、
　『複数のテレビチャンネルの
放送信号を伝送媒体に送出する（送信用アンテナ等を含む）送出側装置
　ということができる。
　
　そして、上記(i)の『
オーバジエア
オーバジエア
　したがって、甲４発明にも存在することが明らかな、『
オーバジエア
　「異なる伝送方式のための少なくとも２つのソースデバイス」であって「複数のテレビチャンネルを伝送するように動作可能であ」るものということができ、このことから、
　甲４発明のシステムも、「異なる伝送方式のための少なくとも２つのソースデバイス２つのソースデバイスを用いる少なくとも２つのソースからの信号を」「受信するシステムであって、各ソースデバイスは、複数のテレビチャンネルを伝送するように動作可能であり、」といい得るものである。
　
　《請求人の主張について》
　上記アに関連し、請求人は、甲４発明が要件５Ａを備えているとする理由として、本件の発明の詳細な説明・図面記載の「ケーブル」が本件発明５でいう「ソースデバイス」に含まれることを前提に、甲４の「ケーブル入力部２０５」も「ソースデバイス」といえることを主張しているが、
　上記の通り、本件発明の詳細な説明の「信号を伝送できる媒体」（伝送媒体）としての「
入力ケーブル線（例えば、同軸ケーブル
　上記請求人の主張は採用できない。
　
　イ　「２つのソースからの信号がテレビジョンの一つ以上の入力によって受信されるシステム」について
　
　甲４発明は、上記の通り、
　「
プログラマブルチューナ
　「ＴＶ視聴は、ＴＶ／モニター２１０でその外部入力が選択されているときに、ビデオスイッチャー２２６が
プログラマブルチューナ
　
オーバジエア放送の
と
ケーブルサービス
　したがって、甲４発明は、「２つのソースからの信号がテレビジョンの一つ以上の入力によって受信されるシステム」といい得るものである。
　
　ウ　まとめ（要件５Ａについての対比）
　以上によれば、甲４発明も、要件５Ａで特定するシステムといえ、要件５Ａにおいて、本件発明５と甲４発明は相違しない。
　
（２）要件５Ｂ〜５Ｅの解釈について
　要件５Ｂ〜５Ｅについての対比に先立ち、これらの解釈について検討する。
　
（２-１）要件５Ｂ（解釈）
５Ｂ　複数のテレビジョン番組の
各テレビジョン番組について、
　　　とも２つのソースデバイスから
伝送された
番組のための
　　　ジョン
番組のための
　　　識別子をメモリに
格納する
　
　要件５Ｂの手段は、以下のように特定される手段と解される。
　
　複数のテレビジョン番組の各テレビジョン番組について、
　　(i)「
チャンネルガイド情報データ
　　(ii)「
ソース識別子
　をメモリに
格納する
　　(i)「
チャンネルガイド情報データ
　　　(a)テレビジョン
番組のための
　　　　って、
　　　(b)テレビジョン番組情報を表す「チャンネルガイド情報データ」で
　　　　あって、
　　　(c)前記少なくとも２つのソースデバイスから
伝送された
　　　　ルガイド情報データ」であり、
　　(ii)「
ソース識別子
　　　(d)各テレビジョン
番組のための
　　　(e)前記ソースデバイスの前記伝送方式を表す「ソース識別子」
　　　である
　手段であって、
　
　『利用者に、特定のチャンネルについて、そこで放送される番組の放送予定を、番組情報（「その放送チャンネル情報（「ＨＢＯ」等も含む）」、「タイトル情報」、「放送時間情報」を含む）を示して案内するガイド表示のために用いる、同ガイド表示に対応する情報データ』と理解され、
　具体的には、チャンネルガイド表示のために用いる、同ガイド表示に対応する『テレビジョン番組情報を表す情報データ、つまり上記の「その放送チャンネル情報（「ＨＢＯ」等も含む）」、「タイトル情報」、「放送時間情報」を含んでいうもの』であって、
　この「チャンネルガイド情報データ」は「
ソース識別子
　と解される。
　
　以下に、そのように解される理由を記す。
　
　〈理由〉
　
　
ア　各用語の修飾関係
　
　
ア-１
伝送された
　　「前記少なくとも２つのソースデバイスから
伝送された
伝送された
　
　なぜなら、テレビジョン番組情報を表す「チャンネルガイド情報データ」とは、
放送される番組
スケジュール
伝送された
スケジュール情報
伝送される
テレビジョン番組情報
　したがって、「
伝送された
　
　
ア-２
　上記ア-１によれば、５Ｂの「テレビジョン番組のためのテレビジョン番組情報を表すチャンネルガイド情報データ」が一まとまりと理解されるところ、
　「テレビジョン番組情報」という用語自体、「テレビジョン番組のための情報」をいうことは、特に特定記載せずとも明らかであり、このことからすれば、
　５Ｂの「
テレビジョン番組のための
テレビジョン番組のための
　したがって、要件５Ｂは、
　(i)「チャンネルガイド情報データ」を、
　　(a)
テレビジョン番組のための
　　　て、
　　(b)テレビジョン番組情報を表す「チャンネルガイド情報データ」であ
　　　る、
　　と特定している、と解される、
　また、
　(ii)「ソース識別子」を、
　　(d)各テレビジョン
番組のための
　　(e)前記ソースデバイスの前記伝送方式を表す「ソース識別子」である
　　と特定していることは、文脈上明らかである。
　
　
ア-３
格納する
　「
格納する
    (i) 「テレビジョン
番組のための
    (ii)「各テレビジョン
番組のための
　
　
ア-４
伝送された
　「前記少なくとも２つのソースデバイスから
伝送された
　　「テレビジョン番組のためのテレビジョン番組情報を表すチャンネルガイド情報データ」に係り、
　　「各テレビジョン番組のための前記ソースデバイスの前記伝送方式を表すソース識別子」には係らない、と解せられる。
　　すなわち、「
伝送された
　　(i)「チャンネルガイド情報データ」だけであり、「ソース識別子」は「伝送された」ものに限らない、
　と解される。
　
　《理由》
　・前記少なくとも２つのソースデバイスから
伝送された
　「
伝送された
　・「チャンネルガイド情報データ」の前に、これに係ると理解される「テレビジョン
番組のための
番組のための
　「
伝送された
　・本件発明の詳細な説明の下記「記Ｂ」の(M7)(M8)(M19)のいずれもが、例外なく「テレビジョン番組情報」を指す情報（「
テレビジョン・スケジュールガイド情報
チャンネル・ガイド情報
番組スケジュール情報
テレビジョン・スケジュール・データ
テレビジョン・ガイド情報
伝送
　「ソース識別子」については、下記「記Ｂ」の(M31)に「
ソース識別子を、チャンネル・ガイド情報のオリジンに基づいて、システムにより追加するようにしても良い。
伝送
伝送
　
　以上からすれば、「
伝送された
　　(i)「チャンネルガイド情報データ」だけであり、「ソース識別子」は「伝送された」ものに限らないと解するのが相当である。
　
　
ア-５
番組について
　「複数のテレビジョン番組の各テレビジョン
番組について
格納する
　すなわち、「複数のテレビジョン番組の
各テレビジョン番組について
　　(i)「チャンネルガイド情報データ」と
　　(ii)「ソース識別子」
　をメモリに格納する手段、と解される。
　
　《理由》
　「複数のテレビジョン番組の
各テレビジョン番組について、
　｛「ついての」ではないから、名詞である「テレビジョン番組」、「テレビジョン番組情報」「チャンネルガイド情報データ」「ソース識別子」に係るものではないことは明らかである。｝ところ、
　
　「
伝送された
　・「
伝送された
伝送された
　
　・「
伝送された
　「複数のテレビジョン番組」である
番組Ａ
番組Ｂ
番組Ａ
番組Ｂ
　すなわち、１つの番組Ａについて異なる２つのソースデバイスから「（テレビジョン番組のためのテレビジョン番組情報を表す）チャンネルガイド情報データ」が「伝送され」ると同様、
　他方の番組Ｂについても同様に、異なる２つのソースデバイスから「（テレビジョン番組のためのテレビジョン番組情報を表す）チャンネルガイド情報データ」が「伝送され」ることになるところ、
　そのようなことだけ｛特に「
複数の
　請求項６では、上記要件５Ｂと同じ要件である
　「複数のテレビジョン番組の各テレビジョン番組について、前記少なくとも２つのソースデバイスから伝送されたテレビジョン番組のためのテレビジョン番組情報を表すチャンネルガイド情報データと各テレビジョン番組のための前記ソースデバイスの前記伝送方式を表すソース識別子をメモリに格納する手段と、」に、
　１つの番組について異なる２つのソースデバイスからテレビジョン番組情報（番組リスト）が伝送されたことを（前提として）特定することになる「前記少なくとも２つのソースデバイスから伝送されるそれぞれ同一の番組についての単一の番組リストを表示する手段」を要件として更に追加していて、
　同要件を追加限定することで、同一の番組についての重複する番組情報を排除して表示する、というまとまりのある技術思想としている。
　要件５Ｂは、
　１つの番組Ａについて異なる２つのソースデバイスから「（テレビジョン番組のためのテレビジョン番組情報を表す）チャンネルガイド情報データ」が「伝送され」ると同様、
　他方の番組Ｂについても同様に、異なる２つのソースデバイスから「（テレビジョン番組のためのテレビジョン番組情報を表す）チャンネルガイド情報データ」が「伝送され」ること（このことを排除するものではないが、）まで特定していると解するのは、困難である。
　以上のように、「
伝送された
　
　「
格納する
　・「ついて」の後に“、”があることが合理的であり、全体として自然な理解というべきである。
　・そして、発明の詳細な説明にはこれに対応する記載がある。
　すなわち、(i)「チャンネルガイド情報データ」については、
　「テレビジョン番組のための」データであり、ＲＡＭ３８に格納されることは明らかであって｛例えば、下記Ｂの(M27)｝、これに基づいて図２のガイドが表示されることからみて、番組の各々についてそのタイトル・時間・チャンネル（「テレビジョン番組のためのテレビジョン番組情報を表すチャンネルガイド情報データ」）が特定できるようにＲＡＭ３８に「格納」されているといえ、
　また、(ii)「識別子」については、
　下記「記Ｂ」の(M11)の「システムが
該ショー
に関係したソース識別子を読み取る
該バットマン６０は、そのチャンネル５８上に配置されたＩＲＤボックス２８を識別するソース識別子を有することになる
　以上のように、「格納する」に係るとの理解は、自然であり合理的である。
　
　
イ　「チャンネルガイド情報データ」の解釈
　
　
イ-１〈請求項の記載
　「チャンネルガイド情報データ」が、要件５Ｂの記載から、
　　(a)テレビジョン番組のための「チャンネルガイド情報データ」であ
　　　って、
　　(b)
テレビジョン番組情報を表す
　と理解されることは、上記アのとおりであり、
　一般に「
テレビジョン番組情報
　「チャンネルガイド」とは、その文言から、利用者にチャンネルを案内するものであることは明らかであるが、合理的に普通に理解すれば、利用者にどの
チャンネル
いかなる番組
放送予定
　からすれば、
　要件５Ｂでいう「
チャンネルガイド情報データ
　『利用者に、特定のチャンネルについて、そこで放送される番組の放送予定を、番組情報（「その放送チャンネル情報（「ＨＢＯ」等も含む）」、「タイトル情報」、「放送時間情報」を含む）を示して案内するガイド表示のために用いる、同ガイド表示に対応する情報データ』と理解され、
　具体的には、チャンネルガイド表示のために用いる、同ガイド表示に対応する『テレビジョン番組情報を表す情報データ、つまり上記の「その放送チャンネル情報（「ＨＢＯ」等も含む）」、「タイトル情報」、「放送時間情報」を含んでいうもの』である。
　
　
イ-２〈発明の詳細な説明の記載
　そして、「チャンネルガイド」について、本件発明の詳細な説明の記載（下記「記Ｂ」参照、特に下線部・(M1)(M8)(M28)(M29)に照らし検討する。
　
　ａ．下記(M1)において、
　「テレビジョン・スケジュール・ガイドに関する情報」は、「利用可能なチャンネル及び該チャンネルそれぞれのテレビ番組を」「スクリーン上に」「通常、利用可能なチャンネルがＹ軸上に表示され、時間枠がＸ軸を占める」「格子（グリッド）状に表示するために使用され」とされ｛(M1)前段｝、これに続いて
　「
これらの一覧表にされたチャンネルは、順番にまたは所望の所定の順序でテレビジョン画面上に表示することができる。
　(M8)では、
　「
チャンネル・ガイド情報
多数のテレビジョン信号ソースから受信され」「受信した後で、システムが該情報を混合分
チャンネル・ガイド情報の表示
　
　ｂ．図２、(M28)(M29)（一部）の記載、実施例のもの
　上記イ-１を踏まえて、好適な実施例を説明する(M28)、(M29)（一部）の記載、
　(M1)「図２は、テレビジョン・ガイド情報から組み立てられた
格子状のスケジュール・ガイド
画面表示の例である
本発明の格子状ガイドは
チャンネル・ガイド
含んでる
コーディネータ２０が利用できる番組ガイド情報を全て収集及び分類し終わった後、コーディネータ２０は、図２に図示した格子状ガイドを生成し、テレビジョン２２の画面上に表示する
チャンネル５２のラインナップを
第２チャンネル５８では、午後１時〜２時の間、バットマン６０が放映され、午後２時〜２時３０分の間、ソープ（ホームコメディ）６２が放映される
　(M29)「「
格子状ガイドが使用される場合には、チャンネル５２のラインナップを、（１）チャンネルが番号またはアルファベット順になるように、または（２）チャンネルがそれぞれの特定のソースと関係した順になるように、または（３）チャンネルが利用者がプログラムした混合した順になるように、または（４）チャンネルがその他の任意の配置となるように配列することが可能である
チャンネルの順番５２が決定される。従って、任意の所望の配列でチャンネル５２のラインナップが可能となる。
　および、そこに記載された実施例のものについて検討する。
　
　(M28)で、好適な実施例として図２に示される「格子状ガイド（５０）」は、
格子状ガイド
　
本発明の
格子状ガイド
チャンネル・ガイド
含んでる
　番組ガイド情報を全て収集及び分類し終わった後に、生成して、
テレビジョン２２の画面上に表示
　全てのチャンネルまたは
選択されたチャンネル５２のラインナップを
　(M29)でも上記のとおり「
格子状ガイドが使用される場合には、チャンネル５２のラインナップを
　及び図２から、
　その各ラインナップは、１つのチャンネルについて、そのチャンネルで利用できる番組が何であって、いかなる時間に放送されるかを示すものと理解できる。
　
　そうすると、本実施例のものにおける、「画面表示された格子状ガイド（５０）」は、(M8)で説明される「所望の順序でテレビジョン画面上に表示」された「
チャンネル・ガイド情報の表示
　(1)その『画面表示された格子状ガイド（５０）の「
チャンネル５２のラインナップ
２チャンネル
行部分
　「
第２チャンネル５８では、午後１時〜２時の間、バットマン６０が放映され、午後２時〜２時３０分の間、ソープ（ホームコメディ）６２が放映される
２チャンネルについての「チャンネルガイド情報の画面表示
　『利用者に、特定のチャンネルについて、そこで放送される番組の放送予定を、番組情報（「その放送チャンネル情報（「ＨＢＯ」等も含む）」、「タイトル情報」、「放送時間情報」を含む）を示して案内するガイド表示のために用いる、同ガイド表示に対応する情報データ』（上記イ-１でした要件５Ｂの記載からの理解）を画面表示したものということができる。
　(2)そして、本実施例のものにおける
　『画面表示された格子状ガイド（５０）の、「
チャンネル５２のラインナップ
　(3)『画面表示された格子状ガイド（５０）の、「
チャンネル５２のラインナップ
　要件５Ｃの「前記少なくとも２つの異なるソースデバイスから伝送される番組のためのテレビジョン番組情報のリストをガイドフォーマットに同時に表示する」に対応すると理解される。
　
　すなわち、『』を付して示した、画面表示された格子状ガイド（５０）の、例えば、上記(1)〜(3)の行部分のガイド表示部分が、要件５Ｂでいう「チャンネルガイド情報データの画面表示と理解される。
　そして、そのガイド表示部分の表示をするためには、当該行部分に表示する「番組のタイトル」、その番組が放送される「チャンネル（「ＨＢＯ」等も含む）」と「時間」を表すデータを必要であることは明らかであり、これらのデータは一般に「テレビジョン番組情報」と呼ばれるデータであるから、
　要件５Ｂの「テレビジョン番組のためのテレビジョン番組情報を表すチャンネルガイド情報データ」なる記載に符合する。
　
　
イ-３　まとめ
　以上のことを総合すれば、本件発明５でいう「チャンネルガイド情報データ」、「テレビジョン番組のためのテレビジョン番組情報を表すチャンネルガイド情報データ」とは、上記のとおり解される。
　
　すなわち、
　「
チャンネルガイド情報データ
　『利用者に、特定のチャンネルについて、そこで放送される番組の放送予定を、番組情報（「その放送チャンネル情報（「ＨＢＯ」等も含む）」、「タイトル情報」、「放送時間情報」を含む）を示して案内するガイド表示のために用いる、同ガイド表示に対応する情報データ』と理解され、
　具体的には、チャンネルガイド表示のために用いる、同ガイド表示に対応する『テレビジョン番組情報を表す情報データ、つまり上記の「その放送チャンネル情報（「ＨＢＯ」等も含む）」、「タイトル情報」、「放送時間情報」を含んでいうもの』であって、
　この「チャンネルガイド情報データ」は「
ソース識別子
　と解される。
　
　　　　　記Ｂ（本件の発明の詳細な説明（甲１号証）、
　　　　　　　　　「伝送された」等）
　
　（なお、記号(M1)等における数字は、本件の分割出願に係る特許第４３６２１３０号公報の段落番号に略対応する。以下、同様である。）
　
　(M1)「発明の背景
従来の技術として、テレビジョン・スケジュール・ガイドに関する情報を提供する装置が幾つかある。これらの情報は、
利用可能なチャンネル及び該チャンネルそれぞれのテレビ番組を、スクリーン上に格子（グリッド）状に表示するために使用される
これらの一覧表にされたチャンネルは、順番にまたは所望の所定の順序でテレビジョン画面上に表示することができる。
　
　(M7)「発明の背景
本発明の好適な実施例では、本発明は、入力信号及び番組情報の調整（コーディネート）に関しており、より詳細には（１）
多数のソースから受信するテレビジョン・スケジュールガイド情報の調整
　
　(M8)「本発明は、テレビジョン・システムの
チャンネル・ガイド情報
チャンネル・ガイド情報の受信
チャンネル・ガイド情報は、多数のテレビジョン信号ソースから受信される。このチャンネル・ガイド情報を受信した後で
システムが該情報を混合分類して所望の順序に並べる
 
　(M10)「特定の実施例の説明
本発明は、テレビ番組及びテレビジョン・スケジュール・ガイド情報を調整する同調方式を提供する。この
テレビジョン・スケジュール・ガイド情報は多数のソースから受信することが可能である
スケジュール情報には、該スケジュール情報が特定のソースからのものであることを識別するソース識別子が設けられている
　
　(M11)「利用者が表示されたガイド内の表示チャンネルの１つに配置されたショーまたはチャンネルを選択すると、システムが
該ショー
に関係したソース識別子を読み取る
　
　(M19)「ＩＲＤボックス２８は、一実施例では、衛星用ディッシュ・アンテナ２９を介してテレビ番組及び
その他の情報を受信する。ＩＲＤボックス２８は、次いで、番組スケジュール情報をシステムに供給する
特定のソースで利用できるチャンネル情報を含んだチャンネル・マップを含ませてもよい。ＤＢＳガイドに関係した情報は、ＩＲＤボックス受信機のＲＡＭ４２に記憶される、即ちダウンロードされる
番組ガイド情報をケーブル・ボックス２６、他の入力３０、アンテナ３４、及びその他の任意の伝送媒体（例えば、専用ツイスト・ペア電話回線）の少なくとも１つを介して受信することができる
これらソースの各々は、サービス提供者により伝送された信号内にテレビジョン・スケジュール・データを含むようにしてもよい
　
　(M21)「・・・好適な実施例では、
テレビジョン・ガイド情報は、利用できるテレビ・チャンネル上の垂直ブランキング期間に供給される
　
　(M27)「別の構成では、番組スケジュール情報の分類／混合は、別個の場所でなされ、そして、例えば、衛星チャンネル上のシステム１０に供給される。・・・例えば、この後者の状況において、利用者が４時間の格子状の案内を見たいと思った時、４時間分の情報のみを
ＲＡＭ３８にセーブ
　
　(M28)「
図２は、テレビジョン・ガイド情報から組み立てられた格子状のスケジュール・ガイドの画面表示の例である。本発明の格子状ガイドはまた、テーマ・ガイド、チャンネル・ガイド及び番組情報を表示するその他のガイドを含んでる
好適な実施例では、コーディネータ２０が利用できる番組ガイド情報を全て収集及び分類し終わった後、コーディネータ２０は、図２に図示した格子状ガイドを生成し、テレビジョン２２の画面上に表示する
符号５０で表される格子状ガイドは、全てのチャンネルまたは選択されたチャンネル５２のラインナップ
例えば、第２チャンネル５８では、午後１時〜２時の間、バットマン６０が放映され、午後２時〜２時３０分の間、ソープ（ホームコメディ）６２が放映される
　
　(M29)「格子状ガイドが使用される場合には、チャンネル５２のラインナップを、（１）チャンネルが番号またはアルファベット順になるように、または（２）チャンネルがそれぞれの特定のソースと関係した順になるように、または（３）チャンネルが利用者がプログラムした混合した順になるように、または（４）チャンネルがその他の任意の配置となるように配列することが可能である。・・・更に、コーディネータ２０が、自動的に利用者の習慣に基づいて、チャンネルのラインナップを行うことができる。このチャンネルの自動配列のモードが利用者により選択されると、利用者の習慣に基づいたアルゴリズムを使用して、
チャンネルの順番５２が決定される。従って、任意の所望の配列でチャンネル５２のラインナップが可能となる。
　
　(M31)「どのソースからどのチャンネルが利用可能かを追跡するために、ソース識別子が各チャンネルに配置される。
ソース識別子の各々は、チャンネル・ガイド情報に含めても良く、あるいは、ソース識別子を、チャンネル・ガイド情報のオリジンに基づいて、システムにより追加するようにしても良い。従って、これらのデータが未だに供給されていなければ、コーディネータ２０は適切な識別子を受信したチャンネル・ガイド情報に付加する
該バットマン６０は、そのチャンネル５８上に配置されたＩＲＤボックス２８を識別するソース識別子を有することになる
　
　(M35)「図３に図示した処理を更に示するために下記の例を説明する。
    ・・・（図１Ｃ参照）。
利用者が、ステップ７０において、第２チャンネル５８上のバットマン６０を選択する
コーディネータ２０は、選択された番組に関係したソース識別子を読み取り
　
（２-２）要件５Ｃ（解釈）
５Ｃ　前記少なくとも２つの異なるソースデバイスから伝送される番組のた
　　　めのテレビジョン番組情報のリストをガイドフォーマットに同時に表
　　　示する手段と、
　
　要件５Ｃは、
　(i)１のソースデバイスから伝送される番組のためのテレビジョン番組情報のリストを表示すること、
　(ii)当該１のソースデバイスとは異なるソースデバイスから伝送される番組のためのテレビジョン番組情報のリストを表示すること、
　(iii)これら２つのテレビジョン番組情報のリストを、ガイドフォーマットに同時に表示すること、
　を特定していると解せられ、また、
　また、
　(iv)表示される「テレビジョン番組情報のリスト」は、利用者がこれを見てその中から少なくとも個々の番組が特定できるような「リスト」でなければならない、と理解される。
　
　〈理由〉
　
　ア　要件５Ｂの「前記少なくとも２つのソースデバイスから
伝送された
番組のための
　要件５Ｃでは「前記少なくとも２つの異なるソースデバイスから
伝送される
　「伝送される」は、
放送された後の
伝送される
　上記(iv)と理解されるのは、要件５Ｄに「前記表示された番組リストからの番組選択」、要件５Ｅに「前記表示された番組リストから番組の利用者選択」とあるからである。
　
　イ　そして、上記(i)〜(iv)を特定していると理解される要件５Ｃの「テレビジョン番組情報のリスト」（の表示）とは、
　本件発明の詳細な説明・図面に照らしてみるに、下記「記Ｃ」の(M8)(M28)(M29)、図２に示される「格子状ガイド（５０）」の、
　チャンネルがＣＨ２の行で、時間が１：００ｐｍ〜２：００ｐｍの列のセルに表示される「バットマン」や、チャンネルがＣＨ２の行で、時間が２：００ｐｍの列のセルに表示される「ソープ」の、
　行列に配列されるこれらセル群のタイトル表示のリストアップ（の表示）を含んでいうものと理解される。
　｛上記それぞれのタイトルの表示は、個々の番組に対応し、
　「バットマン」・「ソープ」・・・のタイトル表示が、利用者がこれを見てその中から少なくとも個々の番組が特定できることは明らかである。｝
　
　　　記Ｃ（本件の発明の詳細な説明（甲１号証）、「ガイド関連」）
　
　(M8)「本発明は、テレビジョン・システムの
チャンネル・ガイド情報を組合せる（マージする
チャンネル・ガイド情報を受信した後で、システムが該情報を混合分類して所望の順序に並べる
最後に、このチャンネル・ガイド情報の表示が生成されて、所望の順序でテレビジョンに表示される
　
　(M28)「図２は、テレビジョン・ガイド情報から組み立てられた格子状のスケジュール・ガイドの画面表示の例である。本発明の格子状ガイドはまた、テーマ・ガイド、チャンネル・ガイド及び番組情報を表示するその他のガイドを含んでる。好適な実施例では、コーディネータ２０が利用できる番組ガイド情報を全て収集及び分類し終わった後、コーディネータ２０は、図２に図示した格子状ガイドを生成し、テレビジョン２２の画面上に表示する。・・・符号５０で表される格子状ガイドは、全てのチャンネルまたは選択されたチャンネル５２のラインナップを、時間５６にそのチャンネルで利用できる番組５４の説明とともに提供する。例えば、第２チャンネル５８では、午後１時〜２時の間、バットマン６０が放映され、午後２時〜２時３０分の間、ソープ（ホームコメディ）６２が放映される。・・・」（８頁１７行〜２８行）
　
　(M29)「格子状ガイドが使用される場合には、
チャンネル５２のラインナップを、（１）チャンネルが番号またはアルファベット順になるように、または（２）チャンネルがそれぞれの特定のソースと関係した順になるように、または（３）チャンネルが利用者がプログラムした混合した順になるように、または（４）チャンネルがその他の任意の配置となるように配列することが可能である
　
　
（２-３）要件５Ｄ（解釈）
５Ｄ　前記表示された番組リストからの番組選択を利用者から受理する手段
　　　と、
　
　要件５Ｄの「番組リスト」は、上記｛（２-２）要件５Ｃ｝のとおり解せられ、「番組リストからの番組選択」は、図３の自動同調、すなわち視聴のための場合と、図４の自動無人録画のための「選択」を含んでいうものと解される。
　要件５Ｄの「選択」は、
　下記「記Ｄ」の(M11)の「利用者が表示されたガイド内表示チャンネルの１つに配置されたショーまたはチャンネルを選択する」の「ショー」の「選択」、
　下記(M33)の「遠隔制御器３２を使用して一定のチャンネルまたは番組を選択して、（１）特定の番組に関連した追加の情報を表示し、または（２）特定のチャンネルまたは番組に同調し、または（３）特定の番組を自動的に録画することができる。」の「番組」の「選択」、
　下記(M34)の「図３は自動同調の処理のフローチャートの一例である。自動同調を開始するには、利用者が所定のチャンネルまたは番組をステップ７０で選択する。この選択は、例えば、カーソルを所望の番組までスクロールさせ、「エンター」キーを押すか・・・」の「番組」の「選択」、
　下記(M35)の「利用者が、ステップ７０において、第２チャンネル５８上のバットマン６０を選択する。」の「選択」、
　下記(M39)の「図４に示したように、利用者がステップ９０においてショウ番組を選択した後、コーディネータが該ショウ番組の開始時間・・・」における「ショー番組」の「選択」
　等をいうものであることは明らかであり、
　図３の自動同調、すなわち視聴のための場合と、図４の自動無人録画のための「選択」を含んでいると解される。
　
　　　記Ｄ（本件の発明の詳細な説明（甲１号証）、「ガイド関連」）
　
　(M11)「利用者が表示されたガイド内の表示チャンネルの１つに配置された
ショー
を選択する
システムが該ショー
に関係したソース識別子を読み取る
ショーに関するチャンネルへの同調を行う
　
　(M33)「利用者は、
遠隔制御器３２を使用して
遠隔制御器３２を使用して
番組を選択して
特定の
番組に同調し
特定の番組を自動的に録画することができる
　
　(M34)「図３は自動同調の処理のフローチャートの一例である。自動同調を開始するには、
利用者が所定の
番組をステップ７０で選択する
この選択は、例えば、カーソルを所望の番組までスクロールさせ、「エンター」キーを押すか
番組が、情報をテレビジョン２２に入力するソースとしての機能を果たす
　
　(M35)「図３に図示した処理を更に示するために下記の例を説明する。この例においては、ＩＲＤボックス２８が利用可能なチャンネル１００〜２００を有しており、該ボックスが、現在テレビジョン２２への入力ソースとなっている（図１Ｃ参照）。更に、ケーブルボックス２６はＩＲＤボックス２８への入力である（図１Ｃ参照）。
利用者が、ステップ７０において、第２チャンネル５８上のバットマン６０を選択する。選択された番組は、ケーブル・ボックス２６からのチャンネルで利用することが可能である
ーディネータ２０は、選択された番組に関係したソース識別子を読み取り、第２チャンネルがケーブルボックス２６からのものであることを、ステップ７２にて決定する。その後、コーディネータ２０は、ステップ７４において、現在のソースがＩＲＤボックス２８であることを判定する
　
　(M39)「
図４に示したように、利用者がステップ９０においてショウ番組を選択した後、コーディネータが該ショウ番組の開始時間が過ぎてしまったか否かをチェックする
選択したショウ番組を提供するチャンネルと関係したソース識別子を読み取る
選択された番組を録画する
」（１０頁３８行〜１１頁１行）
　
（２-４）要件５Ｅ（解釈）
５Ｅ　前記表示された番組リストから番組の利用者選択の受信に応答して、
　　　その番組のソースデバイスを表す前記ソース識別子を前記メモリから
　　　検索する手段と
　　　を備えている、システム。　
　
　
ア　「検索する
　「その番組のソースデバイスを表す前記ソース識別子を前記メモリから
検索する
読み取る
　
　
イ　「応答して
　「利用者選択の受信に
応答して
　「利用者選択の受信」がなされると、（特に何らかの操作をしなくても）自動的に「ソース識別子を前記メモリから検索する（読み取る）」ことをいうものと解される。
　
　〈理由〉
　発明の詳細な説明の記載に照らせば、「前記表示された番組リストから番組の利用者選択」が、図３の自動同調、すなわち視聴のための場合と、図４の自動無人録画のための「選択」を含んでいうものと解されることは上記（２-３）のとおりであるところ、
　視聴（図３，自動同調）の場合、
　「番組をステップ７０で選択する」｛上記「記Ｄ」の(M33)「利用者選択」｝する、
　「利用者が、ステップ７０において、第２チャンネル５８上のバットマン６０を選択する。・・・コーディネータ２０は、選択された番組に関係したソース識別子を読み取り、第２チャンネルがケーブルボックス２６からのものであることを、ステップ７２にて決定する。」｛上記Ｄ(M35)｝とされ、
　番組を「選択する」ステップ７０の次のステップ７２で自動的に前記ソース識別子を前記メモリから読み取ることは明らかであり、「番組の利用者選択」と「識別子の読み取り動作」の関係を「応答して」というものと普通に理解される。
　自動無人録画（図４）の場合は、上記Ｄ(M39)｛特に、「正しい時間（番組の開始時間）が来ると、ＶＣＲ２４がオンされて（ステップ９６参照）、コーディネータ２０があたかも自動同調が起こったかのように作動する。従って、コーディネータ２０は、ステップ７２（図３参照）で選択したショウ番組を提供するチャンネルと関係したソース識別子を読み取る。」｝によれば、
　番組の開始時間が来るまで待機し続け、番組の開始時間が来たとき、ソース識別子を前記メモリから読み取るものである。
　すなわち、「番組の利用者選択」と「識別子の読み取り動作」の間に番組の開始時間が来るまでの待機時間が存在する点が、上記「視聴の場合」と異なる。
　しかしながら、単に待機しているだけで、その間に利用者が何らかの操作をしなくても待機時間が来れば自動的に「識別子の読取り動作」がなされるのであるから、この場合の「番組の利用者選択」と「識別子の読み取り動作」の関係も「応答して」と言うことができるというべきである。
　
　
（３）要件５Ｂ〜５Ｅについての対比
　
（３-１）要件５Ｂ（対比）
　
　ア　「チャンネルガイド情報データ」関連
　「複数のテレビジョン番組の各テレビジョン番組について、」「前記少なくとも２つのソースデバイスから伝送されたテレビジョン番組のためのテレビジョン番組情報を表すチャンネルガイド情報データ」「をメモリに
格納する
　｛「複数のテレビジョン番組の各テレビジョン番組について、
　　(i)「
チャンネルガイド情報データ
　をメモリに
格納する
　　(i)「
チャンネルガイド情報データ
　　　(a)テレビジョン
番組のための
　　　　って、
　　　(ｂ)テレビジョン番組情報を表す「チャンネルガイド情報データ」で
　ある手段」と解される部分｝
　について
　
　ア-１「複数のテレビジョン番組の各テレビジョン番組について、」「テレビジョン
番組のための
格納する
　　甲４発明は、
 「Ｔ：
リスト情報
ケーブルチャンネル割当データ
　
プログラマブルチューナ
  
リスト情報
ケーブルチャンネル割当データ
　更新が必要な場合、プログラマブルチューナ２０２は、データを伝送する局またはケーブルチャンネルへ自動的に同調し、
　ＶＢＩの
リスト情報
ケーブルチャンネル割当データ
　ＣＰＵ２２８によって処理された後、
リスト
ケーブルチャンネル割当データ
ケーブルシステムのチャンネル割当
　ものであり、
　Ｕ１によれば、「スケジュールメモリ２３２に記憶されている
リスト情報
リスト情報
　
　そして、上記「［４-１］（１-２）要件５Ａについての対比」でＵ２の「グリッドガイド」についてした検討結果からすれば、
　甲４発明の「グリッドガイド」は、
　『
利用者に、特定のチャンネルについて、そこで放送される番組の放送予定を、番組情報（「その放送チャンネル情報（「ＨＢＯ」等も含む）」、「タイトル情報」、「放送時間情報」を含む）を示して案内するガイド表示
　すなわち、スケジュールメモリ２３２に記憶された
リスト情報
　上記下線を施した『
利用者に、・・・ガイド表示
　具体的には、『「その放送チャンネル情報（「ＨＢＯ」等も含む）」、「タイトル情報」、「放送時間情報」を含んでいうもの』と解される要件Ｂでいう「
テレビジョン番組のためのテレビジョン番組情報を表すチャンネルガイド情報データ
　
　したがって、甲４発明も、要件５Ｂのうちの上記アと解される部分（｛｝で示した部分）を備えているといえ、
　「複数のテレビジョン番組の各テレビジョン番組について、」「テレビジョン
番組のための
格納する
　
　ア-２「前記少なくとも２つのソースデバイスから伝送された」について
　甲４発明のＴの「
リスト情報
ローカル局またはケーブルチャンネル
局またはケーブルチャンネル
　「リスト情報」は、
　「ソースデバイス」と言い得る、『
オーバジエア
伝送された
　
　イ　「ソース識別子」関連
　「複数のテレビジョン番組の各テレビジョン番組について、各テレビジョン番組のための前記ソースデバイスの前記伝送方式を表すソース識別子をメモリに格納する手段」について
　
　本件発明５Ｂでいう「ソース識別子」は、前記のとおり、
　　(d)各テレビジョン
番組のための
　　(e)前記ソースデバイスの前記伝送方式を表す「ソース識別子」
　であって、
　『利用者に、特定のチャンネルについて、そこで放送される番組の放送予定を、番組情報（「その放送チャンネル情報（「ＨＢＯ」等も含む）」、「タイトル情報」、「放送時間情報」を含む）を示して案内するガイド表示のために用いる、同ガイド表示に対応する情報データ（「その放送チャンネル情報（「ＨＢＯ」等も含む）」、「タイトル情報」、「放送時間情報」を含んでいうもの』と解される「チャンネルガイド情報データ」とは別のもの
　であるところ、
　甲４発明がそのような「ソース識別子」を備えていないことは明らかである。
　したがって、複数のテレビジョン番組の各テレビジョン番組について、かかる「ソース識別子」を「メモリに
格納する
　
　〈請求人の主張について〉
　請求人は、甲４発明の「ケーブルチャンネル割当データ」は、ソースデバイス」を識別する機能を奏するものであるところ、
　本件発明５の「ソース識別子」も「ソースデバイス」を識別する機能を奏するものであることをいうに過ぎないものであるから、
　甲４発明の「ケーブルチャンネル割当データ」は、本件発明５の「ソース識別子」に該当する、と主張している。
　
　しかしながら、甲４発明の「ケーブルチャンネル割当データ」は、本件発明５の「チャンネルガイド情報データ」に含まれるものであって、
　仮に「チャンネルガイド情報データ」が「ソースデバイス」を識別する機能を奏するものであるとしても、
　甲４発明は、「チャンネルガイド情報データ」とは別の「ソース識別子」を備えないことは明らかであり、
　したがって、複数のテレビジョン番組の各テレビジョン番組について、かかる「ソース識別子」を「メモリに
格納する
　したがって、上記請求人の主張は採用できない。
　
　なお、この点の請求人の主張について、後記［４-３］で更に詳しく論じる。
　
　ウ　まとめ｛要件５Ｂ（対比）｝
　以上によれば、
　本件発明５と甲４発明は、
５Ｂ’
複数のテレビジョン番組の各テレビジョン番組について
　　　イスから伝送されたテレビジョン番組のためのテレビジョン番組情報
　　　を表す
チャンネルガイド情報データ
メモリに格納する手段
　を備える点では相違せず、
　上記５Ｂ’の
　ソースデバイスから伝送されたテレビジョン番組のためのテレビジョン番組情報を表す
チャンネルガイド情報データ
　本件発明５では、
　「前記少なくとも２つのソースデバイスから伝送されたテレビジョン番組のためのテレビジョン番組情報を表すチャンネルガイド情報データ」とするのに対して、
　甲４発明では、
　「少なくとも２つのソースデバイスから伝送されそたチャンネルガイド情報データ」とはしていない点、
　
　上記５Ｂ’の
　
複数のテレビジョン番組の各テレビジョン番組について
チャンネルガイド情報データ
メモリに格納する
　本件発明５では、
　上記「チャンネルガイド情報データ」だけでなく、
　上記「チャンネルガイド情報データ」とは別の、
　「各テレビジョン番組のための前記ソースデバイスの前記伝送方式を表すソース識別子」も、
　「複数のテレビジョン番組の各テレビジョン番組について、」「メモリに格納する」、とするのに対して、
　甲４発明は、
  「複数のテレビジョン番組の各テレビジョン番組について、」「各テレビジョン番組のための前記ソースデバイスの前記伝送方式を表すソース識別子」を、「メモリに格納する」
　とはしていない点、
　で相違する。
　
（３-２）要件５Ｃ（対比）
５Ｃ　前記少なくとも２つの異なるソースデバイスから伝送される番組のた
　　　めのテレビジョン番組情報のリストをガイドフォーマットに同時に表
　　　示する手段と、
　
　甲４発明でも、
　「ＴＶ視聴中、リモートコントローラーの『ＴＶ内容確認キー１４２』により発せられる『ＴＶ内容確認コマンド』により『ＴＶ内容確認要求』がなされると、スケジュールメモリ２３２に記憶されている
リスト情報
　「Ｕ２：ＴＶグリッドガイドは、その一部が、ＴＶスクリーン上に表示されている（図１に示されるグリッドガイド２４）ものであり、
　各チャンネルに対応する各行
　　（最上行は各時間帯を案内する行であって、各列に表示されるセルの
　　　時間帯が、その列位置で示されることを案内する行）と、
　各時間帯に対応する各列
　　（最左列は各チャンネルを案内する列であって、各行に表示されるセル
　　　のチャンネルが、その行位置で示されることを案内する列）
　で区画された各セルが、各『番組リスト（番組項目）』に対応するように各『番組リスト（番組項目）』のスケジュールを示す、
　チャンネルと時間のグリッドガイドであって、
　各『番組リスト（番組項目）』は、該当セルにそのタイトルが表示され、そのチャンネルが該当セルの行位置で、その時間帯が該当セルの列位置で示されるように構成され、
　各時間帯を案内する最上行に続いて、ユーザの好きなチャンネルの行だけが、
オーバジエア放送の局
　としていて、
　
　モニタ−２１０のＴＶスクリーン上に表示されるグリッドガイド２４は、
　本件の図２に示される「画面表示された格子状ガイド（５０）」と本質的に異ならないガイドの画面表示といえることは明らかであり、
　したがって、甲４発明も、要件５Ｃで特定する表示手段を備えていると言うことができる。
　
　念の為、以下にみておく。
　
　モニタ−２１０のＴＶスクリーン上に表示されるグリッドガイド２４は、
　行列に配列される各セルに、タイトル表示を伴う各『番組リスト（番組項目）』が示されるところ、
　そのタイトル表示を伴う各『番組リスト（番組項目）』は、本件の図２の「画面表示された格子状ガイド（５０）」の各マス（セル）に示される、例えば「バットマン」等の「タイトル情報」と同じであり、
　甲４発明の、そのタイトル表示を伴う各『番組リスト（番組項目）』の
リストアップ
　上記「（２-２）要件５Ｃ（解釈）」で既に検討したことから、行列に配列されるセル群のタイトル表示のリストアップを含んでいうものと理解される、要件５Ｃの「テレビジョン番組情報のリスト」ということができ、
　したがって、要件５Ｃでいう「テレビジョン番組情報のリストをガイドフォーマットに表示する」ものといえることは明らかである。
　｛なお、［３］（１）ア-１で前記したように、甲４における上記『番組リスト（番組項目）』は、“リスト”とは称するものの、本件発明５（要件５Ｃ）でいう「テレビジョン番組情報のリスト」に相当するものではなく、
　甲４における上記『番組リスト（番組項目）』の
リストアップ
　
　そして、グリッドガイド２４の各セルに示される、タイトル表示を伴う各『番組リスト（番組項目）』のリストアップは、
　・
オーバジエア放送の局
　・ケーブルサービス名『Ａ＆Ｎ』『ＣＮＮ』・・・『ＴＮＴ』」の行の各セルに示される、タイトル表示を伴う各『番組リスト（番組項目）』のリストアップ（後者）と
　をガイドフォーマットに同時に表示したものであり、
　前者のリストアップは、
　本件発明５でいう「ソースデバイス」といい得る『
オーバジエア
　後者のリストアップは、これとは「異なるソースデバイス」といい得る『ケーブルの放送信号送出側装置』から伝送される番組のためのテレビジョン番組情報のリストといえることは、　
　上記「［４-１］（１-２）要件５Ａについての対比」でＵ２の「グリッドガイド２４」について既に検討したことから明らかである。
　
　したがって、要件５Ｃが特定していると解される上記(i)〜(iii)、
　すなわち、
　(i)１のソースデバイスから伝送される番組のためのテレビジョン番組情報のリストを表示すること、
　(ii)当該１のソースデバイスとは異なるソースデバイスから伝送される番組のためのテレビジョン番組情報のリストを表示すること、
　(iii)これら２つのテレビジョン番組情報のリストを、ガイドフォーマットに同時に表示すること、
　を満たしている。
　
　また、グリッドガイド２４の各セルに示される、タイトル表示を伴う各『番組リスト（番組項目）』のリストアップは、
　利用者がこれを見てその中から少なくとも個々の番組が特定できるような「リスト」といえることも明らかであり、
　上記(iv)「表示される「テレビジョン番組情報のリスト」は、利用者がこれを見てその中から少なくとも個々の番組が特定できるような「リスト」でなければならない」も満たしている。
　
　以上によれば、甲４発明も、上記要件５Ｃを備えているといえ、要件５Ｃにおいて、本件発明５と甲４発明は相違しない。
　
（３-３）要件５Ｄ、５Ｅ（対比）
５Ｄ　前記表示された番組リストからの番組選択を利用者から受理する手段と、
５Ｅ　前記表示された番組リストから番組の利用者選択の受信に応答して、
　　　その番組のソースデバイスを表す前記ソース識別子を前記メモリから
　　　検索する手段と
　　　を備えている、システム。　
　
　要件５Ｄの「番組リストからの番組選択」は、図３の自動同調、すなわち視聴のための場合と、図４の自動無人録画のための「選択」を含んでいうものと解されることは上記の通りである。
　
　ア　甲４発明は、
　「Ｖ：グリッドガイド２４が表示されている状態でのコマンド受付と動作」で「Ｖ３：『記録コマンド』（リモートコントローラーの『記録キー１４８』に対応すると考え得る。）
　
オンスクリーンスケジュールからタイトルを選択
プログラム
　グリッドガイド２４が表示されている状態で、カーソルを、特
定の『番組リスト』に位置させて『記録コマンド
　当該『番組リスト』が
オーバジエア放送の局
番組
　・その『
タイトル
　・その『番組リスト』が放送される『
チャンネル
　・その『番組リスト』の放送『
開始時間及び長さ
　が
記録メモＲＡＭメモリ２３６へコピーされ
　
システムクロック２３０が、
開始時間
と一致すると、
記録メモＲＡＭメモリ２３６
　が読み出され、
　『ケーブルサービス名』のままで記憶されていた場合は、『ケーブルシステムのチャンネル割当』に変換し、
　
ＣＰＵ２２８は、
ケーブルデコーダユニットの部分として構成されているプログラマブルチューナがどの局に同調すべきかをプログラマブルチューナが理解し得るように示す同調チャンネル識別子を含むコマンドを、ケーブルデコーダのプログラマブルチューナへ転送し、パワーオン及び記録コマンドをＶＣＲ２０６へ転送することにより、その『番組リスト』が示す番組の自動録画を開始させる
　ものである。
　
　イ　要件５Ｄ（対比）
　上記グリッドガイド２４の表示が、本件発明５の「前記表示された番組リスト」と言えることは、前記（３-２）のとおりであるから、
　上記「グリッドガイド２４が表示されている状態で、カーソルを、
特定の『番組リスト』に位置させて『記録コマンド』
　甲４発明も、「前記表示された番組リストからの番組選択を利用者から受理する手段」を備えているといえ、
  要件５Ｄにおいて、本件発明５と甲４発明は相違しない。
　
　甲４発明では、
　(i)「グリッドガイド２４が表示されている状態で、カーソルを特定の『番組リスト』に位置させ、『ＴＶ内容確認コマンド』が発せられる」（Ｖ１）、
　(ii)「グリッドガイド２４が表示されている状態で、カーソルを特定の『番組リスト』に位置させ、『選択コマンド』が発せられる」（Ｖ２）としていて、
　これらのことからも、甲４発明が、要件５Ｄ：「前記表示された番組リストからの番組選択を利用者から受理する手段」を備えているといい得るものであり、
  要件５Ｄにおいて、本件発明５と甲４発明は相違しない。
　
　ウ　要件５Ｅ（対比）
　「（３-１）要件５Ｂ（対比）」で検討したように、甲４発明は、「ソース識別子」を備えない。
　したがって、要件５Ｅの手段を備えていないことは明らかである。
　
　念の為、以下にみておく。
　甲４発明は、上記アのとおり「グリッドガイド２４が表示されている状態で、カーソルを、
特定の『番組リスト』に位置させて『記録コマンド』
　「・その『番組リスト』が放送される『
チャンネル
「
が記録メモＲＡＭメモリ２３６へコピーされ」るところ、
チャンネル
　本件発明５でいう「前記記表示された番組リストから番組の利用者選択の受信に応答して前記メモリから検索する」といい得ることができる。
　もっとも、検索するのは、「・その『番組リスト』が放送される『
チャンネル
　また、
　「
システムクロック２３０が、
開始時間
と一致すると、
記録メモＲＡＭメモリ２３６
　が読み出され、
　『ケーブルサービス名』のままで記憶されていた場合は、『ケーブルシステムのチャンネル割当』に変換し、
　
ＣＰＵ２２８は、
プログラマブルチューナ
プログラマブルチューナ
同調チャンネル識別子を含むコマンドを
ケーブルデコーダ２０２のプログラマブルチューナへ
　『開始時間』になると、『ケーブルサービス名』に対応する『ケーブルシステムのチャンネル割当』を
記録メモＲＡＭメモリ２３６から読み出している（「検索する」）ことは明らかである。
　また、
ＣＰＵ２２８が、プログラマブルチューナへ
プログラマブルチューナ
プログラマブルチューナ
同調チャンネル識別子を含むコマンド
　
　また、上記「イ　要件５Ｄ（対比）」でみた、
　(i)『ＴＶ内容確認コマンド』が発せられる」（Ｖ１）場合、これに応答して、『単一チャンネル行ガイド５８』への表示に遷移するのであるから、
    選択した『番組リスト』が放送される『
チャンネル
　
　(ii)「グリッドガイド２４が表示されている状態で、カーソルを特定の『番組リスト』に位置させ、『選択コマンド』が発せられる」場合、これに応答して、選択した『番組リスト』の『番組ノート５２』を表示するのであるから、選択した『番組リスト』の『番組ノート５２』をメモリから検索するとはいい得るものの、「ソース識別子」を検索するものではない。
　
［４-２］本件発明５と甲４発明の一致点、相違点
　
　以上の対比結果によれば、本件発明５と甲４発明（システムの発明）との一致点、相違点は次のとおりということができる。
　
　［一致点］
５Ａ　異なる伝送方式のための少なくとも２つのソースデバイスを用いる少
　　　なくとも２つのソースからの信号をテレビジョンの一つ以上の入力に
　　　よって受信するシステムであって、各ソースデバイスは、複数のテレ
　　　ビチャンネルを伝送するように動作可能であり、
　　　前記システムは、
５Ｂ’
複数のテレビジョン番組の各テレビジョン番組について
　　　イスから伝送されたテレビジョン番組のためのテレビジョン番組情報
　　　を表す
チャンネルガイド情報データ
メモリに格納する手段
５Ｃ　前記少なくとも２つの異なるソースデバイスから伝送される番組のた
　　　めのテレビジョン番組情報のリストをガイドフォーマットに同時に表
　　　示する手段と、
５Ｄ　前記表示された番組リストからの番組選択を利用者から受理する手段
　　　と、
　　　を備えている、システム
　
　［相違点］
　
　［相違点１］
　上記５Ｂ’の
　ソースデバイスから伝送されたテレビジョン番組のためのテレビジョン番組情報を表す
チャンネルガイド情報データ
　本件発明５では、
　「前記
少なくとも２つの
　甲４発明では、
　「少なくとも２つのソースデバイスから伝送されそたチャンネルガイド情報データ」とはしていない点
　
　［相違点２］
　上記５Ｂ’の
　
複数のテレビジョン番組の各テレビジョン番組について
チャンネルガイド情報データ
メモリに格納する
　本件発明５では、
　上記「チャンネルガイド情報データ」だけでなく、
　上記「チャンネルガイド情報データ」とは別の、
　「各テレビジョン番組のための前記ソースデバイスの前記伝送方式を表すソース識別子」も、
　「複数のテレビジョン番組の各テレビジョン番組について、」「メモリに格納する」、とするのに対して、
　甲４発明は、
  「複数のテレビジョン番組の各テレビジョン番組について、」「各テレビジョン番組のための前記ソースデバイスの前記伝送方式を表すソース識別子」を、「メモリに格納する」
　とはしていない点、
　
　［相違点３］
　本件発明５は、
５Ｅ　前記表示された番組リストから番組の利用者選択の受信に応答して、
　　　その番組のソースデバイスを表す前記ソース識別子を前記メモリから
　　　検索する手段
　を備えているのに対して、
　甲４発明は、
　要件５Ｅの手段を備えていない点
　
　
［４-３］請求人の主張（一致点、相違点、「ソース識別子」）について
　
　請求人は、本件発明５と甲４発明との一致点、相違点に関して、
　甲４発明の「ケーブルチャンネル割当データ」は、本件発明５の「ソース識別子」に該当するから、甲４発明も「ソース識別子」を備えるとし、このことを前提に、
　本件発明５と甲４発明とは、
　要件５Ａ、５Ｃ、５Ｄのほか、５Ｂと、５Ｅの「
応答して
検索する
　甲４発明が、要件５Ｅの「
応答して
検索する
　と主張している。
　
　そこで、ここで、上記請求人の主張について検討しておく。
　
（１）請求人の主張とその根拠・理由
　ａ　請求人は、甲４発明の「ケーブルチャンネル割当データ」は、本件発明５の「ソース識別子」に該当するとし、
　これを前提に、
　ｂ　甲４も、「各テレビジョン番組のための前記ソースデバイスの前記伝送方式を表すソース識別子」を備え、該「ソース識別子をメモリに格納する」ものであるから、要件５Ｂと、５Ｅの「
応答して
検索する
　
　そして、上記ａ、ｂの主張の根拠・理由の骨子は、以下のａ-１〜ａ-４，ｂ-１と思われる｛【第３-１】請求人の主張の［３-１］の４イ-３〜４イ-５参照｝。
　
　〈根拠・理由〉
　ａ-１．甲４において、特定のケーブルチャンネルに同調するのはチューナの機能を有するケーブルデコーダであり、オーバジエア放送のチャンネルに同調するのは、チューナの機能を有するケーブルデコーダとは異なるアンテナ２００に接続されたＴＶチューナである。
　甲９〜甲１４号証（口頭審理陳述要領書添付）からみて、図２２Ａでボックスで示される上記「
プログラマブル
チューナ
　
　ａ-２．甲４において、選択した『番組リスト』がケーブル放送の番組リストである場合、
　「ケーブルチャンネル割当データ」により、ケーブルチャンネルに同調するために、ケーブルデコーダを使いアンテナ２００に接続されたＴＶチューナは使わないという選択がなされるから、「ケーブルチャンネル割当データ」はソースデバイスを識別するという機能も奏するといえ、
　「ソースデバイス」を識別する機能を奏するものであることをいうに過ぎない本件発明５の「ソース識別子」と異なるものではない。
　
　ａ-３．上記ａ１〜ａ３であるから、
　甲４の「ケーブルチャンネル割当データ」は、本件発明５の「ソース識別子」に該当する。
　
　ａ-４．甲４には、オーバジエア放送に対応するソース識別子について明示の記載はないが、オーバジエア放送のチャンネルの場合、オーバジエア放送に同調するために、アンテナ２００に接続されたＴＶチューナを使いケーブルデコーダを使わないという選択がなされるから、オーバジエア放送に対応する識別子も、明示はなくとも、使用されているはずであり、その『使用されているはずの「オーバジエア放送に対応する識別子」』は、
　「ソースデバイス」を識別する機能を奏するものであることをいうに過ぎない本件発明５の「ソース識別子」と異なるものではなく、本件発明５の「ソース識別子」に該当する。
　
　ｂ-１．「ケーブルチャンネル割当データ」、『使用されているはずの「オーバジエア放送に対応する識別子」』を、「ケーブル指定のＲＡＭメモリ２３８」「に記憶（格納）する」ことは、「前記ソースデバイスの前記伝送方式を表すソース識別子をメモリに格納する」に該当する。
　
（２）検討　
　
　ア　上記ａ-１について
　・甲４の請求項、発明の詳細な説明における「
プログラマブルチューナ
プログラマブルチューナ
プログラマブルチューナ
　甲４のどこにも、
プログラマブルチューナ
　・本件出願の優先日（平成７年４月１７日）の相当前から、地上波ＴＶ放送と共にケーブルテレビ放送にも同調でき、それらの両方を受信する（１つの）チューナは周知かつ一般的であったと認められること(下記周知例参照。）、
　・さらに、甲４の前掲(K24)，図２２Ｂには、
ケーブルデコーダ
プログラマブル
チューナ
プログラマブル
チューナ
　からすれば、
　甲４発明の「
ケーブルデコーダユニットの部分として構成されているプログラマブルチューナ
　
オーバジエア放送の
ケーブルサービス
　それら前者にのみ同調するチューナと、これとは異なる後者（ケーブル）にのみ同調するチューナの２つのチューナとはいえず、
　また、図２２Ａでボックスで示される「
プログラマブルチューナ
　
　また、この点に関して、請求人は甲９〜甲１４号証を提出しているが、その何れも、上記判断を覆し、甲４号証の図２２Ａでボックスで示される「
プログラマブル
チューナ
　
　したがって、上記請求人の主張ａ-１は採用できない。
　　
　　　　　　　　記（周知例）
　(1)周知例１：特開昭６０−２４７３６号公報
　　｛第１図、２頁右上欄１３行〜左下欄６行、３頁右上欄１６行〜左下欄
　　　１６行等参照｝
　(2)周知例２：特開平２−２０１１４号公報
　　｛２頁右上欄１６行〜左下欄１７行等参照｝
　(3)周知例３：特開昭６１−２１２１１０号公報
　　｛１頁右下欄７行〜２頁左上欄２行、２頁左下欄４行〜右下欄２行
　　　等参照｝
　(4)周知例４：特開昭６３−１９４４０７号公報
　　｛１頁右下欄６行〜２頁左上欄６行、２頁左下欄７行〜右下欄７行
　　　等参照｝
　
　イ　上記ａ-２〜ａ-４について
　「
プログラマブル
チューナ
　甲４発明では、
プログラマブル
チューナ
プログラマブルチューナ
　
　すなわち、「プログラマブルチューナ２０２（図２２Ａ）」は、
　スケジュールシステム１８０（図２２Ａ）の記録メモＲＡＭから（『ケーブルサービス名』のままで記憶されていた場合は、『ケーブルシステムのチャンネル割当』への変換を介して）、
　『チャンネル』又は『ケーブルシステムのチャンネル割当』に対応する、その『番組リスト』を放送する局を特定する情報であって、
プログラマブルチューナ
同調チャンネル識別子を含むコマンドを
　その同調は、『
オーバジエア
　結果として、
プログラマブルチューナ
オーバジエア
　
　もっとも、そうであるからといって、
　甲４発明の『チャンネル』又は『ケーブルシステムのチャンネル割当』が、本件発明５でいう「ソース識別子」であるとは言えないこと、
　甲４発明がその構成においても本件発明の要件５Ｂ、５Ｅを備えているとはいえないことは、前記「（３-１）要件５Ｂ（対比）｛特に、イ〈請求人の主張について〉）、（３-３）」において理由と共に示したとおりである。
　
　したがって、上記請求人の主張は採用できない。
　
　〈「ソース識別子」の技術的意義〉
　そして、本件発明５の「ソース識別子」は、以下にみるように、甲４発明の『チャンネル』又は『ケーブルシステムのチャンネル割当』には奏し得ない技術的意義を奏するものである。
　
　上述した甲４発明の『チャンネル』又は『ケーブルシステムのチャンネル割当』（これらに対応する、放送する局を特定する情報であって、
プログラマブルチューナ
プログラマブルチューナ
同調チャンネル識別子
プログラマブルチューナ
　
プログラマブルチューナ
同調チャンネル識別子を含むコマンド
  本件発明の詳細な説明の下記「記Ｅ」の(M1)〜(M7)，(M42)の記載（特に下線部）によれば、
　本件発明５は、
　そのようなテレビジョンの装置、すなわち、
プログラマブルチューナ
同調チャンネル識別子を含むコマンド
　−そのようなテレビジョンの装置とは、
ＤＢＳ衛星入力とローカル入力とを自動的に切換え可能に構成されているＤＢＳ受信機で
　を、認識した上で、
　そのようなテレビジョンの装置では対処し得ない場合、すなわち、
　・ＤＢＳサービスの他、利用者がケーブルと共にローカル・アンテナ・ソースの双方からテレビチャンネルを受信している場合や、
　・２つのソースを２つの入力ポートへ結合した、手動で入力切替するテレビジョンの場合｛下記(M4)｝、
　にも容易に適用できるようにし、より万能な自動切換とすることを課題とし、
　そのような課題を解決するために、「チャンネルガイド情報データ」とは別に「ソース識別子」を導入し、
　更に、最終の利用者または消費者が手動操作をしなければならない部分が存在するとしても、最小の操作に止められるようにする課題を解決するために、テレビジョン・システムのチャンネル・ガイド情報を組合せた（マージした）ガイドの生成とソース識別子によるソースの自動切換えを組み合わせた構成（５Ａ〜５Ｅ）を採るものといえ、
　「ソース識別子」について要件５Ｂで規定する、
　複数のテレビジョン番組の各テレビジョン番組について、（「チャンネルルガイド情報データ」とは別の）各テレビジョン番組のための前記ソースデバイスの前記伝送方式を表すソース識別子をメモリに格納する、
　との規定は、上記の課題を解決するという、甲４発明の『チャンネル』又は『ケーブルシステムのチャンネル割当』には奏しえない技術的意義を奏するものである。
　
　本件発明５が、「ソース識別子」を、チャンネル情報を含む「チャンネルガイド情報データ」とは別のものとして規定する意義は重要であり、かかる重要性を無視して、甲４発明の『チャンネル』又は『ケーブルシステムのチャンネル割当』が本件発明５の「ソース識別子」に該当するとはいえないことは、以上の点から見ても明らかである、
　
　したがって、かかる「ソース識別子」の技術的意義からみても、上記請求人の主張は採用できない。
　
　　　　　記Ｅ（本件の発明の詳細な説明（甲１号証）、
　　　　　　　課題・「ソース識別子」の意義関連）
　(M1)「発明の背景
従来の技術として、テレビジョン・スケジュール・ガイドに関する情報を提供する装置が幾つかある。これらの情報は、利用可能なチャンネル及び該チャンネルそれぞれのテレビ番組を、スクリーン上に格子（グリッド）状に表示するために使用される
　(M2)「数多くの異なる伝送方式が、テレビジョン・スケジュール・ガイドに必要とされる情報の提供に、利用可能である。例えば、
直接放送衛星システム（ＤＢＳ）
　(M3)「利用者がＤＢＳに加入している場合には、画面表示（オンスクリーン・ディスプレイ）生成装置を有する別体の統合型受信デコーダ（ＩＲＤ）ボックスが通常提供される。通常、ＩＲＤボックスには、最低でも受信機及びチューナが含まれている。ＤＢＳ加入者は、ＤＢＳサービスの提供者が提供／管理する番組ガイドに加えて、潜在的には何百と言ったテレビ・チャンネルへのアクセスが可能となる。不都合なことには、
通常ＤＢＳシステムはローカル・ネットワーク即ち地方の独立系チャンネルを受信しない。これらの受信できないローカル・チャンネルを受信するために、幾つかのＤＢＳ受信機では、ＤＢＳ衛星入力とローカル入力とを自動的に切換え可能に構成されている。この自動切換えは、ＩＲＤボックスをテレビジョン（該テレビジョンに接続されてＶＣＲ）と、ローカル線（ローカル・ケーブルまたはローカル・アンテナ）との間に配置することにより、可能にされている。ローカル・チャンネルが利用者により選択されると、ＩＲＤボックスが自動的にＤＢＳサービスの受信をやめて、ローカル入力へのバイパスとなる。利用者は、手動または遠隔制御によりローカル・チャンネルを選択することができる
　(M4)「
これに対して、利用者がケーブル及びローカル・アンテナ・ソースの双方からテレビチャンネルを受信している場合、話は異なってくる。利用者のテレビジョンが多数テレビジョン入力ポートを備えている場合は、２つのソースを容易に２つの入力ポートへ結合することが可能である
　(M5)「利用者のテレビジョンが多数の入力を備えていなかった場合には、多数のソース及びテレビジョン入力に取付られた手動スイッチ・ボックスを利用することができる。この解決策では、利用者は、あるソースから別の所望のソースへの切換えを手動で行わなければならない。例えば、利用者がローカル・ニュースを見たいと思った時には、スイッチをケーブルにセットして、
利用者がケーブルからローカル・アンテナへ手動で切換えを行わなければならない。遠隔制御と自動化が当たり前となった社会においては、この解決策は多くの消費者に受け入れられないものである。更に、チャンネル間の手動切換えは、チャンネル・ソース数が増えるにつれて、より複雑になる
　(M6)「
ＩＲＤボックス、多数のテレビジョン入力ポート、手動切換え装置等では、前記の問題点に対する自動的切換えを可能にする解決策を提供することは不可能であり、斯かる問題点は場合によっては部分的にしか解決されず、より万能な技術が必要とされている
　(M7)「本発明の好適な実施例では、本発明は、入力信号及び番組情報の調整（コーディネート）に関しており、より詳細には
（１）多数のソースから受信するテレビジョン・スケジュールガイド情報の調整
２）所望の信号ソースへの自動切換え
３）所望のテレビ番組への同調に関する
　(M42)「
コーディネータ２０を使用することにより、利用者は、テレビ番組ソースを手動で選択することも、手動で所望のチャンネルまたは番組への同調を行うことも不要になる。更に、システム１０が可能とする自動受信、格子状ガイドの生成、切換え及び同調により、最終の利用者または消費者が手動操作をしなければならない部分が存在するとしても、最小の操作に止められている。
　
　
［４-４］本件発明５の進歩性欠如（容易想到性）についての判断
　　　　（本件発明５と甲４発明の相違点についての判断）
　
（１）［相違点１］の克服の容易想到性について
　
　甲４発明の「ソースデバイスから伝送されたテレビジョン番組のためのテレビジョン番組情報を表す
チャンネルガイド情報データ
　少なくとも
２つの
　とすることで、上記［相違点１］は克服されるところ、
　かかる［相違点１］の克服は、以下にみるように、当業者が容易に想到し得ることである。
　
　甲４発明の「リスト情報」（
チャンネルガイド情報データ
　「ソースデバイス」と言い得る、『
オーバジエア
　この「リスト情報」が、
　・『
オーバジエア
る
る
る
る
　の両方のガイドデータを含んでいることは明らかである。
　｛「リスト情報」に基づいて表示されるグリッドガイド２４ の、
　　・
オーバジエア放送の局
オーバジエア
　　・ケーブルサービス名（アルファベット順）『Ａ＆Ｅ』『ＣＮＮ』・・・『ＴＮＴ』」の行に、『ケーブルの放送信号送出側装置』から放送される『番組リスト』が表示される（Ｕ２）ことから、明らかである。｝
　
　これは、つまり、『
オーバジエア
　 他の『放送信号送出側装置』（Ｙ）は自身（Ｙ）から放送される番組の『番組リスト』のリスト情報を伝送していない状況を意味している。
　かかる状況において、他の『放送信号送出側装置』（Ｙ）が、自身（Ｙ）から放送される番組の『番組リスト』のリスト情報について、利用者の便宜を図る上でも、自身（Ｙ）から伝送する、とすることは、ごく自然な普通の発想というべきである。
　そして、他の『放送信号送出側装置』（Ｙ）が、自身（Ｙ）から放送される番組の『番組リスト』のリスト情報を、自身（Ｙ）から伝送するようにするのに対応するべく、
　甲４発明のシステム（プログラマブルチューナ２０２）も、他の『放送信号送出側装置』（Ｙ）のリスト情報を伝送する局に自動的に同調するように変更して、他の『放送信号送出側装置』（Ｙ）から伝送されたリスト情報（チャンネルガイド情報）を受信してメモリに格納するようにすることも、当業者が容易に想到し得ることである。
　
　したがって、上記［相違点１］の克服は、当業者が容易に想到し得ることである。
　
（２）［相違点２］、［相違点３］の克服の容易想到性について
　
（２-１）［相違点２］・［相違点３］の克服
　
　〈相違点２の克服〉
　甲４発明の、
　
複数のテレビジョン番組の各テレビジョン番組について
チャンネルガイド情報データ
メモリに格納する
　上記「チャンネルガイド情報データ」だけでなく、
　上記「チャンネルガイド情報データ」とは別の、
　「各テレビジョン番組のための前記ソースデバイスの前記伝送方式を表すソース識別子」も、
　「複数のテレビジョン番組の各テレビジョン番組について、」「メモリに格納する」、
　とすることで、上記［相違点２］は克服され、
　
　〈相違点３の克服〉
　甲４発明に、
５Ｅ　前記表示された番組リストから番組の利用者選択の受信に応答して、
　　　その番組のソースデバイスを表す前記ソース識別子を前記メモリから
　　　検索する手段
　を付加することで、上記［相違点３］は克服される。
　
（２-２）相違点２・相違点３の克服の容易想到性
　　　
　上記〈相違点２の克服〉も、上記〈相違点３の克服〉も、以下にみるように、いずれも、当業者が容易に想到し得ることであるとはいえない。
　
　ア　甲５号証
　甲５号証には、前記「【第４-３】［２］（２）」で摘示した(サ)〜(タ)の記載が認められる。
　
　ア-１　甲５号証記載の発明
　放送ネツトワーク（たとえば、ＡＢＣ、ＮＢＣおよびＣＢＣ）は、「有線（ケーブル）サービス」と並列的に記載されていることなどから、無線電波による放送ネツトワークといえ、したがって、
　上記(サ)〜(タ)によれば、
　「無線電波による放送ネツトワーク（たとえば、ＡＢＣ、ＮＢＣおよびＣＢＣ）と共に多数の有線（ケーブル）サービス・ネツトワーク（たとえば、ＨＢＯ、ＥＳＰＮ・Ｃｉｎｅｍａｘ、等）があり、視聴者にとつてはどのチヤンネル番号がどのネツトワークに対応しているか憶えきれないという問題があり｛(サ)｝、
　そのような問題を解決すべく、視聴者がネツトワークの名称のテキスト・ラベルを入力させ、そのラベルに同調させるべき特定チヤンネルを関連づけることのできる同調システムを提供することを課題とし｛(シ)｝、
  視聴者が、ネットワークの名称等の「テキストラベル」を手持ち遠隔制御ユニットで入力すると、入力したそのテキストラベルがメモリ中にあるかどうかサーチし、ラベルが見つかればそのラベルに相当するチャンネルにチューナが同調し、視聴者がそのチャンネルで放送されている番組を視聴できるようにした同調システム｛(ス)〜(タ)｝」（以下、「甲５発明ａ」という。）
　が記載されている、ということができる。
　
　請求人は、上記摘示(サ)〜(タ)から、甲５号証には、
　『
無線電波による放送ネツトワークのチャンネルとケーブルサービスのネットワークのチャンネルのいずれのチャンネルについても
　視聴者が、ネットワークの名称等の「テキストラベル」を手持ち遠隔制御ユニットで入力するだけで、入力したそのテキストラベルがメモリ中にあるかどうかサーチし、ラベルが見つかればそのラベルに相当するチャンネルであって、上記
何れのネットワークのチャンネルについても
　が記載されている旨、主張している。
　
　上記摘示(サ)〜(タ)から、請求人が記載されているとする上記「甲５発明ｂ」が記載されているとまでいえるかは定かではないが、
　以下、甲５号証には、上記「甲５発明ｂ」が記載されているとして論じることとする。
　
　ア-２　容易想到性
　上記甲５発明ｂは、
　甲４号証の(K22)「プログラム機能を有す多くのユニバーサルリモートコントローラーがあるが、その一方で、ユーザーが局名及びケーブルチャンネル名といった総称を入力できるものは存在せず、
ＶＣＲまたはケーブルデコーダに同調させるためにＣＰＵに名前を特定のチャンネルに変換させている。これは、ＣＰＵ２２８及びリモートコントローラー２１２中のケーブル指定ＲＡＭ２３８を備えることによって実現している
　本件発明５の「ソース識別子」を示すものでも、本件発明５の「ソース識別子」の奏する上記技術的意義｛上記「［４-３］（２）検討イ〈「ソース識別子」の技術的意義〉参照｝を示すものでもなく、
　したがって、上記甲５発明ｂは、
　上記［相違点２］・［相違点３］に係る本件発明５の構成を示すものでないことも、
　上記〈相違点２の克服〉〈相違点３の克服〉をして、上記［相違点２］・［相違点３］に係る本件発明５の構成に至らしめる示唆はもちろん、同構成に至るに足る動機付けを示すものでもないことも明らかである。
　
　したがって、甲５号証記載の発明に基づいて上記〈相違点２の克服〉〈相違点３の克服〉が当業者が容易になし得たことである、とはいえない。
　
　イ　まとめ（相違点２・相違点３の克服の容易想到性）
　また、他に、上記甲４発明を出発点として、上記［相違点２］・［相違点３］に係る本件発明５の構成に至らしめるに足る動機付けも構成も見いだすことはできない。
　以上によれば、上記〈相違点２の克服〉も〈相違点３の克服〉も、困難であり、当業者が容易になし得たことであるとはいえない、
　
（３）まとめ（本件発明５の進歩性欠如（容易想到性）の判断）
　以上によれば、本件発明５は、甲４号証記載の発明及び甲５号証記載の発明に基づいて当業者が容易に発明をすることができたものである、とすることはできない。
　したがって、本件発明５に係る特許は特許法第２９条第２項の規定に違反してなされたものであるから同法第１２３条第１項第２号に該当し無効とすべきものである、とすることはできない。
　
［５］本件発明２について
［５-１］本件発明２と甲４発明（方法の発明）の対比、一致点、相違点
　
　〈対比〉
　前記のとおり、本件発明５は「システム」の発明、本件発明２は「システムを使用する方法」の発明であって、前者の構成要素が「手段」で記載され、後者の構成要素が「ステップ」で記載されているものの、それらの相違を除き両者間に実質的な相違はなく、
　本件発明２と甲４発明（方法の発明）の対比については、前記「［４-１］本件発明５と甲４発明（システムの発明）の対比」を援用する。
  　
　〈一致点、相違点〉
　本件発明２と甲４発明（方法の発明）との一致点、相違点は次のとおりということができる。
　
　［一致点］
２Ａ　異なる伝送方式のための少なくとも２つのソースデバイスを用いる少
　　　なくとも２つのソースからの信号がテレビジョンの一つ以上の入力に
　　　よって受信されるシステムで使用する方法であって、各ソースデバイ
　　　スは、複数のテレビチャンネルを伝送するように動作可能であり、
　　　前記方法は、
２Ｂ’
複数のテレビジョン番組の各テレビジョン番組について
　　　イスから伝送されたテレビジョン番組のためのテレビジョン番組情報
　　　を表す
チャンネルガイド情報データ
メモリに格納するステップ
と各テレビ
　　　ジョン番組のための前記ソースデバイスの前記伝送方式を表すソース
　　　識別子をメモリに格納するステップと、
２Ｃ　前記少なくとも２つの異なるソースデバイスから伝送される番組のた
　　　めの前記テレビジョン番組情報のリストをガイドフォーマットに同時
　　　に表示するステップと、
２Ｄ　前記表示された番組リストからの番組選択を利用者から受理するステ
　　　ップと、
　　　と、
　　　を備えている、方法。
　
　［相違点］
　
　［相違点１］
　上記２Ｂ’の
　ソースデバイスから伝送されたテレビジョン番組のためのテレビジョン番組情報を表す
チャンネルガイド情報データ
　本件発明２では、
　「前記
少なくとも２つの
　甲４発明では、
　「少なくとも２つのソースデバイスから伝送されそたチャンネルガイド情報データ」とはしていない点
　
　［相違点２］
　上記２Ｂ’の
　
複数のテレビジョン番組の各テレビジョン番組について
チャンネルガイド情報データ
メモリに格納する
　本件発明２では、
　上記「チャンネルガイド情報データ」だけでなく、
　上記「チャンネルガイド情報データ」とは別の、
　「各テレビジョン番組のための前記ソースデバイスの前記伝送方式を表すソース識別子」も、
　「複数のテレビジョン番組の各テレビジョン番組について、」「メモリに格納する」、とするのに対して、
　甲４発明は、
  「複数のテレビジョン番組の各テレビジョン番組について、」「各テレビジョン番組のための前記ソースデバイスの前記伝送方式を表すソース識別子」を、「メモリに格納する」
　とはしていない点、
　
　［相違点３］
　本件発明２は、
２Ｅ　前記表示された番組リストから番組の利用者選択の受信に応答して、
　　　その番組のソースデバイスを表す前記ソース識別子を前記メモリから
　　　検索するステップと
　を備えているのに対して、
　甲４発明は、
　要件２Ｅの手段を備えていない点
　
　
　〈請求人の主張（一致点、相違点、「ソース識別子」）について〉
　請求人は、本件発明２についても、前記「［４-３］（１）」でしたのと同様の主張をしているが、当該主張は、前記「［４-３］（２）」で示したと同じ理由により、採用できない。
　
［５-２］本件発明２の進歩性欠如（容易想到性）についての判断
　
　本件発明２と甲４発明（方法の発明）との一致点、相違点は上記［５-１］のとおりであるところ、その一致点、相違点は共に、
　上記［４-２］で示した本件発明５と甲４発明（システムの発明）との一致点、相違点と実質的に同じである。
　
　したがって、本件発明２と甲４発明（方法の発明）との相違点についての判断も、上記［４-４］で示した本件発明５と甲４発明との相違点についての判断と同じである。
　すなわち、甲５号証記載の発明に基づいて上記［相違点２］を克服することは困難であり、［相違点３］を克服することも困難である。
　
　以上によれば、本件発明２は、甲４号証記載の発明及び甲５号証記載の発明に基づいて当業者が容易に発明をすることができたものである、とすることはできない。
　したがって、本件発明２に係る特許は特許法第２９条第２項の規定に違反してなされたものであるから同法第１２３条第１項第２号に該当し無効とすべきものである、とすることはできない。
　
［６］まとめ（無効理由１（進歩性欠如、２９条第２項））
　
　以上のとおりであるから、本件の請求項２及び請求項５に係る発明は、いずれも、甲４号証記載の発明及び甲５号証記載の発明に基づいて当業者が容易に発明をすることができたものである、とすることはできない。
　したがって、本件の請求項２及び請求項５に係る特許は、いずれも、特許法第２９条第２項の規定に違反してなされたものであるから同法第１２３条第１項第２号に該当し無効とすべきものである、とすることはできない。
　
【第５】むすび
　
　以上のとおりであるから、
　請求人の主張及び証拠方法によっては、請求項２及び請求項５に係る特許を無効とすることができない。
　
　審判に関する費用については、請求人の負担とする。
　
　よって、結論のとおり審決する。